(57)【要約】      （修正有）【課題】無認可無線周波数スペクトル帯域を介して送信される短縮されたチャネル使用ビーコン信号（ＣＵＢＳ）による干渉を軽減する方法を提供する。【解決手段】ユーザ機器は、無認可無線周波数スペクトル帯域へのアクセスのための競合に勝ち、次のシンボル期間境界の前のしきい値時間内に競合に勝ったかどうかを決定し、ＣＵＢＳの少なくとも一部分を第１のシンボル期間の分数期間を含むプリアンブルの間に無認可無線周波数スペクトル帯域を介して送信する。【選択図】図２２
2020074529.tif 000002
【特許請求の範囲】
【請求項１】
ワイヤレス通信のための方法であって、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを備え、前記ＣＵＢＳの前記少なくとも一部分が、前記無認可無線周波数スペクトル帯域のいくつかの周波数インターレースにおいて送信される、
方法。
【請求項２】
ＣＵＢＳの少なくとも一部分を、前記無認可無線周波数スペクトル帯域を介して前記送信することが、
第１のＣＵＢＳの少なくとも一部分と第２のＣＵＢＳの少なくとも一部分とを、前記無認可無線周波数スペクトル帯域を介して送信することを備え、ここにおいて、前記送信することが、第１のシンボル期間の少なくとも分数期間を備えるプリアンブルの間に行われ、前記第１のＣＵＢＳが、前記第２のＣＵＢＳと異なる、
請求項１に記載の方法。
【請求項３】
前記第１のシンボル期間が、複数のサブ期間を備え、ここにおいて、前記送信することが、
前記無認可無線周波数スペクトル帯域へのアクセスのための前記競合に前記勝つことに後続する、いくつかの完全なサブ期間の各々の中で、前記第１のＣＵＢＳのインスタンスを送信することを備える、
請求項２に記載の方法。
【請求項４】
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
請求項３に記載の方法。
【請求項５】
前記プリアンブルが、前記第１のシンボル期間に後続する第２のシンボル期間を備え、ここにおいて、前記送信することが、
前記第１のシンボル期間の前記分数期間の間に、前記第１のＣＵＢＳの冒頭部分を送信することと、
前記第２のシンボル期間の間に、前記第２のＣＵＢＳを送信することとを備える、
請求項２に記載の方法。
【請求項６】
前記プリアンブルが、前記第１のシンボル期間に後続する第２のシンボル期間を備え、前記方法が、
前記第２のＣＵＢＳを前記第２のシンボル期間と時間整合させることをさらに備え、  ここにおいて、前記送信することが、
前記第１のシンボル期間の前記分数期間および前記第２のシンボル期間の第１の部分にわたって、前記第１のＣＵＢＳを送信することと、
前記第２のシンボル期間の第２の部分の間に、前記時間整合された第２のＣＵＢＳの末尾部分を送信することとを備える、
請求項２に記載の方法。
【請求項７】
前記プリアンブルが、前記第１のシンボル期間に後続する第２のシンボル期間と、前記第２のシンボル期間に後続する第３のシンボル期間とを備え、ここにおいて、前記送信することが、
前記第１のシンボル期間の前記分数期間および前記第２のシンボル期間の第１の部分にわたって、前記第１のＣＵＢＳを送信することと、
前記第２のシンボル期間の第２の部分の間に、前記第１のＣＵＢＳの冒頭部分を送信することと、
前記第３のシンボル期間の間に、前記第２のＣＵＢＳを送信することとを備える、
請求項２に記載の方法。
【請求項８】
前記プリアンブルが、前記第１のシンボル期間に後続する第２のシンボル期間を備え、前記方法が、
前記第１のＣＵＢＳを前記第１のシンボル期間と時間整合させることをさらに備え、  ここにおいて、前記送信することが、
前記第１のシンボル期間の前記分数期間の間に、前記時間整合された第１のＣＵＢＳの末尾部分を送信することと、
前記第２のシンボル期間の間に、前記第２のＣＵＢＳを送信することとを備える、
請求項２に記載の方法。
【請求項９】
前記第１のＣＵＢＳの前記少なくとも一部分と前記第２のＣＵＢＳの前記少なくとも一部分との送信接合部において、ウィンドウ処理およびオーバーラップ加算演算を実行すること
をさらに備える、請求項２に記載の方法。
【請求項１０】
前記第１のＣＵＢＳの前記少なくとも一部分の送信の始まりにおいて、ウィンドウ処理およびオーバーラップ加算演算を実行すること
をさらに備える、請求項２に記載の方法。
【請求項１１】
前記第１のＣＵＢＳおよび前記第２のＣＵＢＳの各々が、１つのシンボル期間の持続時間を備える、請求項２に記載の方法。
【請求項１２】
前記第２のＣＵＢＳが、前記第１のＣＵＢＳの前記少なくとも一部分および前記第２のＣＵＢＳの前記少なくとも一部分の送信の後に前記無認可無線周波数スペクトル帯域を介して行われるべき送信に含まれる信号のコピーを備える、請求項２に記載の方法。
【請求項１３】
前記信号が、復調基準信号（ＤＭ−ＲＳ）を備える、請求項１２に記載の方法。
【請求項１４】
前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを備える、請求項１２に記載の方法。
【請求項１５】
前記第１のＣＵＢＳの前記少なくとも一部分および前記第２のＣＵＢＳの前記少なくとも一部分が、前記第１のＣＵＢＳの前記少なくとも一部分および前記第２のＣＵＢＳの前記少なくとも一部分の前記送信の後に、前記無認可無線周波数スペクトル帯域を介した第１の送信のために使用されるアンテナポートおよびプリコーダの同じセットを使用して、前記無認可無線周波数スペクトル帯域を介して送信される、請求項２に記載の方法。
【請求項１６】
前記競合に前記勝つこと、および前記送信することが、ユーザ機器（ＵＥ）によって実行される、請求項２に記載の方法。
【請求項１７】
ワイヤレス通信のための装置であって、
無認可無線周波数スペクトル帯域へのアクセスのための競合に勝つための手段と、
チャネル使用ビーコン信号（ＣＵＢＳ）の少なくとも一部分を、前記無認可無線周波数スペクトル帯域を介して送信するための手段とを備え、前記ＣＵＢＳの前記少なくとも一部分が、前記無認可無線周波数スペクトル帯域のいくつかの周波数インターレースにおいて送信される、
装置。
【請求項１８】
ＣＵＢＳの少なくとも一部分を、前記無認可無線周波数スペクトル帯域を介して送信するための前記手段が、第１のＣＵＢＳの少なくとも一部分と第２のＣＵＢＳの少なくとも一部分とを、前記無認可無線周波数スペクトル帯域を介して送信するための手段を備え、ここにおいて、前記送信することが、第１のシンボル期間の少なくとも分数期間を備えるプリアンブルの間に行われ、前記第１のＣＵＢＳが、前記第２のＣＵＢＳと異なる、請求項１７に記載の装置。
【請求項１９】
前記第１のシンボル期間が、複数のサブ期間を備え、ここにおいて、送信するための前記手段が、
前記無認可無線周波数スペクトル帯域へのアクセスのための前記競合に前記勝つことに後続する、いくつかの完全なサブ期間の各々の中で、前記第１のＣＵＢＳのインスタンスを送信するための手段を備える、
請求項１８に記載の装置。
【請求項２０】
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
請求項１９に記載の装置。
【請求項２１】
前記プリアンブルが、前記第１のシンボル期間に後続する第２のシンボル期間を備え、ここにおいて、送信するための前記手段が、
前記第１のシンボル期間の前記分数期間の間に、前記第１のＣＵＢＳの冒頭部分を送信するための手段と、
前記第２のシンボル期間の間に、前記第２のＣＵＢＳを送信するための手段とを備える、
請求項１８に記載の装置。
【請求項２２】
前記プリアンブルが、前記第１のシンボル期間に後続する第２のシンボル期間を備え、前記装置が、
前記第２のＣＵＢＳを前記第２のシンボル期間と時間整合させるための手段をさらに備え、
ここにおいて、送信するための前記手段が、
前記第１のシンボル期間の前記分数期間および前記第２のシンボル期間の第１の部分にわたって、前記第１のＣＵＢＳを送信するための手段と、
前記第２のシンボル期間の第２の部分の間に、前記時間整合された第２のＣＵＢＳの末尾部分を送信するための手段とを備える、
請求項１８に記載の装置。
【請求項２３】
前記プリアンブルが、前記第１のシンボル期間に後続する第２のシンボル期間と、前記第２のシンボル期間に後続する第３のシンボル期間とを備え、ここにおいて、送信するための前記手段が、
前記第１のシンボル期間の前記分数期間および前記第２のシンボル期間の第１の部分にわたって、前記第１のＣＵＢＳを送信するための手段と、
前記第２のシンボル期間の第２の部分の間に、前記第１のＣＵＢＳの冒頭部分を送信するための手段と、
前記第３のシンボル期間の間に、前記第２のＣＵＢＳを送信するための手段とを備える、
請求項１８に記載の装置。
【請求項２４】
前記プリアンブルが、前記第１のシンボル期間に後続する第２のシンボル期間を備え、前記装置が、
前記第１のＣＵＢＳを前記第１のシンボル期間と時間整合させるための手段をさらに備え、
ここにおいて、送信するための前記手段が、
前記第１のシンボル期間の前記分数期間の間に、前記時間整合された第１のＣＵＢＳの末尾部分を送信するための手段と、
前記第２のシンボル期間の間に、前記第２のＣＵＢＳを送信するための手段とを備える、
請求項１８に記載の装置。
【請求項２５】
前記第１のＣＵＢＳの前記少なくとも一部分と前記第２のＣＵＢＳの前記少なくとも一部分との送信接合部において、ウィンドウ処理およびオーバーラップ加算演算を実行するための手段
をさらに備える、請求項１８に記載の装置。
【請求項２６】
前記第１のＣＵＢＳの前記少なくとも一部分の送信の始まりにおいて、ウィンドウ処理およびオーバーラップ加算演算を実行するための手段
をさらに備える、請求項１８に記載の装置。
【請求項２７】
前記第１のＣＵＢＳおよび前記第２のＣＵＢＳの各々が、１つのシンボル期間の持続時間を備える、請求項１８に記載の装置。
【請求項２８】
前記第２のＣＵＢＳが、前記第１のＣＵＢＳの前記少なくとも一部分および前記第２のＣＵＢＳの前記少なくとも一部分の送信の後に前記無認可無線周波数スペクトル帯域を介して行われるべき送信に含まれる信号のコピーを備える、請求項１８に記載の装置。
【請求項２９】
前記信号が、復調基準信号（ＤＭ−ＲＳ）を備える、請求項２８に記載の装置。
【請求項３０】
前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを備える、請求項２８に記載の装置。
【請求項３１】
前記第１のＣＵＢＳの前記少なくとも一部分および前記第２のＣＵＢＳの前記少なくとも一部分が、前記第１のＣＵＢＳの前記少なくとも一部分および前記第２のＣＵＢＳの前記少なくとも一部分の前記送信の後に、前記無認可無線周波数スペクトル帯域を介した第１の送信のために使用されるアンテナポートおよびプリコーダの同じセットを使用して、前記無認可無線周波数スペクトル帯域を介して送信される、請求項１８に記載の装置。
【請求項３２】
前記装置が、ユーザ機器（ＵＥ）を備える、請求項１８に記載の装置。
【請求項３３】
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを行うように構成され、前記ＣＵＢＳの前記少なくとも一部分が、前記無認可無線周波数スペクトル帯域のいくつかの周波数インターレースにおいて送信される、
装置。
【請求項３４】
ＣＵＢＳの少なくとも一部分を、前記無認可無線周波数スペクトル帯域を介して送信するように構成された、前記プロセッサおよびメモリが、第１のＣＵＢＳの少なくとも一部分と第２のＣＵＢＳの少なくとも一部分とを、前記無認可無線周波数スペクトル帯域を介して送信するように、前記プロセッサによって実行可能な命令を備え、ここにおいて、前記送信することが、第１のシンボル期間の少なくとも分数期間を備えるプリアンブルの間に行われ、前記第１のＣＵＢＳが、前記第２のＣＵＢＳと異なる、請求項３３に記載の装置。
【請求項３５】
前記第１のシンボル期間が、複数のサブ期間を備え、ここにおいて、送信するように構成された前記プロセッサおよびメモリが、
前記無認可無線周波数スペクトル帯域へのアクセスのための前記競合に前記勝つことに後続する、いくつかの完全なサブ期間の各々の中で、前記第１のＣＵＢＳのインスタンスを送信するように、前記プロセッサによって実行可能な命令を備える、
請求項３４に記載の装置。
【請求項３６】
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
請求項３５に記載の装置。
【請求項３７】
前記プリアンブルが、前記第１のシンボル期間に後続する第２のシンボル期間を備え、ここにおいて、送信するように構成された前記プロセッサおよびメモリが、
前記第１のシンボル期間の前記分数期間の間に、前記第１のＣＵＢＳの冒頭部分を送信し、
前記第２のシンボル期間の間に、前記第２のＣＵＢＳを送信するように、前記プロセッサによって実行可能な命令を備える、
請求項３４に記載の装置。
【請求項３８】
前記プリアンブルが、前記第１のシンボル期間に後続する第２のシンボル期間を備え、ここにおいて、前記プロセッサおよびメモリが、
前記第１のＣＵＢＳを前記第１のシンボル期間と時間整合させるように構成され、
ここにおいて、送信するように前記プロセッサによって実行可能な前記命令が、
前記第１のシンボル期間の前記分数期間の間に、前記時間整合された第１のＣＵＢＳの末尾部分を送信し、
前記第２のシンボル期間の間に、前記第２のＣＵＢＳを送信するように、前記プロセッサによって実行可能な命令を備える、
請求項３４に記載の装置。
【請求項３９】
前記プロセッサおよびメモリが、
前記第１のＣＵＢＳの前記少なくとも一部分と前記第２のＣＵＢＳの前記少なくとも一部分との送信接合部において、ウィンドウ処理およびオーバーラップ加算演算を実行するように構成される、
請求項３４に記載の装置。
【請求項４０】
プロセッサおよびメモリが、
前記第１のＣＵＢＳの前記少なくとも一部分の送信の始まりにおいて、ウィンドウ処理およびオーバーラップ加算演算を実行するように構成される、
請求項３４に記載の装置。
【請求項４１】
前記装置が、ユーザ機器（ＵＥ）を備える、請求項３４に記載の装置。
【請求項４２】
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを行うように実行可能であり、前記ＣＵＢＳの前記少なくとも一部分が、前記無認可無線周波数スペクトル帯域のいくつかの周波数インターレースにおいて送信される、
非一時的コンピュータ可読媒体。
【請求項４３】
ＣＵＢＳの少なくとも一部分を、前記無認可無線周波数スペクトル帯域を介して送信するように、前記プロセッサによって実行可能な前記コードが、第１のＣＵＢＳの少なくとも一部分と第２のＣＵＢＳの少なくとも一部分とを、前記無認可無線周波数スペクトル帯域を介して送信するように、前記プロセッサによって実行可能なコードを備え、ここにおいて、前記送信することが、第１のシンボル期間の少なくとも分数期間を備えるプリアンブルの間に行われ、前記第１のＣＵＢＳが、前記第２のＣＵＢＳと異なる、請求項４２に記載の非一時的コンピュータ可読媒体。
【請求項４４】
前記第１のシンボル期間が、複数のサブ期間を備え、ここにおいて、送信するように前記プロセッサによって実行可能な前記コードが、
前記無認可無線周波数スペクトル帯域へのアクセスのための前記競合に前記勝つことに後続する、いくつかの完全なサブ期間の各々の中で、前記第１のＣＵＢＳのインスタンスを送信するように、前記プロセッサによって実行可能なコードを備える、
請求項４３に記載の非一時的コンピュータ可読媒体。
【請求項４５】
前記プリアンブルが、前記第１のシンボル期間に後続する第２のシンボル期間を備え、ここにおいて、送信するように前記プロセッサによって実行可能な前記コードが、
前記第１のシンボル期間の前記分数期間の間に、前記第１のＣＵＢＳの冒頭部分を送信し、
前記第２のシンボル期間の間に、前記第２のＣＵＢＳを送信するように、前記プロセッサによって実行可能なコードを備える、
請求項４３に記載の非一時的コンピュータ可読媒体。
【請求項４６】
前記プリアンブルが、前記第１のシンボル期間に後続する第２のシンボル期間を備え、ここにおいて、前記コードが、前記プロセッサによって、
前記第１のＣＵＢＳを前記第１のシンボル期間と時間整合させるように実行可能であり、
ここにおいて、送信するように前記プロセッサによって実行可能な前記コードが、
前記第１のシンボル期間の前記分数期間の間に、前記時間整合された第１のＣＵＢＳの末尾部分を送信し、
前記第２のシンボル期間の間に、前記第２のＣＵＢＳを送信するように、前記プロセッサによって実行可能なコードを備える、
請求項４３に記載の非一時的コンピュータ可読媒体。
【請求項４７】
ワイヤレス通信のための方法であって、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
方法。
【請求項４８】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、  請求項４７に記載の方法。
【請求項４９】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
第２のＣＵＢＳを前記第２のシンボル期間と時間整合させることと、
前記第２のシンボル期間の第２の部分の間に、前記無認可無線周波数スペクトル帯域を介して、前記時間整合された第２のＣＵＢＳの末尾部分を送信することとをさらに備える、
請求項４７に記載の方法。
【請求項５０】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
前記第２のシンボル期間の第２の部分の間に、前記無認可無線周波数スペクトル帯域を介して、前記第１のＣＵＢＳの冒頭部分を送信することと、
前記第３のシンボル期間の間に、前記無認可無線周波数スペクトル帯域を介して、第２のＣＵＢＳを送信することとをさらに備える、
請求項４７に記載の方法。
【請求項５１】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記方法が、
前記第１のＣＵＢＳを前記第１のシンボル期間と時間整合させることと、
前記第１のシンボル期間の前記分数期間の間に、前記無認可無線周波数スペクトル帯域を介して、前記時間整合された第１のＣＵＢＳの末尾部分を送信することと、
前記第２のシンボル期間の間に、前記無認可無線周波数スペクトル帯域を介して、第２のＣＵＢＳを送信することとをさらに備える、
請求項４７に記載の方法。
【請求項５２】
前記競合に前記勝つこと、および前記送信することが、ユーザ機器（ＵＥ）によって実行される、請求項４７に記載の方法。
【請求項５３】
ワイヤレス通信のための装置であって、
無認可無線周波数スペクトル帯域へのアクセスのための競合に勝つための手段と、
次のシンボル期間境界の前のしきい値時間内に前記競合に勝ったかどうかを決定するための手段と、
チャネル使用ビーコン信号（ＣＵＢＳ）の少なくとも一部分を、前記無認可無線周波数スペクトル帯域を介して送信するための手段とを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
【請求項５４】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、  請求項５３に記載の装置。
【請求項５５】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
第２のＣＵＢＳを前記第２のシンボル期間と時間整合させるための手段と、
前記第２のシンボル期間の第２の部分の間に、前記無認可無線周波数スペクトル帯域を介して、前記時間整合された第２のＣＵＢＳの末尾部分を送信するための手段とをさらに備える、
請求項５３に記載の装置。
【請求項５６】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
前記第２のシンボル期間の第２の部分の間に、前記無認可無線周波数スペクトル帯域を介して、前記第１のＣＵＢＳの冒頭部分を送信するための手段と、
前記第３のシンボル期間の間に、前記無認可無線周波数スペクトル帯域を介して、第２のＣＵＢＳを送信するための手段とをさらに備える、
請求項５３に記載の装置。
【請求項５７】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記装置が、
前記第１のＣＵＢＳを前記第１のシンボル期間と時間整合させるための手段と、
前記第１のシンボル期間の前記分数期間の間に、前記無認可無線周波数スペクトル帯域を介して、前記時間整合された第１のＣＵＢＳの末尾部分を送信するための手段と、
前記第２のシンボル期間の間に、前記無認可無線周波数スペクトル帯域を介して、第２のＣＵＢＳを送信するための手段とをさらに備える、
請求項５３に記載の装置。
【請求項５８】
前記装置が、ユーザ機器（ＵＥ）を備える、請求項５３に記載の装置。
【請求項５９】
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを行うように構成され、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
【請求項６０】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記プロセッサおよびメモリが、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように構成される、  請求項５９に記載の装置。
【請求項６１】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記プロセッサおよびメモリが、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように構成される、
請求項５９に記載の装置。
【請求項６２】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、ここにおいて、前記プロセッサおよびメモリが、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように構成される、
請求項５９に記載の装置。
【請求項６３】
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを行うように実行可能であり、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
非一時的コンピュータ可読媒体。
【請求項６４】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記コードが、前記プロセッサによって、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように実行可能である、
請求項６３に記載の非一時的コンピュータ可読媒体。
【請求項６５】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記コードが、前記プロセッサによって、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように実行可能である、
請求項６３に記載の非一時的コンピュータ可読媒体。
【請求項６６】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、ここにおいて、前記コードが、前記プロセッサによって、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように実行可能である、
請求項６３に記載の非一時的コンピュータ可読媒体。
【請求項６７】
ワイヤレス通信のための方法であって、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することと
を備える方法。
【請求項６８】
前記ＣＵＢＳの前記少なくとも一部分の送信の後に前記無認可無線周波数スペクトル帯域を介して行われるべき送信に含まれる、複数のトーンを選択することと、
離散フーリエ変換（ＤＦＴ）出力を前記複数のトーンにマッピングすることと、
前記ＣＵＢＳを生成するために前記複数のトーンに対して逆高速フーリエ変換（ＩＦＦＴ）を実行することと
をさらに備える、請求項６７に記載の方法。
【請求項６９】
ランダムシーケンスを生成することと、
前記ＤＦＴ出力を生成するために前記ランダムシーケンスに対してＤＦＴを実行することと
をさらに備える、請求項６８に記載の方法。
【請求項７０】
前記ランダムシーケンスが、４相位相シフトキーイング（ＱＰＳＫ）シーケンスを備える、請求項６９に記載の方法。
【請求項７１】
前記ランダムシーケンスが、一般化Ｚａｄｏｆｆ−Ｃｈｕシーケンスまたはチャープ様シーケンスのセットの中のシーケンスを備える、請求項６９に記載の方法。
【請求項７２】
前記ランダムシーケンスが、ポリフェーズシーケンスを備える、請求項６９に記載の方法。
【請求項７３】
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、請求項６９に記載の方法。
【請求項７４】
ランダムシーケンスを生成することと、
中間的な出力を生成するために前記ランダムシーケンスに対してＤＦＴを実行することと、
前記ＤＦＴ出力を生成するために前記中間的な出力をダウンサンプリングすることと  をさらに備える、請求項６８に記載の方法。
【請求項７５】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項６８に記載の方法。
【請求項７６】
前記複数のトーンを選択することが、
前記ＣＵＢＳの前記一部分の前記送信の後に前記無認可無線周波数スペクトル帯域を介して行われるべき前記送信に割り振られたリソースブロックの、中央におけるトーンを選択することを備える、
請求項６８に記載の方法。
【請求項７７】
前記複数のトーンを選択することが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択することを備える、
請求項６８に記載の方法。
【請求項７８】
前記複数のトーンが、前記無認可無線周波数スペクトル帯域の中で均一な周波数間隔を有する、請求項６８に記載の方法。
【請求項７９】
前記複数のトーンが、前記無認可無線周波数スペクトル帯域の中で不均一な周波数間隔を有する、請求項６８に記載の方法。
【請求項８０】
前記ＣＵＢＳの前記一部分とその後送信される信号との送信接合部に対して、ウィンドウ処理およびオーバーラップ加算演算を実行すること
をさらに備える、請求項６７に記載の方法。
【請求項８１】
前記ＣＵＢＳの前記一部分の送信の始まりに対して、ウィンドウ処理およびオーバーラップ加算演算を実行すること
をさらに備える、請求項６７に記載の方法。
【請求項８２】
前記競合、および前記送信することが、ユーザ機器（ＵＥ）によって実行される、請求項６７に記載の方法。
【請求項８３】
前記ＣＵＢＳの前記一部分が、前記ＣＵＢＳの冒頭部分を備える、請求項６７に記載の方法。
【請求項８４】
前記ＣＵＢＳの前記一部分が、前記ＣＵＢＳの末尾部分を備える、請求項６７に記載の方法。
【請求項８５】
ワイヤレス通信のための装置であって、
無認可無線周波数スペクトル帯域へのアクセスのための競合に勝つための手段と、
チャネル使用ビーコン信号（ＣＵＢＳ）の一部分を選択するための手段と、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信するための手段と
を備える装置。
【請求項８６】
前記ＣＵＢＳの前記少なくとも一部分の送信の後に前記無認可無線周波数スペクトル帯域を介して行われるべき送信に含まれる、複数のトーンを選択するための手段と、
離散フーリエ変換（ＤＦＴ）出力を前記複数のトーンにマッピングするための手段と、  前記ＣＵＢＳを生成するために前記複数のトーンに対して逆高速フーリエ変換（ＩＦＦＴ）を実行するための手段と
をさらに備える、請求項８５に記載の装置。
【請求項８７】
ランダムシーケンスを生成するための手段と、
前記ＤＦＴ出力を生成するために前記ランダムシーケンスに対してＤＦＴを実行するための手段と
をさらに備える、請求項８６に記載の装置。
【請求項８８】
前記ランダムシーケンスが、４相位相シフトキーイング（ＱＰＳＫ）シーケンスを備える、請求項８７に記載の装置。
【請求項８９】
前記ランダムシーケンスが、一般化Ｚａｄｏｆｆ−Ｃｈｕシーケンスまたはチャープ様シーケンスのセットの中のシーケンスを備える、請求項８７に記載の装置。
【請求項９０】
前記ランダムシーケンスが、ポリフェーズシーケンスを備える、請求項８７に記載の装置。
【請求項９１】
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、請求項８７に記載の装置。
【請求項９２】
ランダムシーケンスを生成するための手段と、
中間的な出力を生成するために前記ランダムシーケンスに対してＤＦＴを実行するための手段と、
前記ＤＦＴ出力を生成するために前記中間的な出力をダウンサンプリングするための手段と
をさらに備える、請求項８６に記載の装置。
【請求項９３】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項８６に記載の装置。
【請求項９４】
前記複数のトーンを選択するための前記手段が、
前記ＣＵＢＳの前記一部分の前記送信の後に前記無認可無線周波数スペクトル帯域を介して行われるべき前記送信に割り振られたリソースブロックの、中央におけるトーンを選択するための手段を備える、
請求項８６に記載の装置。
【請求項９５】
前記複数のトーンを選択するための前記手段が、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するための手段を備える、
請求項８６に記載の装置。
【請求項９６】
前記複数のトーンが、前記無認可無線周波数スペクトル帯域の中で均一な周波数間隔を有する、請求項８６に記載の装置。
【請求項９７】
前記複数のトーンが、前記無認可無線周波数スペクトル帯域の中で不均一な周波数間隔を有する、請求項８６に記載の装置。
【請求項９８】
前記ＣＵＢＳの前記一部分とその後送信される信号との送信接合部に対して、ウィンドウ処理およびオーバーラップ加算演算を実行するための手段
をさらに備える、請求項８５に記載の装置。
【請求項９９】
前記ＣＵＢＳの前記一部分の送信の始まりに対して、ウィンドウ処理およびオーバーラップ加算演算を実行するための手段
をさらに備える、請求項８５に記載の装置。
【請求項１００】
前記競合、および前記送信することが、ユーザ機器（ＵＥ）によって実行される、請求項８５に記載の装置。
【請求項１０１】
前記ＣＵＢＳの前記一部分が、前記ＣＵＢＳの冒頭部分を備える、請求項８５に記載の装置。
【請求項１０２】
前記ＣＵＢＳの前記一部分が、前記ＣＵＢＳの末尾部分を備える、請求項８５に記載の装置。
【請求項１０３】
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することとを行うように構成される、
装置。
【請求項１０４】
前記プロセッサおよびメモリが、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように構成される、
請求項１０３に記載の装置。
【請求項１０５】
前記プロセッサおよびメモリが、
ランダムシーケンスを生成し、
前記ＤＦＴ出力を生成するために前記ランダムシーケンスに対してＤＦＴを実行するように構成される、
請求項１０４に記載の装置。
【請求項１０６】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項１０４に記載の装置。
【請求項１０７】
前記複数のトーンを選択するように構成されたプロセッサおよびメモリが、
前記ＣＵＢＳの前記一部分の前記送信の後に前記無認可無線周波数スペクトル帯域を介して行われるべき前記送信に割り振られたリソースブロックの、中央におけるトーンを選択するように、前記プロセッサによって実行可能な命令を備える、
請求項１０４に記載の装置。
【請求項１０８】
前記複数のトーンを選択するように構成された前記プロセッサおよびメモリが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するように、前記プロセッサによって実行可能な命令を備える、
請求項１０４に記載の装置。
【請求項１０９】
前記プロセッサおよびメモリが、
前記ＣＵＢＳの前記一部分とその後送信される信号との送信接合部に対して、ウィンドウ処理およびオーバーラップ加算演算を実行するように構成される、
請求項１０３に記載の装置。
【請求項１１０】
前記プロセッサおよびメモリが、
前記ＣＵＢＳの前記一部分の送信の始まりに対して、ウィンドウ処理およびオーバーラップ加算演算を実行するように構成される、
請求項１０３に記載の装置。
【請求項１１１】
前記ＣＵＢＳの前記一部分が、前記ＣＵＢＳの冒頭部分を備える、請求項１０３に記載の装置。
【請求項１１２】
前記ＣＵＢＳの前記一部分が、前記ＣＵＢＳの末尾部分を備える、請求項１０３に記載の装置。
【請求項１１３】
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することとを行うように実行可能である、
非一時的コンピュータ可読媒体。
【請求項１１４】
前記コードが、前記プロセッサによって、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように実行可能である、
請求項１１３に記載の非一時的コンピュータ可読媒体。
【請求項１１５】
前記コードが、前記プロセッサによって、
ランダムシーケンスを生成し、
前記ＤＦＴ出力を生成するために前記ランダムシーケンスに対してＤＦＴを実行するように実行可能である、
請求項１１４に記載の非一時的コンピュータ可読媒体。
【請求項１１６】
ワイヤレス通信のための方法であって、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することと  を備える方法。
【請求項１１７】
第１のＣＵＢＳの一部分および第２のＣＵＢＳが、第１のＵＥから受信され、ここにおいて、前記第１のＵＥの第１の識別子が、前記第２のＣＵＢＳから決定される、請求項１１６に記載の方法。
【請求項１１８】
第１のＵＥから受信されるＣＵＢＳの第１のセットの構造が、第２のＵＥから受信されるＣＵＢＳの第２のセットの構造と異なる、請求項１１６に記載の方法。
【請求項１１９】
ワイヤレス通信のための装置であって、
いくつかのユーザ機器（ＵＥ）の各々からチャネル使用ビーコン信号（ＣＵＢＳ）を受信するための手段と、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定するための手段と
を備える装置。
【請求項１２０】
第１のＣＵＢＳの一部分および第２のＣＵＢＳが、第１のＵＥから受信され、ここにおいて、前記第１のＵＥの第１の識別子が、前記第２のＣＵＢＳから決定される、請求項１１９に記載の装置。
【請求項１２１】
第１のＵＥから受信されるＣＵＢＳの第１のセットの構造が、第２のＵＥから受信されるＣＵＢＳの第２のセットの構造と異なる、請求項１１９に記載の装置。
【請求項１２２】
ワイヤレス通信のための装置であって、
プロセッサと、
前記プロセッサと電子通信しているメモリとを備え、
前記プロセッサおよびメモリが、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することとを行うように構成される、
装置。
【請求項１２３】
第１のＣＵＢＳの一部分および第２のＣＵＢＳが、第１のＵＥから受信され、ここにおいて、前記第１のＵＥの第１の識別子が、前記第２のＣＵＢＳから決定される、請求項１２２に記載の装置。
【請求項１２４】
第１のＵＥから受信されるＣＵＢＳの第１のセットの構造が、第２のＵＥから受信されるＣＵＢＳの第２のセットの構造と異なる、請求項１２２に記載の装置。
【請求項１２５】
ワイヤレス通信のためのコンピュータ実行可能コードを記憶する非一時的コンピュータ可読媒体であって、前記コードが、プロセッサによって、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することとを行うように実行可能である、
非一時的コンピュータ可読媒体。
【請求項１２６】
第１のＣＵＢＳの一部分および第２のＣＵＢＳが、第１のＵＥから受信され、ここにおいて、前記第１のＵＥの第１の識別子が、前記第２のＣＵＢＳから決定される、請求項１２５に記載の非一時的コンピュータ可読媒体。
【請求項１２７】
第１のＵＥから受信されるＣＵＢＳの第１のセットの構造が、第２のＵＥから受信されるＣＵＢＳの第２のセットの構造と異なる、請求項１２５に記載の非一時的コンピュータ可読媒体。
【発明の詳細な説明】
【技術分野】
【０００１】
相互参照
[0001]本特許出願は、本出願の譲受人に譲渡された、２０１５年９月２５日に出願された、「Ｔｅｃｈｎｉｑｕｅｓ  ｆｏｒ  Ｔｒａｎｓｍｉｔｔｉｎｇ  Ｃｈａｎｎｅｌ  Ｕｓａｇｅ  Ｂｅａｃｏｎ  Ｓｉｇｎａｌｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｇａａｌらによる米国特許出願第１４／８６５，６４０号、および２０１４年９月３０日に出願された、「Ｔｅｃｈｎｉｑｕｅｓ  ｆｏｒ  Ｔｒａｎｓｍｉｔｔｉｎｇ  Ｃｈａｎｎｅｌ  Ｕｓａｇｅ  Ｂｅａｃｏｎ  Ｓｉｇｎａｌｓ  Ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｇａａｌらによる米国仮特許出願第６２／０５７，４１８号の優先権を主張する。
【０００２】
[0002]本開示は、たとえば、ワイヤレス通信システムに関し、より詳細には、無認可無線周波数スペクトル帯域を介して（over）チャネル使用ビーコン信号を送信するための技法に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムを含む。
【０００４】
[0004]例として、ワイヤレス多元接続通信システムは、各々が、場合によっては(otherwise)ユーザ機器（ＵＥ）として知られている複数の通信デバイスのための通信を同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]いくつかの通信モードは、無認可無線周波数スペクトル帯域を介した、またはセルラーネットワークの、異なる無線周波数スペクトル帯域（たとえば、認可無線周波数スペクトル帯域または無認可無線周波数スペクトル帯域）を介した、基地局とＵＥとの間の通信を可能にし得る。認可無線周波数スペクトル帯域を使用するセルラーネットワークにおいて増加しているデータトラフィックとともに、無認可無線周波数スペクトル帯域への少なくとも一部のデータトラフィックのオフローディングが、拡張されたデータ伝送容量のための機会をセルラー事業者に提供し得る。無認可無線周波数スペクトル帯域はまた、認可無線周波数スペクトル帯域へのアクセスが利用可能でないエリアにサービスを提供し得る。
【０００６】
[0006]無認可無線周波数スペクトル帯域にアクセスし無認可無線周波数スペクトル帯域を介して通信するより前に、基地局またはＵＥは、無認可無線周波数スペクトル帯域へのアクセスのために競合する（contend for access）ために、リッスンビフォアトーク（ＬＢＴ）手順を実行し得る。ＬＢＴ手順は、無認可無線周波数スペクトル帯域のチャネルが利用可能であるかどうかを決定するためにクリアチャネルアセスメント（ＣＣＡ）手順を実行することを含み得る。無認可無線周波数スペクトル帯域のチャネルが利用可能であると決定されると、チャネルを確保する（reserve）ためにチャネル使用ビーコン信号（ＣＵＢＳ）が送信され得る。
【発明の概要】
【０００７】
[0007]本開示は、たとえば、無認可無線周波数スペクトル帯域を介してＣＵＢＳを送信するための１つまたは複数の技法に関する。時々、第２のＵＥが無認可無線周波数スペクトル帯域の第２のチャネル上で送信している間、第１のＵＥは、無認可無線周波数スペクトル帯域の第１のチャネルを確保するように試みることがある。第２のチャネルは、第１のチャネルに隣接するトーンまたは周波数スペクトルを有し得る。第１のＵＥがシンボル期間境界（symbol period boundary）において第１のチャネルへのアクセスのための競合（contention for access）に勝つ（win）と、第１のＵＥは、シンボル期間の持続時間（duration）に一致する長さを有するＣＵＢＳを生成し得、ＣＵＢＳは、第２のチャネル上の送信に直交して送信され得る。しかしながら、第１のＵＥがシンボル期間境界の間で第１のチャネルへのアクセスのための競合に勝つと、第１のＵＥは、短縮されたＣＵＢＳまたはＣＵＢＳの一部分（a portion）を送信することがある。短縮されたＣＵＢＳまたはＣＵＢＳの一部分（portion）の持続時間がシンボル期間よりも短いので、また短縮されたＣＵＢＳまたはＣＵＢＳの一部分の送信がシンボル期間境界の間で始まる（commences）ので、短縮されたＣＵＢＳまたはＣＵＢＳの一部分は、第２のチャネル上の送信に直交しないことがあり、第２のチャネル上の送信に干渉することがある。この干渉を軽減するための技法が、本開示で説明される。
【０００８】
[0008]一例では、ワイヤレス通信のための方法が説明される。一例では、方法は、無認可無線周波数スペクトル帯域へのアクセスのための競合に勝つことと、ＣＵＢＳの少なくとも一部分を、無認可無線周波数スペクトル帯域を介して送信することとを含み得る。ＣＵＢＳの少なくとも一部分は、無認可無線周波数スペクトル帯域のいくつかの周波数インターレースにおいて送信され得る。
【０００９】
[0009]方法のいくつかの例では、ＣＵＢＳの少なくとも一部分を、無認可無線周波数スペクトル帯域を介して送信することは、第１のＣＵＢＳの少なくとも一部分と第２のＣＵＢＳの少なくとも一部分とを、無認可無線周波数スペクトル帯域を介して送信することを含み得、送信することは、第１のシンボル期間の少なくとも分数期間（fractional period）を含むプリアンブルの間に行われ得る。第１のＣＵＢＳは、第２のＣＵＢＳと異なり得る。
【００１０】
[0010]方法のいくつかの例では、第１のシンボル期間は、複数のサブ期間を含み得、送信することは、無認可無線周波数スペクトル帯域へのアクセスのための競合に勝つことに後続する（follow）、いくつかの完全なサブ期間の各々の中で、第１のＣＵＢＳのインスタンスを送信することを含み得る。これらの例では、第１のＣＵＢＳのインスタンスが第１のＣＵＢＳまたは第２のＣＵＢＳの別のインスタンスと境を接する（abutted）とき、第１のＣＵＢＳは、時間領域における滑らかさをもたらす（provide）周期的なゼロ交差を含み得る。
【００１１】
[0011]方法のいくつかの例では、プリアンブルは、第１のシンボル期間に後続する第２のシンボル期間を含み得、送信することは、第１のシンボル期間の分数期間の間に、第１のＣＵＢＳの冒頭部分（beginning portion）を送信することと、第２のシンボル期間の間に、第２のＣＵＢＳを送信することとを含み得る。
【００１２】
[0012]方法のいくつかの例では、プリアンブルは、第１のシンボル期間に後続する第２のシンボル期間を含み得、方法は、第２のＣＵＢＳを第２のシンボル期間と時間整合させることをさらに含み得る。これらの例では、送信することは、第１のシンボル期間の分数期間および第２のシンボル期間の第１の部分にわたって、第１のＣＵＢＳを送信することと、第２のシンボル期間の第２の部分の間に、時間整合された第２のＣＵＢＳの末尾部分（ending portion）を送信することとを含み得る。
【００１３】
[0013]方法のいくつかの例では、プリアンブルは、第１のシンボル期間に後続する第２のシンボル期間と、第２のシンボル期間に後続する第３のシンボル期間とを含み得る。これらの例では、送信することは、第１のシンボル期間の分数期間および第２のシンボル期間の第１の部分にわたって、第１のＣＵＢＳを送信することと、第２のシンボル期間の第２の部分の間に、第１のＣＵＢＳの冒頭部分を送信することと、第３のシンボル期間の間に、第２のＣＵＢＳを送信することとを含み得る。
【００１４】
[0014]方法のいくつかの例では、プリアンブルは、第１のシンボル期間に後続する第２のシンボル期間を含み得、方法は、第１のＣＵＢＳを第１のシンボル期間と時間整合させることをさらに含み得る。これらの例では、送信することは、第１のシンボル期間の分数期間の間に、時間整合された第１のＣＵＢＳの末尾部分を送信することと、第２のシンボル期間の間に、第２のＣＵＢＳを送信することとを含み得る。
【００１５】
[0015]いくつかの例では、方法は、第１のＣＵＢＳの少なくとも一部分と第２のＣＵＢＳの少なくとも一部分との送信接合部において、ウィンドウ処理およびオーバーラップ加算演算を実行することを含み得る。いくつかの例では、方法は、第１のＣＵＢＳの少なくとも一部分の送信の始まりにおいて、ウィンドウ処理およびオーバーラップ加算演算を実行することを含み得る。方法のいくつかの例では、第１のＣＵＢＳおよび第２のＣＵＢＳの各々は、１つのシンボル期間の持続時間を含み得る。
【００１６】
[0016]方法のいくつかの例では、第２のＣＵＢＳは、第１のＣＵＢＳの少なくとも一部分および第２のＣＵＢＳの少なくとも一部分の送信の後に無認可無線周波数スペクトル帯域を介して行われるべき送信に含まれる信号のコピーを含み得る。いくつかの例では、信号は、復調基準信号（ＤＭ−ＲＳ）を含み得る。いくつかの例では、送信は、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを含み得る。
【００１７】
[0017]方法のいくつかの例では、第１のＣＵＢＳの少なくとも一部分および第２のＣＵＢＳの少なくとも一部分は、第１のＣＵＢＳの少なくとも一部分および第２のＣＵＢＳの少なくとも一部分の送信の後に、無認可無線周波数スペクトル帯域を介した第１の送信のために使用されるアンテナポートおよびプリコーダの同じセットを使用して、無認可無線周波数スペクトル帯域を介して送信され得る。方法のいくつかの例では、競合に勝つこと、および送信することは、ＵＥによって実行され得る。
【００１８】
[0018]一例では、ワイヤレス通信のための装置が説明される。一例では、装置は、無認可無線周波数スペクトル帯域へのアクセスのための競合に勝つための手段と、ＣＵＢＳの少なくとも一部分を、無認可無線周波数スペクトル帯域を介して送信するための手段とを含み得る。ＣＵＢＳの少なくとも一部分は、無認可無線周波数スペクトル帯域のいくつかの周波数インターレースにおいて送信され得る。
【００１９】
[0019]装置のいくつかの例では、ＣＵＢＳの少なくとも一部分を、無認可無線周波数スペクトル帯域を介して送信するための手段は、第１のＣＵＢＳの少なくとも一部分と第２のＣＵＢＳの少なくとも一部分とを、無認可無線周波数スペクトル帯域を介して送信するための手段を含み得、送信することは、第１のシンボル期間の少なくとも分数期間を含むプリアンブルの間に行われ得る。第１のＣＵＢＳは、第２のＣＵＢＳと異なり得る。
【００２０】
[0020]装置のいくつかの例では、第１のシンボル期間は、複数のサブ期間を含み得、送信するための手段は、無認可無線周波数スペクトル帯域へのアクセスのための競合に勝つことに後続する、いくつかの完全なサブ期間の各々の中で、第１のＣＵＢＳのインスタンスを送信することを含み得る。これらの例では、第１のＣＵＢＳのインスタンスが第１のＣＵＢＳまたは第２のＣＵＢＳの別のインスタンスと境を接するとき、第１のＣＵＢＳは、時間領域における滑らかさをもたらす周期的なゼロ交差を含み得る。
【００２１】
[0021]装置のいくつかの例では、プリアンブルは、第１のシンボル期間に後続する第２のシンボル期間を含み得、送信するための手段は、第１のシンボル期間の分数期間の間に、第１のＣＵＢＳの冒頭部分を送信し、第２のシンボル期間の間に、第２のＣＵＢＳを送信するための手段を含み得る。
【００２２】
[0022]装置のいくつかの例では、プリアンブルは、第１のシンボル期間に後続する第２のシンボル期間を含み得、装置は、第２のＣＵＢＳを第２のシンボル期間と時間整合させるための手段をさらに含み得る。これらの例では、送信するための手段は、第１のシンボル期間の分数期間および第２のシンボル期間の第１の部分にわたって、第１のＣＵＢＳを送信するための手段と、第２のシンボル期間の第２の部分の間に、時間整合された第２のＣＵＢＳの末尾部分を送信するための手段とを含み得る。
【００２３】
[0023]装置のいくつかの例では、プリアンブルは、第１のシンボル期間に後続する第２のシンボル期間と、第２のシンボル期間に後続する第３のシンボル期間とを含み得る。これらの例では、送信するための手段は、第１のシンボル期間の分数期間および第２のシンボル期間の第１の部分にわたって、第１のＣＵＢＳを送信するための手段と、第２のシンボル期間の第２の部分の間に、第１のＣＵＢＳの冒頭部分を送信するための手段と、第３のシンボル期間の間に、第２のＣＵＢＳを送信するための手段とを含み得る。
【００２４】
[0024]装置のいくつかの例では、プリアンブルは、第１のシンボル期間に後続する第２のシンボル期間を含み得、装置は、第１のＣＵＢＳを第１のシンボル期間と時間整合させるための手段をさらに含み得る。これらの例では、送信するための手段は、第１のシンボル期間の分数期間の間に、時間整合された第１のＣＵＢＳの末尾部分を送信するための手段と、第２のシンボル期間の間に、第２のＣＵＢＳを送信するための手段とを含み得る。
【００２５】
[0025]いくつかの例では、装置は、第１のＣＵＢＳの少なくとも一部分と第２のＣＵＢＳの少なくとも一部分との送信接合部において、ウィンドウ処理およびオーバーラップ加算演算を実行するための手段を含み得る。いくつかの例では、装置は、第１のＣＵＢＳの少なくとも一部分の送信の始まりにおいて、ウィンドウ処理およびオーバーラップ加算演算を実行するための手段を含み得る。装置のいくつかの例では、第１のＣＵＢＳおよび第２のＣＵＢＳの各々は、１つのシンボル期間の持続時間を含み得る。
【００２６】
[0026]装置のいくつかの例では、第２のＣＵＢＳは、第１のＣＵＢＳの少なくとも一部分および第２のＣＵＢＳの少なくとも一部分の送信の後に（subsequent to）無認可無線周波数スペクトル帯域を介して行われるべき送信に含まれる信号のコピーを含み得る。いくつかの例では、信号は、復調基準信号（ＤＭ−ＲＳ）を含み得る。いくつかの例では、送信は、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを含み得る。
【００２７】
[0027]装置のいくつかの例では、第１のＣＵＢＳの少なくとも一部分および第２のＣＵＢＳの少なくとも一部分は、第１のＣＵＢＳの少なくとも一部分および第２のＣＵＢＳの少なくとも一部分の送信の後に、無認可無線周波数スペクトル帯域を介した第１の送信のために使用されるアンテナポートおよびプリコーダの同じセットを使用して、無認可無線周波数スペクトル帯域を介して送信され得る。装置のいくつかの例では、装置は、ユーザ機器（ＵＥ）を含み得る。
【００２８】
[0028]一例では、ワイヤレス通信のための別の装置が説明される。一例では、装置は、プロセッサと、プロセッサと電子通信しているメモリとを含み得、プロセッサおよびメモリは、無認可無線周波数スペクトル帯域へのアクセスのための競合に勝つことと、ＣＵＢＳの少なくとも一部分を、無認可無線周波数スペクトル帯域を介して送信することとを行うように構成される。ＣＵＢＳの少なくとも一部分は、無認可無線周波数スペクトル帯域のいくつかの周波数インターレースにおいて送信され得る。
【００２９】
[0029]装置のいくつかの例では、プロセッサおよびメモリがＣＵＢＳの少なくとも一部分を、無認可無線周波数スペクトル帯域を介して送信するように構成され得ることは、第１のＣＵＢＳの少なくとも一部分と第２のＣＵＢＳの少なくとも一部分とを、無認可無線周波数スペクトル帯域を介して送信することを含み得、送信することは、第１のシンボル期間の少なくとも分数期間を含むプリアンブルの間に行われ得る。第１のＣＵＢＳは、第２のＣＵＢＳと異なり得る。
【００３０】
[0030]装置のいくつかの例では、第１のシンボル期間は、複数のサブ期間を含み得、送信するように構成されたプロセッサおよびメモリは、無認可無線周波数スペクトル帯域へのアクセスのための競合に勝つことに後続する、いくつかの完全なサブ期間の各々の中で、第１のＣＵＢＳのインスタンスを送信することを含み得る。これらの例では、第１のＣＵＢＳのインスタンスが第１のＣＵＢＳまたは第２のＣＵＢＳの別のインスタンスと境を接するとき、第１のＣＵＢＳは、時間領域における滑らかさをもたらす周期的なゼロ交差を含み得る。
【００３１】
[0031]装置のいくつかの例では、プリアンブルは、第１のシンボル期間に後続する第２のシンボル期間を含み得、送信するように構成されたプロセッサおよびメモリは、第１のシンボル期間の分数期間の間に、第１のＣＵＢＳの冒頭部分を送信し、第２のシンボル期間の間に、第２のＣＵＢＳを送信するように、プロセッサによって実行可能な命令を含み得る。
【００３２】
[0032]装置のいくつかの例では、プリアンブルは、第１のシンボル期間に後続する第２のシンボル期間を含み得、プロセッサおよびメモリは、第１のＣＵＢＳを第１のシンボル期間と時間整合させるように構成され得る。これらの例では、時間整合させるように構成されたプロセッサおよびメモリが、送信するようにプロセッサによって実行可能な命令を含み得ることは、第１のシンボル期間の分数期間の間に、時間整合された第１のＣＵＢＳの末尾部分を送信し、第２のシンボル期間の間に第２のＣＵＢＳを送信するように、プロセッサによって実行可能な命令を備える。
【００３３】
[0033]装置のいくつかの例では、プロセッサおよびメモリは、第１のＣＵＳの少なくとも一部分と第２のＣＵＢＳの少なくとも一部分との送信接合部において、ウィンドウ処理およびオーバーラップ加算演算を実行するように構成され得る。装置のいくつかの例では、プロセッサおよびメモリは、第１のＣＵＢＳの少なくとも一部分の送信の始まりにおいて、ウィンドウ処理およびオーバーラップ加算演算を実行するように構成され得る。いくつかの例では、装置は、ユーザ機器（ＵＥ）を含み得る。
【００３４】
[0034]一例では、ワイヤレス通信のためのコンピュータ実行可能コードを記憶する非一時的コンピュータ可読媒体が説明される。一例では、コードは、プロセッサによって、無認可無線周波数スペクトル帯域へのアクセスのための競合に勝つことと、ＣＵＢＳの少なくとも一部分を、無認可無線周波数スペクトル帯域を介して送信することとを行うように実行可能であり得る。ＣＵＢＳの少なくとも一部分は、無認可無線周波数スペクトル帯域のいくつかの周波数インターレースにおいて送信され得る。
【００３５】
[0035]いくつかの例では、非一時的コンピュータ可読媒体は、ＣＵＢＳの少なくとも一部分を、無認可無線周波数スペクトル帯域を介して送信するように、プロセッサによって実行可能なコードを含み得る。これらの例では、コードは、第１のＣＵＢＳの少なくとも一部分と第２のＣＵＢＳの少なくとも一部分とを、無認可無線周波数帯域を介して送信するように、プロセッサによって実行可能なコードを含み得る。これらの例では、送信することは、第１のシンボル期間の少なくとも分数期間を備えるプリアンブルの間に行われ得、第１のＣＵＢＳは、第２のＣＵＢＳと異なり得る。
【００３６】
[0036]いくつかの例では、ＣＵＢＳの少なくとも一部分を、無認可無線周波数スペクトル帯域を介して送信するように、プロセッサによって実行可能なコードは、第１のＣＵＢＳの少なくとも一部分と第２のＣＵＢＳの少なくとも一部分とを、無認可無線周波数スペクトル帯域を介して送信するように、プロセッサによって実行可能なコードを含み得る。いくつかの例では、送信することは、第１のシンボル期間の少なくとも分数期間を備えるプリアンブルの間に行われ得、第１のＣＵＢＳは、第２のＣＵＢＳと異なる。
【００３７】
[0037]非一時的コンピュータ可読媒体のいくつかの例では、第１のシンボル期間は、複数のサブ期間を含み得、送信するようにプロセッサによって実行可能なコードは、無認可無線周波数スペクトル帯域へのアクセスのための競合に勝つことに後続する、いくつかの完全なサブ期間の各々の中で、第１のＣＵＢＳのインスタンスを送信するためのコードを含み得る。
【００３８】
[0038]非一時的コンピュータ可読媒体のいくつかの例では、プリアンブルは、第１のシンボル期間に後続する第２のシンボル期間を含み得る。これらの例では、送信するようにプロセッサによって実行可能なコードは、第１のシンボル期間の分数期間の間に、第１のＣＵＢＳの冒頭部分を送信し、第２のシンボル期間の間に、第２のＣＵＢＳを送信するように、プロセッサによって実行可能なコードを含み得る。
【００３９】
[0039]非一時的コンピュータ可読媒体のいくつかの例では、プリアンブルは、第１のシンボル期間に後続する第２のシンボル期間を含み得る。これらの例では、コードは、プロセッサによって、第１のＣＵＢＳを第１のシンボル期間と時間整合させるように実行可能であり得る。これらの例では、送信するようにプロセッサによって実行可能なコードは、第１のシンボル期間の分数期間の間に、時間整合された第１のＣＵＢＳの末尾部分を送信し、第２のシンボル期間の間に、第２のＣＵＢＳを送信するように、プロセッサによって実行可能なコードを備える。
【００４０】
[0040]一例では、ワイヤレス通信のための別の方法が説明される。一例では、方法は、無認可無線周波数スペクトル帯域へのアクセスのための競合に勝つことと、次のシンボル期間境界の前のしきい値時間内に競合に勝ったかどうかを決定することと、ＣＵＢＳの少なくとも一部分を、無認可無線周波数スペクトル帯域を介して送信することとを含み得る。ＣＵＢＳの少なくとも一部分は、第１のシンボル期間の分数期間を含むプリアンブルの間に送信され得る。ＣＵＢＳの少なくとも一部分は、決定することに少なくとも部分的に基づき得る。
【００４１】
[0041]方法のいくつかの例では、次のシンボル期間境界の前のしきい値時間内に競合に勝ち得、プリアンブルは、第１のシンボル期間の分数期間に後続する第２のシンボル期間を含み得、ＣＵＢＳの少なくとも一部分は、第２のシンボル期間の間に送信され得る。
【００４２】
[0042]方法のいくつかの例では、次のシンボル期間境界の前のしきい値時間内に競合に勝ち得、プリアンブルは、第１のシンボル期間の分数期間に後続する第２のシンボル期間を含み得、ＣＵＢＳの少なくとも一部分は、第１のシンボル期間の分数期間および第２のシンボル期間の第１の部分にわたって送信される第１のＣＵＢＳを含み得る。これらの例では、方法は、第２のＣＵＢＳを第２のシンボル期間と時間整合させることと、第２のシンボル期間の第２の部分の間に、無認可無線周波数スペクトル帯域を介して、時間整合された第２のＣＵＢＳの末尾部分を送信することとをさらに含み得る。
【００４３】
[0043]方法のいくつかの例では、次のシンボル期間境界の前のしきい値時間内に競合に勝ち得、プリアンブルは、第１のシンボル期間の分数期間に後続する第２のシンボル期間と第３のシンボル期間とを含み得、ＣＵＢＳの少なくとも一部分は、第１のシンボル期間の分数期間および第２のシンボル期間の第１の部分にわたって送信される第１のＣＵＢＳを含み得る。これらの例では、方法は、第２のシンボル期間の第２の部分の間に、無認可無線周波数スペクトル帯域を介して、第１のＣＵＢＳの冒頭部分を送信することと、第３のシンボル期間の間に、無認可無線周波数スペクトル帯域を介して、第２のＣＵＢＳを送信することとをさらに含み得る。
【００４４】
[0044]方法のいくつかの例では、次のシンボル期間境界の前のしきい値時間内に競合に勝ち得、プリアンブルは、第１のシンボル期間の分数期間に後続する第２のシンボル期間を含み得、ＣＵＢＳは、第１のＣＵＢＳを含み得る。これらの例では、方法は、第１のＣＵＢＳを第１のシンボル期間と時間整合させることと、第１のシンボル期間の分数期間の間に、無認可無線周波数スペクトル帯域を介して、時間整合された第１のＣＵＢＳの末尾部分を送信することと、第２のシンボル期間の間に、無認可無線周波数スペクトル帯域を介して、第２のＣＵＢＳを送信することとを促進し得る。
【００４５】
[0045]方法のいくつかの例では、競合に勝つこと、および送信することは、ＵＥによって実行され得る。
【００４６】
[0046]一例では、ワイヤレス通信のための別の装置が説明される。一例では、装置は、無認可無線周波数スペクトル帯域へのアクセスのための競合に勝つための手段と、次のシンボル期間境界の前のしきい値時間内に競合に勝ったかどうかを決定するための手段と、ＣＵＢＳの少なくとも一部分を、無認可無線周波数スペクトル帯域を介して送信するための手段とを含み得る。ＣＵＢＳの少なくとも一部分は、第１のシンボル期間の分数期間を含むプリアンブルの間に送信され得る。ＣＵＢＳの少なくとも一部分は、決定することに少なくとも部分的に基づき得る。
【００４７】
[0047]いくつかの例では、装置は、次のシンボル期間境界の前のしきい値時間内に競合に勝つための手段を含み得る。プリアンブルは、第１のシンボル期間の分数期間に後続する第２のシンボル期間を含み得、ＣＵＢＳの少なくとも一部分は、第２のシンボル期間の間に送信され得る。
【００４８】
[0048]いくつかの例では、装置は、次のシンボル期間境界の前のしきい値時間内に競合に勝つための手段を含み得る。これらの例では、プリアンブルは、第１のシンボル期間の分数期間に後続する第２のシンボル期間を含み得る。これらの例では、ＣＵＢＳの少なくとも一部分は、第１のシンボル期間の分数期間および第２のシンボル期間の第１の部分にわたって送信される第１のＣＵＢＳを含み得る。これらの例では、装置は、第２のＣＵＢＳを第２のシンボル期間と時間整合させるための手段と、第２のシンボル期間の第２の部分の間に、無認可無線周波数スペクトル帯域を介して、時間整合された第２のＣＵＢＳの末尾部分を送信するための手段とをさらに含み得る。
【００４９】
[0049]いくつかの例では、装置は、次のシンボル期間境界の前のしきい値時間内に競合に勝つ手段を含み得る。これらの例では、装置はまた、第１のシンボル期間の分数期間に後続する第２のシンボル期間と第３のシンボル期間とを含み得る。これらの例では、ＣＵＢＳの少なくとも一部分は、第１のシンボル期間の分数期間および第２のシンボル期間の第１の部分にわたって送信される第１のＣＵＢＳを含み得る。これらの例では、装置は、第２のシンボル期間の第２の部分の間に、無認可無線周波数スペクトル帯域を介して、第１のＣＵＢＳの冒頭部分を送信するための手段と、第３のシンボル期間の間に、無認可無線周波数スペクトル帯域を介して、第２のＣＵＢＳを送信するための手段とをさらに含み得る。
【００５０】
[0050]装置のいくつかの例では、次のシンボル期間境界の前のしきい値時間内に競合に勝ち得、プリアンブルは、第１のシンボル期間の分数期間に後続する第２のシンボル期間を含み得る。これらの例では、ＣＵＢＳは、第１のＣＵＢＳを含み得る。装置は、第１のＣＵＢＳを第１のシンボル期間と時間整合させるための手段と、第１のシンボル期間の分数期間の間に、無認可無線周波数スペクトル帯域を介して、時間整合された第１のＣＵＢＳの末尾部分を送信するための手段と、第２のシンボル期間の間に、無認可無線周波数スペクトル帯域を介して、第２のＣＵＢＳを送信するための手段とをさらに含み得る。いくつかの例では、装置は、ユーザ機器（ＵＥ）を含み得る。
【００５１】
[0051]一例では、ワイヤレス通信のための別の装置が説明される。一例では、装置は、プロセッサと、プロセッサと電子通信しているメモリとを含み得、プロセッサおよびメモリは、無認可無線周波数スペクトル帯域へのアクセスのための競合に勝つことと、次のシンボル期間境界の前のしきい値時間内に競合に勝ったかどうかを決定することと、ＣＵＢＳの少なくとも一部分を、無認可無線周波数スペクトル帯域を介して送信することとを行うように構成される。ＣＵＢＳの少なくとも一部分は、第１のシンボル期間の分数期間を含むプリアンブルの間に送信され得る。ＣＵＢＳの少なくとも一部分は、決定することに少なくとも部分的に基づき得る。
【００５２】
[0052]装置のいくつかの例では、次のシンボル期間境界の前のしきい値時間内に競合に勝ち得る。これらの例では、プリアンブルは、第１のシンボル期間の分数期間に後続する第２のシンボル期間を含み得、ＣＵＢＳの少なくとも一部分は、第１のシンボル期間の分数期間および第２のシンボル期間の第１の部分にわたって送信される第１のＣＵＢＳを含み得備える。プロセッサおよびメモリは、第２のＣＵＢＳを第２のシンボル期間と時間整合させ、第２のシンボル期間の第２の部分の間に、無認可無線周波数スペクトル帯域を介して、時間整合された第２のＣＵＢＳの末尾部分を送信するように構成され得る。
【００５３】
[0053]装置のいくつかの例では、次のシンボル期間境界の前のしきい値時間内に競合に勝ち得る。これらの例では、プリアンブルは、第１のシンボル期間の分数期間に後続する第２のシンボル期間と第３のシンボル期間とを含み得、ＣＵＢＳの少なくとも一部分は、第１のシンボル期間の分数期間および第２のシンボル期間の第１の部分にわたって送信される第１のＣＵＢＳを含み得る。これらの例では、プロセッサおよびメモリは、第２のシンボル期間の第２の部分の間に、無認可無線周波数スペクトル帯域を介して、第１のＣＵＢＳの冒頭部分を送信し、第３のシンボル期間の間に、無認可無線周波数スペクトル帯域を介して、第２のＣＵＢＳを送信するように構成され得る。
【００５４】
[0054]装置のいくつかの例では、次のシンボル期間境界の前のしきい値時間内に競合に勝ち得る。これらの例では、プリアンブルは、第１のシンボル期間の分数期間に後続する第２のシンボル期間を含み得、ＣＵＢＳは、第１のＣＵＢＳを含み得る。これらの例では、プロセッサおよびメモリは、第１のＣＵＢＳを第１のシンボル期間と時間整合させ、第１のシンボル期間の分数期間の間に、無認可無線周波数スペクトル帯域を介して、時間整合された第１のＣＵＢＳの末尾部分を送信し、第２のシンボル期間の間に、無認可無線周波数スペクトル帯域を介して、第２のＣＵＢＳを送信するように構成され得る。
【００５５】
[0055]一例では、ワイヤレス通信のためのコンピュータ実行可能コードを記憶する別の非一時的コンピュータ可読媒体が説明される。一例では、コードは、プロセッサによって、無認可無線周波数スペクトル帯域へのアクセスのための競合に勝つことと、次のシンボル期間境界の前のしきい値時間内に競合に勝ったかどうかを決定することと、ＣＵＢＳの少なくとも一部分を、無認可無線周波数スペクトル帯域を介して送信することとを行うように実行可能であり得る。ＣＵＢＳの少なくとも一部分は、第１のシンボル期間の分数期間を含むプリアンブルの間に送信され得る。ＣＵＢＳの少なくとも一部分は、決定することに少なくとも部分的に基づき得る。
【００５６】
[0056]非一時的コンピュータ可読媒体のいくつかの例では、次のシンボル期間境界の前のしきい値時間内に競合に勝ち得る。これらの例では、プリアンブルは、第１のシンボル期間の分数期間に後続する第２のシンボル期間を含み得、ＣＵＢＳの少なくとも一部分は、第１のシンボル期間の分数期間および第２のシンボル期間の第１の部分にわたって送信される第１のＣＵＢＳを含み得る。これらの例では、コードは、プロセッサによって、第２のＣＵＢＳを第２のシンボル期間と時間整合させ、第２のシンボル期間の第２の部分の間に、無認可無線周波数スペクトル帯域を介して、時間整合された第２のＣＵＢＳの末尾部分を送信するように実行可能であり得る。
【００５７】
[0057]非一時的コンピュータ可読媒体のいくつかの例では、次のシンボル期間境界の前のしきい値時間内に競合に勝ち得る。これらの例では、プリアンブルは、第１のシンボル期間の分数期間に後続する第２のシンボル期間と第３のシンボル期間とを含み得、ＣＵＢＳの少なくとも一部分は、第１のシンボル期間の分数期間および第２のシンボル期間の第１の部分にわたって送信される第１のＣＵＢＳを含み得る。これらの例では、コードは、プロセッサによって、第２のシンボル期間の第２の部分の間に、無認可無線周波数スペクトル帯域を介して、第１のＣＵＢＳの冒頭部分を送信し、第３のシンボル期間の間に、無認可無線周波数スペクトル帯域を介して、第２のＣＵＢＳを送信するように実行可能であり得る。
【００５８】
[0058]非一時的コンピュータ可読媒体のいくつかの例では、次のシンボル期間境界の前のしきい値時間内に競合に勝ち得る。これらの例では、プリアンブルは、第１のシンボル期間の分数期間に後続する第２のシンボル期間を含み得、ＣＵＢＳは、第１のＣＵＢＳを含み得る。コードは、プロセッサによって、第１のＣＵＢＳを第１のシンボル期間と時間整合させ、第１のシンボル期間の分数期間の間に、無認可無線周波数スペクトル帯域を介して、時間整合された第１のＣＵＢＳの末尾部分を送信し、第２のシンボル期間の間に、無認可無線周波数スペクトル帯域を介して、第２のＣＵＢＳを送信するように実行可能であり得る。
【００５９】
[0059]一例では、ワイヤレス通信のための別の方法が説明される。一例では、方法は、無認可無線周波数スペクトル帯域へのアクセスのための競合に勝つことと、ＣＵＢＳの一部分を選択することと、シンボル期間の分数期間の間に、無認可無線周波数スペクトル帯域を介して、ＣＵＢＳの一部分を送信することとを含み得る。ＣＵＢＳの一部分は、次のシンボル期間境界を基準として競合に勝つタイミングに少なくとも部分的に基づいて選択され得る。
【００６０】
[0060]いくつかの例では、方法は、ＣＵＢＳの少なくとも一部分の送信の後に無認可無線周波数スペクトル帯域を介して行われるべき送信に含まれる、複数のトーンを選択することと、離散フーリエ変換（ＤＦＴ）出力を複数のトーンにマッピングすることと、ＣＵＢＳを生成するために複数のトーンに対して逆高速フーリエ変換（ＩＦＦＴ）を実行することとを含み得る。
【００６１】
[0061]いくつかの例では、方法は、ランダムシーケンスを生成することと、ＤＦＴ出力を生成するためにランダムシーケンスに対してＤＦＴを実行することとを含み得る。いくつかの例では、ランダムシーケンスは、４相位相シフトキーイング（ＱＰＳＫ）シーケンスを含み得る。いくつかの例では、ランダムシーケンスは、一般化Ｚａｄｏｆｆ−Ｃｈｕシーケンスまたはチャープ様シーケンス（Generalized Zadoff-Chu or chirp-like sequences）のセットの中のシーケンスを含み得る。いくつかの例では、ランダムシーケンスは、ポリフェーズシーケンスを含み得る。いくつかの例では、複数のトーンは、１０個のトーンを含み得、ランダムシーケンスは、ある長さの１０個の項を有し得、ランダムシーケンスに対して実行されるＤＦＴは長さが１０であり得る。
【００６２】
[0062]いくつかの例では、方法は、ランダムシーケンスを生成することと、中間的な出力を生成するためにランダムシーケンスに対してＤＦＴを実行することと、ＤＦＴ出力を生成するために中間的な出力をダウンサンプリングすることとを含み得る。方法のいくつかの例では、ＣＵＢＳの一部分の送信の後に無認可無線周波数スペクトル帯域を介して行われるべき送信は、ＰＵＳＣＨ、ＰＵＣＣＨ、ＰＲＡＣＨ、ＳＲＳ、またはＳＲのうちの少なくとも１つを含み得る。方法のいくつかの例では、複数のトーンを選択することは、ＣＵＢＳの一部分の送信の後に無認可無線周波数スペクトル帯域を介して行われるべき送信に割り振られたリソースブロックの、中央におけるトーンを選択することを含み得る。方法のいくつかの例では、複数のトーンを選択することは、ＣＵＢＳの一部分の送信の後に無認可無線周波数スペクトル帯域を介して行われるべき送信に割り振られた連続するリソースブロッククラスタの、中央におけるトーンを選択することを含み得る。方法のいくつかの例では、複数のトーンは、無認可無線周波数スペクトル帯域の中で均一な周波数間隔を有し得る。方法のいくつかの例では、複数のトーンは、無認可無線周波数スペクトル帯域の中で不均一な周波数間隔を有する。
【００６３】
[0063]いくつかの例では、方法は、ＣＵＢＳの一部分とその後送信される信号との送信接合部に対して、ウィンドウ処理およびオーバーラップ加算演算を実行することを含み得る。いくつかの例では、方法は、ＣＵＢＳの一部分の送信の始まりに対して、ウィンドウ処理およびオーバーラップ加算演算を実行することを含み得る。方法のいくつかの例では、競合、および送信することは、ＵＥによって実行され得る。方法のいくつかの例では、ＣＵＢＳの一部分は、ＣＵＢＳの冒頭部分を含み得る。方法のいくつかの例では、ＣＵＢＳの一部分は、ＣＵＢＳの末尾部分を含み得る。
【００６４】
[0064]一例では、ワイヤレス通信のための別の装置が説明される。一例では、装置は、無認可無線周波数スペクトル帯域へのアクセスのための競合に勝つための手段と、ＣＵＢＳの一部分を選択するための手段と、シンボル期間の分数期間の間に、無認可無線周波数スペクトル帯域を介して、ＣＵＢＳの一部分を送信するための手段とを含み得る。ＣＵＢＳの一部分は、次のシンボル期間境界を基準として競合に勝つタイミングに少なくとも部分的に基づいて選択され得、装置はまた、シンボル期間の分数期間の間に、無認可無線周波数スペクトル帯域を介して、ＣＵＢＳの一部分を送信するための手段を含み得る。
【００６５】
[0065]いくつかの例では、装置は、ＣＵＢＳの少なくとも一部分の送信の後に無認可無線周波数スペクトル帯域を介して行われるべき送信に含まれる、複数のトーンを選択するための手段を含み得る。これらの例では、装置はまた、離散フーリエ変換（ＤＦＴ）出力を複数のトーンにマッピングするための手段と、ＣＵＢＳを生成するために複数のトーンに対して逆高速フーリエ変換（ＩＦＦＴ）を実行するための手段とを含み得る。
【００６６】
[0066]いくつかの例では、装置は、ランダムシーケンスを生成するための手段と、ＤＦＴ出力を生成するためにランダムシーケンスに対してＤＦＴを実行するための手段とを含み得る。
【００６７】
[0067]いくつかの例では、ランダムシーケンスは、４相位相シフトキーイング（ＱＰＳＫ）シーケンスを含み得る。いくつかの例では、ランダムシーケンスは、一般化Ｚａｄｏｆｆ−Ｃｈｕシーケンスまたはチャープ様シーケンスのセットの中のシーケンスを含み得る。いくつかの例では、ランダムシーケンスは、ポリフェーズシーケンスを含み得る。いくつかの例では、複数のトーンは、１０個のトーンを含み得、ランダムシーケンスは、ある長さの１０個の項を有し得、ランダムシーケンスに対して実行されるＤＦＴは長さが１０であり得る。
【００６８】
[0068]いくつかの例では、装置は、ランダムシーケンスを生成し、中間的な出力を生成するためにランダムシーケンスに対してＤＦＴを実行し、ＤＦＴ出力を生成するために中間的な出力をダウンサンプリングするための手段を含み得る。装置のいくつかの例では、ＣＵＢＳの一部分の送信の後に無認可無線周波数スペクトル帯域を介して行われるべき送信は、ＰＵＳＣＨ、ＰＵＣＣＨ、ＰＲＡＣＨ、ＳＲＳ、またはＳＲのうちの少なくとも１つを含み得る。装置のいくつかの例では、複数のトーンを選択するための手段は、ＣＵＢＳの一部分の送信の後に無認可無線周波数スペクトル帯域を介して行われるべき送信に割り振られたリソースブロックの、中央におけるトーンを選択することを含み得る。装置のいくつかの例では、複数のトーンを選択するための手段は、ＣＵＢＳの一部分の送信の後に無認可無線周波数スペクトル帯域を介して行われるべき送信に割り振られた連続するリソースブロッククラスタの、中央におけるトーンを選択するための手段を含み得る。装置のいくつかの例では、複数のトーンは、無認可無線周波数スペクトル帯域の中で均一な周波数間隔を有し得る。装置のいくつかの例では、複数のトーンは、無認可無線周波数スペクトル帯域の中で不均一な周波数間隔を有し得る。
【００６９】
[0069]いくつかの例では、装置は、ＣＵＢＳの一部分とその後送信される信号との送信接合部に対して、ウィンドウ処理およびオーバーラップ加算演算を実行するための手段を含み得る。いくつかの例では、装置は、ＣＵＢＳの一部分の送信の始まりに対して、ウィンドウ処理およびオーバーラップ加算演算を実行するための手段を含み得る。装置のいくつかの例では、競合、および送信することは、ＵＥによって実行され得る。装置のいくつかの例では、ＣＵＢＳの一部分は、ＣＵＢＳの冒頭部分を含み得る。装置のいくつかの例では、ＣＵＢＳの一部分は、ＣＵＢＳの末尾部分を含み得る。
【００７０】
[0070]一例では、ワイヤレス通信のための別の装置が説明される。一例では、装置は、プロセッサと、プロセッサと電子通信しているメモリとを含み得、プロセッサおよびメモリは、無認可無線周波数スペクトル帯域へのアクセスのための競合に勝つことと、ＣＵＢＳの一部分を選択することと、シンボル期間の分数期間の間に、無認可無線周波数スペクトル帯域を介して、ＣＵＢＳの一部分を送信することとを行うように構成され得る。ＣＵＢＳの一部分は、次のシンボル期間境界を基準として競合に勝つタイミングに少なくとも部分的に基づいて選択され得る。
【００７１】
[0071]いくつかの例では、プロセッサおよびメモリは、ＣＵＢＳの少なくとも一部分の送信の後に無認可無線周波数スペクトル帯域を介して行われるべき送信に含まれる、複数のトーンを選択し、離散フーリエ変換（ＤＦＴ）出力を複数のトーンにマッピングし、ＣＵＢＳを生成するために複数のトーンに対して逆高速フーリエ変換（ＩＦＦＴ）を実行するように構成され得る。
【００７２】
[0072]いくつかの例では、プロセッサおよびメモリは、ランダムシーケンスを生成し、ＤＦＴ出力を生成するためにランダムシーケンスに対してＤＦＴを実行するように構成され得る。これらの例では、ＣＵＢＳの一部分の送信の後に無認可無線周波数スペクトル帯域を介して行われるべき送信は、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを含み得る。
【００７３】
[0073]いくつかの例では、複数のトーンを選択するように構成されたプロセッサおよびメモリは、ＣＵＢＳの一部分の送信の後に無認可無線周波数スペクトル帯域を介して行われるべき送信に割り振られたリソースブロックの、中央におけるトーンを選択するように、プロセッサによって実行可能な命令を含み得る。いくつかの例では、複数のトーンを選択するように構成されたプロセッサおよびメモリは、ＣＵＢＳの一部分の送信の後に無認可無線周波数スペクトル帯域を介して行われるべき送信に割り振られた連続するリソースブロッククラスタの、中央におけるトーンを選択するように、プロセッサによって実行可能な命令を含み得る。
【００７４】
[0074]装置のいくつかの例では、プロセッサおよびメモリは、ＣＵＢＳの一部分とその後送信される信号との送信接合部に対して、ウィンドウ処理およびオーバーラップ加算演算を実行するように構成され得る。装置のいくつかの例では、プロセッサおよびメモリは、ＣＵＢＳの一部分の送信の始まりに対して、ウィンドウ処理およびオーバーラップ加算演算を実行するように構成され得る。いくつかの例では、ＣＵＢＳの一部分は、ＣＵＢＳの冒頭部分を含み得る。いくつかの例では、ＣＵＢＳの一部分は、ＣＵＢＳの末尾部分を含み得る。
【００７５】
[0075]一例では、ワイヤレス通信のためのコンピュータ実行可能コードを記憶する別の非一時的コンピュータ可読媒体が説明される。一例では、コードは、プロセッサによって、無認可無線周波数スペクトル帯域へのアクセスのための競合に勝つことと、ＣＵＢＳの一部分を選択することと、シンボル期間の分数期間の間に、無認可無線周波数スペクトル帯域を介して、ＣＵＢＳの一部分を送信することとを行うように実行可能であり得る。ＣＵＢＳの一部分は、次のシンボル期間境界を基準として競合に勝つタイミングに少なくとも部分的に基づいて選択され得る。
【００７６】
[0076]いくつかの例では、非一時的コンピュータ可読媒体は、プロセッサによって、ＣＵＢＳの少なくとも一部分の送信の後に無認可無線周波数スペクトル帯域を介して行われるべき送信に含まれる、複数のトーンを選択し、離散フーリエ変換（ＤＦＴ）出力を複数のトーンにマッピングし、ＣＵＢＳを生成するために複数のトーンに対して逆高速フーリエ変換（ＩＦＦＴ）を実行するように実行可能であり得るコードを含み得る。
【００７７】
[0077]いくつかの例では、非一時的コンピュータ可読媒体は、プロセッサによって、ランダムシーケンスを生成し、ＤＦＴ出力を生成するためにランダムシーケンスに対してＤＦＴを実行するように実行可能であり得るコードを含み得る。
【００７８】
[0078]一例では、ワイヤレス通信のための別の方法が説明される。一例では、方法は、いくつかのＵＥの各々からＣＵＢＳを受信することと、いくつかのＵＥの各々の識別子を、受信されたＣＵＢＳから決定することとを含み得る。各ＣＵＢＳは、無認可無線周波数スペクトル帯域の複数の周波数インターレースのうちの１つにおいて受信され得る。
【００７９】
[0079]方法のいくつかの例では、第１のＣＵＢＳの一部分および第２のＣＵＢＳが、第１のＵＥから受信され得、第１のＵＥの第１の識別子は、第２のＣＵＢＳから決定され得る。方法のいくつかの例では、第１のＵＥから受信されるＣＵＢＳの第１のセットの構造は、第２のＵＥから受信されるＣＵＢＳの第２のセットの構造と異なり得る。
【００８０】
[0080]一例では、ワイヤレス通信のための別の装置が説明される。一例では、装置は、いくつかのＵＥの各々からＣＵＢＳを受信するための手段と、いくつかのＵＥの各々の識別子を、受信されたＣＵＢＳから決定するための手段とを含み得る。各ＣＵＢＳは、無認可無線周波数スペクトル帯域の複数の周波数インターレースのうちの１つにおいて受信され得る。
【００８１】
[0081]装置のいくつかの例では、第１のＣＵＢＳの一部分および第２のＣＵＢＳが、第１のＵＥから受信され得る。これらの例では、第１のＵＥの第１の識別子は、第２のＣＵＢＳから決定される。いくつかの例では、装置は、第２のＵＥから受信されるＣＵＢＳの第２のセットの構造と異なる、第１のＵＥから受信されるＣＵＢＳの第１のセットの構造を含み得る。
【００８２】
[0082]一例では、ワイヤレス通信のための別の装置が説明される。一例では、装置は、プロセッサと、プロセッサと電子通信しているメモリと、メモリに記憶された命令とを含み得る。命令は、プロセッサによって、いくつかのＵＥの各々からＣＵＢＳを受信することと、いくつかのＵＥの各々の識別子を、受信されたＣＵＢＳから決定することとを行うように実行可能であり得る。各ＣＵＢＳは、無認可無線周波数スペクトル帯域の複数の周波数インターレースのうちの１つにおいて受信され得る。
【００８３】
[0083]装置のいくつかの例では、第１のＣＵＢＳの一部分および第２のＣＵＢＳが、第１のＵＥから受信され得、第１のＵＥの第１の識別子は、第２のＣＵＢＳから決定され得る。装置のいくつかの例では、第１のＣＵＢＳの一部分および第２のＣＵＢＳが、第１のＵＥから受信され得、第１のＵＥの第１の識別子は、第２のＣＵＢＳから決定され得る。
【００８４】
[0084]一例では、ワイヤレス通信のためのコンピュータ実行可能コードを記憶する別の非一時的コンピュータ可読媒体が説明される。一例では、コードは、プロセッサによって、いくつかのＵＥの各々からＣＵＢＳを受信することと、いくつかのＵＥの各々の識別子を、受信されたＣＵＢＳから決定することとを行うように実行可能であり得る。各ＣＵＢＳは、無認可無線周波数スペクトル帯域の複数の周波数インターレースのうちの１つにおいて受信され得る。
【００８５】
[0085]いくつかの例では、非一時的コンピュータ可読媒体は、第１のＣＵＢＳの一部分と第２のＣＵＢＳとを含み得る。これらの例では、第１のＣＵＢＳの一部分および第２のＣＵＢＳは、第１のＵＥから受信され得、第１のＵＥの第１の識別子は、第２のＣＵＢＳから決定される。いくつかの例では、非一時的コンピュータ可読媒体は、第２のＵＥから受信されるＣＵＢＳの第２のセットの構造と異なる、第１のＵＥから受信されるＣＵＢＳの第１のセットの構造を含み得る。
【００８６】
[0086]上記は、以下の発明を実施するための形態がより良く理解され得るように、本開示による例の特徴および技術的利点をかなり広く概説した。さらなる特徴および利点が以下で説明される。開示する概念および具体例は、本開示の同じ目的を実行するための他の構造を修正または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００８７】
[0087]本開示の性質および利点のさらなる理解は、以下の図面を参照することによって実現され得る。添付の図面では、同様の構成要素または特徴は、同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書で使用される場合、説明は、第２の参照ラベルにかかわらず、同じ第１の参照ラベルを有する同様の構成要素のうちのいずれか１つに適用可能である。
【図面の簡単な説明】
【００８８】
【図１】[0088]本開示の様々な態様によるワイヤレス通信システムの一例を示す図。
【図２】[0089]本開示の様々な態様による、無認可無線周波数スペクトル帯域を使用する異なるシナリオの下でＬＴＥ（登録商標）／ＬＴＥ−Ａが展開され得るワイヤレス通信システムを示す図。
【図３】[0090]本開示の様々な態様による、無認可無線周波数スペクトル帯域を介したワイヤレス通信の一例を示す図。
【図４】[0091]本開示の様々な態様による、無認可無線周波数スペクトル帯域へのアクセスのために競合するとき、送信装置によって実行されるＣＣＡ手順の一例を示す図。
【図５】[0092]本開示の様々な態様による、無認可無線周波数スペクトル帯域へのアクセスのために競合するとき、送信装置によって実行される拡張ＣＣＡ（ＥＣＣＡ）手順の一例を示す図。
【図６】[0093]本開示の様々な態様による、無認可無線周波数スペクトル帯域を介したＣＵＢＳの例示的な送信を示すタイミング図。
【図７】[0094]本開示の様々な態様による、無認可無線周波数スペクトル帯域を介したＣＵＢＳの例示的な送信を示すタイミング図。
【図８】[0095]本開示の様々な態様による、第１のＣＵＢＳの少なくとも一部分および第２のＣＵＢＳの少なくとも一部分の例示的な送信を示すタイミング図。
【図９】[0096]本開示の様々な態様による、第１のＣＵＢＳの少なくとも一部分および第２のＣＵＢＳの少なくとも一部分の例示的な送信を示すタイミング図。
【図１０】[0097]本開示の様々な態様による、ＣＵＢＳの少なくとも一部分の例示的な送信を示すタイミング図。
【図１１】[0098]本開示の様々な態様による、無認可無線周波数スペクトル帯域を介したＣＵＢＳの例示的な送信を示すタイミング図。
【図１２】[0099]本開示の様々な態様による、ワイヤレス通信における使用のための装置のブロック図。
【図１３】[0100]本開示の様々な態様による、ワイヤレス通信における使用のための装置のブロック図。
【図１４】[0101]本開示の様々な態様による、ワイヤレス通信における使用のための装置のブロック図。
【図１５】[0102]本開示の様々な態様による、ワイヤレス通信における使用のための装置のブロック図。
【図１６】[0103]本開示の様々な態様による、ワイヤレス通信における使用のための装置のブロック図。
【図１７】[0104]本開示の様々な態様による、ワイヤレス通信における使用のための装置のブロック図。
【図１８】[0105]本開示の様々な態様による、ワイヤレス通信における使用のための装置のブロック図。
【図１９】[0106]本開示の様々な態様による、ワイヤレス通信における使用のためのＵＥのブロック図。
【図２０】[0107]本開示の様々な態様による、ワイヤレス通信における使用のための基地局（たとえば、ｅＮＢの一部またはすべてを形成する基地局）のブロック図。
【図２１】[0108]本開示の様々な態様による、基地局とＵＥとを含む多入力多出力（ＭＩＭＯ）通信システムのブロック図。
【図２２】[0109]本開示の様々な態様による、ワイヤレス通信のための方法の一例を示すフローチャート。
【図２３】[0110]本開示の様々な態様による、ワイヤレス通信のための方法の一例を示すフローチャート。
【図２４】[0111]本開示の様々な態様による、ワイヤレス通信のための方法の一例を示すフローチャート。
【図２５】[0112]本開示の様々な態様による、ワイヤレス通信のための方法の一例を示すフローチャート。
【図２６】[0113]本開示の様々な態様による、ワイヤレス通信のための方法の一例を示すフローチャート。
【図２７】[0114]本開示の様々な態様による、ワイヤレス通信のための方法の一例を示すフローチャート。
【図２８】[0115]本開示の様々な態様による、ワイヤレス通信のための方法の一例を示すフローチャート。
【図２９】[0116]本開示の様々な態様による、ワイヤレス通信のための方法の一例を示すフローチャート。
【図３０】[0117]本開示の様々な態様による、ワイヤレス通信のための方法の一例を示すフローチャート。
【発明を実施するための形態】
【００８９】
[0118]ワイヤレス通信システムを介した通信の少なくとも一部分のために無認可無線周波数スペクトル帯域が使用される技法が説明される。いくつかの例では、無認可無線周波数スペクトル帯域は、ロングタームエボリューション（ＬＴＥ）通信またはＬＴＥアドバンスト（ＬＴＥ−Ａ）通信のために使用され得る。無認可無線周波数スペクトル帯域は、認可無線周波数スペクトル帯域と組み合わせて、または認可無線周波数スペクトル帯域から独立して使用され得る。いくつかの例では、無認可無線周波数スペクトル帯域は、無線周波数スペクトル帯域がＷｉ−Ｆｉ（登録商標）使用などの無認可使用のために少なくとも部分的に利用可能であるので、アクセスのためにデバイスが競合する必要があり得る無線周波数スペクトル帯域であり得る。
【００９０】
[0119]認可無線周波数スペクトル帯域を使用するセルラーネットワークにおいて増加しているデータトラフィックとともに、無認可無線周波数スペクトル帯域への少なくとも一部の（some）データトラフィックのオフローディングが、拡張されたデータ伝送容量のための機会をセルラー事業者（たとえば、パブリックランドモバイルネットワーク（ＰＬＭＮ）、またはＬＴＥ／ＬＴＥ−Ａネットワークなどのセルラーネットワークを定義する基地局の協調されたセットの事業者）に提供し得る。上述のように、無認可無線周波数スペクトル帯域を介して通信する前に、デバイスは、媒体にアクセスできるようになる（gain access）ためにＬＢＴ手順を実行し得る。そのようなＬＢＴ手順は、無認可無線周波数スペクトル帯域のチャネルが利用可能であるかどうかを決定するために、ＣＣＡ手順（または、拡張ＣＣＡ手順）を実行することを含み得る。無認可無線周波数スペクトル帯域のチャネルが利用可能であると決定されると、チャネルを確保するためにＣＵＢＳが送信され得る。チャネルが利用可能ではないと決定されると、ＣＣＡ手順（または、拡張ＣＣＡ手順）が、もっと後の時間においてチャネルに対して再び実行され得る。
【００９１】
[0120]第１のチャネルへのアクセスのための競合に第１のＵＥがシンボル期間境界の間で勝つと、第１のＵＥのＣＵＢＳ（または、ＣＵＢＳの一部分）の送信は、第２のチャネル上の送信と直交しないことがあり、第２のチャネル上の送信に干渉することがある。
【００９２】
[0121]以下の説明は、例を与えるものであり、特許請求の範囲に記載された範囲、適用可能性、または例を限定するものではない。本開示の範囲から逸脱することなく、説明する要素の機能および構成において変更が行われてよい。様々な例は、適宜に、様々な手順または構成要素を省略、置換、または追加してよい。たとえば、説明する方法は、説明する順序と異なる順序で実行されてよく、様々なステップが追加され、省略され、または組み合わせられてよい。また、いくつかの例に関して説明する特徴は、他の例において組み合わせられてよい。
【００９３】
[0122]図１は、本開示の様々な態様によるワイヤレス通信システム１００の一例を示す。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通じてコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレスの通信リンクであり得るバックホールリンク１３４（たとえば、Ｘ１など）を介して互いに直接または間接的に（たとえば、コアネットワーク１３０を通じて）通信し得る。
【００９４】
[0123]基地局１０５は、１つまたは複数の基地局アンテナを介してＵＥ１１５とワイヤレス通信し得る。基地局１０５のサイトの各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００９５】
[0124]いくつかの例では、ワイヤレス通信システム１００はＬＴＥ／ＬＴＥ−Ａネットワークを含み得る。ＬＴＥ／ＬＴＥ−Ａネットワークでは、基地局１０５を説明するために発展型ノードＢ（ｅＮＢ）という用語が使用されることがあり、ＵＥ１１５を説明するためにＵＥという用語が使用されることがある。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を説明するために使用され得る３ＧＰＰ（登録商標）用語である。
【００９６】
[0125]マクロセルは、比較的大きい地理的エリア（たとえば、半径数キロメートル）をカバーし得、ネットワークプロバイダのサービスに加入しているＵＥによる無制限アクセスを可能にし得る。同じまたは異なる（たとえば、認可、無認可など）無線周波数スペクトル帯域においてマクロセルとして動作し得るマクロセルと比較して、スモールセルは低電力基地局であり得る。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連を有するＵＥ（たとえば、限定加入者グループ（ＣＳＧ：closed subscriber group）の中のＵＥ、自宅の中のユーザ用のＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００９７】
[0126]ワイヤレス通信システム１００は、同期動作または非同期動作をサポートし得る。同期動作の場合、基地局は、類似のフレームタイミングを有し得、相異なる基地局からの送信は、時間的にほぼ整合され得る。非同期動作の場合、基地局は、異なるフレームタイミングを有し得、相異なる基地局からの送信は、時間的に整合されないことがある。本明細書で説明する技法は、同期動作または非同期動作のいずれかに対して使用され得る。
【００９８】
[0127]開示する様々な例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。論理チャネルを介して通信するために、無線リンク制御（ＲＬＣ：Radio Link Control）レイヤが、パケットセグメンテーションと、リアセンブリとを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためのハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは物理チャネルにマッピングされ得る。
【００９９】
[0128]ＵＥ１１５はワイヤレス通信システム１００全体にわたって分散されてよく、各ＵＥ１１５は固定またはモバイルであってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含み得るか、または当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【０１００】
[0129]ワイヤレス通信システム１００において示される通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ：physical uplink control channel）または拡張ＰＵＣＣＨ（ｅＰＵＣＣＨ））を介して送信され得る。アップリンク制御情報は、たとえば、ダウンリンク送信の肯定応答もしくは否定応答、またはチャネル状態情報を含み得る。ＵＬ送信はまた、データの送信を含み得、データは物理アップリンク共有チャネル（ＰＵＳＣＨ：physical uplink shared channel）または拡張ＰＵＳＣＨ（ｅＰＵＳＣＨ）を介して送信され得る。ＵＬ送信はまた、サウンディング基準信号（ＳＲＳ：sounding reference signal）または拡張ＳＲＳ（ｅＳＲＳ）、（たとえば、デュアル接続性モード、または図２を参照しながら説明するスタンドアロンモードでの）物理ランダムアクセスチャネル（ＰＲＡＣＨ：physical random access channel）または拡張ＰＲＡＣＨ（ｅＰＲＡＣＨ）、あるいは（たとえば、図２を参照しながら説明するスタンドアロンモードでの）スケジューリング要求（ＳＲ：scheduling request）または拡張ＳＲ（ｅＳＲ）の送信を含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【０１０１】
[0130]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【０１０２】
[0131]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【０１０３】
[0132]ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方を用いて使用され得る。
【０１０４】
[0133]ワイヤレス通信システム１００は、同じくまたは代替的に、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した動作をサポートし得る。無認可無線周波数スペクトル帯域へのアクセスのための競合に勝つと、送信装置（たとえば、基地局１０５またはＵＥ１１５）は、無認可無線周波数スペクトル帯域を介して１つまたは複数のＣＵＢＳを送信し得る。ＣＵＢＳは、検出可能なエネルギーを無認可無線周波数スペクトル帯域上に供給することによって、無認可無線周波数スペクトルを確保するように働き（serve）得る。ＣＵＢＳはまた、送信装置を識別するように働き、または送信装置と受信装置とを同期させるように働き得る。いくつかの例では、ＣＵＢＳ送信は、シンボル期間境界（たとえば、ＯＦＤＭシンボル期間境界）において開始し得る。他の例では、ＣＵＢＳ送信はシンボル期間境界の間で開始し得る。これらの後者の例では、ＣＵＢＳの一部分の送信は、ＣＵＢＳのその部分が全シンボル期間よりも長さが短く、隣接するトーン上の１つまたは複数の送信（たとえば、隣接するトーン上の他の装置の１つまたは複数の送信）に干渉する非直交送信をもたらし得る。
【０１０５】
[0134]図２は、本開示の様々な態様による、無認可無線周波数スペクトル帯域を使用する様々な状況の下でＬＴＥ／ＬＴＥ−Ａが展開され得るワイヤレス通信システム２００を示す。より具体的には、図２は、無認可無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であってよく、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であってよい。
【０１０６】
[0135]ワイヤレス通信システム２００における補助ダウンリンクモードの例では、第１の基地局２０５は、ダウンリンクチャネル２２０を使用して第１のＵＥ２１５へＯＦＤＭＡ波形を送信し得る。ダウンリンクチャネル２２０は、無認可無線周波数スペクトル帯域における周波数Ｆ１に関連付けられ得る。第１の基地局２０５は、第１の双方向リンク２２５を使用して第１のＵＥ２１５へＯＦＤＭＡ波形を送信し得、第１の双方向リンク２２５を使用して第１のＵＥ２１５からＳＣ−ＦＤＭＡ波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０および認可無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥにアドレス指定された）ユニキャストサービスのために、または（たとえば、いくつかのＵＥにアドレス指定された）マルチキャストサービスのために使用され得る。このシナリオは、認可無線周波数スペクトルを使用し、トラフィックまたはシグナリングの混雑の一部を緩和する必要がある、任意のサービスプロバイダ（たとえば、モバイルネットワーク事業者（ＭＮＯ））とともに見出されることがある。
【０１０７】
[0136]ワイヤレス通信システム２００におけるキャリアアグリゲーションモードの一例では、第１の基地局２０５は、第２の双方向リンク２３０を使用して第２のＵＥ２１５−ａへＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１５−ａへＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補助ダウンリンクのように、このシナリオは、認可無線周波数スペクトルを使用し、トラフィックまたはシグナリングの混雑の一部を緩和する必要がある、任意のサービスプロバイダ（たとえば、ＭＮＯ）とともに見出されることがある。
【０１０８】
[0137]ワイヤレス通信システム２００におけるキャリアアグリゲーションモードの別の例では、第１の基地局２０５は、第４の双方向リンク２４０を使用して第３のＵＥ２１５−ｂへＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１５−ｂへＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で提供した例は説明のために提示され、容量オフロードのために、認可無線周波数スペクトル帯域におけるＬＴＥ／ＬＴＥ−Ａを組み合わせ、無認可無線周波数スペクトル帯域を使用する他の類似の動作モードまたは展開シナリオがあり得る。
【０１０９】
[0138]上記で説明したように、無認可無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ認可無線周波数スペクトル帯域へのアクセス権を有する従来のＭＮＯである。これらのサービスプロバイダにとって、運用上の例は、認可無線周波数スペクトル帯域上のＬＴＥ／ＬＴＥ−Ａの１次コンポーネントキャリア（ＰＣＣ）と無認可無線周波数スペクトル帯域上の少なくとも１つの２次コンポーネントキャリア（ＳＣＣ）とを使用するブートストラップモード（たとえば、補助ダウンリンク、キャリアアグリゲーション）を含み得る。
【０１１０】
[0139]キャリアアグリゲーションモードでは、たとえば、（たとえば、第１の双方向リンク２２５、第３の双方向リンク２３５、および第５の双方向リンク２４５を介した）認可無線周波数スペクトル帯域において、データおよび制御が通信され得、たとえば、（たとえば、第２の双方向リンク２３０および第４の双方向リンク２４０を介した）無認可無線周波数スペクトル帯域において、データが通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに該当し得る。
【０１１１】
[0140]ワイヤレス通信システム２００におけるスタンドアロンモードの一例では、第２の基地局２０５−ａは、双方向リンク２５０を使用して第４のＵＥ２１５−ｃへＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、無認可無線周波数スペクトル帯域における周波数Ｆ３に関連付けられ得る。スタンドアロンモードは、スタジアム内アクセス（たとえば、ユニキャスト、マルチキャスト）などの、非従来型のワイヤレスアクセスシナリオにおいて使用され得る。この動作モードのためのサービスプロバイダのタイプの一例は、認可無線周波数スペクトル帯域へのアクセスを有しないスタジアム所有者、ケーブル会社、イベント主催者、ホテル、企業、または大企業であり得る。
【０１１２】
[0141]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、無認可無線周波数スペクトル帯域のチャネルに（たとえば、無認可無線周波数スペクトル帯域の物理チャネルに）アクセスするためにゲーティング間隔を使用し得る。いくつかの例では、ゲーティング間隔は周期的であり得る。たとえば、周期的なゲーティング間隔（gating interval）は、ＬＴＥ／ＬＴＥ−Ａ無線間隔の少なくとも１つの境界と同期され得る。ゲーティング間隔は、欧州電気通信標準化機構（ＥＴＳＩ）（ＥＮ３０１  ８９３）において指定されているＬＢＴプロトコルに基づくＬＢＴプロトコルなどの、競合ベースプロトコルの適用（application）を定義し得る。ＬＢＴプロトコルの適用を定義するゲーティング間隔を使用するとき、送信装置がクリアチャネルアセスメント（ＣＣＡ）手順などの競合手順（たとえば、ＬＢＴ手順）をいつ実行する必要があるのかを、ゲーティング間隔が示し得る。ＣＣＡ手順の結果は、無認可無線周波数スペクトル帯域のチャネルが（ＬＢＴ無線フレームとも呼ばれる）ゲーティング間隔にとって利用可能であるのか、それとも使用中であるのかを、送信装置に示し得る。対応するＬＢＴ無線フレームにとってチャネルが利用可能である（たとえば、使用のために「空いている（clear）」）ことをＣＣＡ手順が示すとき、送信装置は、ＬＢＴ無線フレームの一部または全部の間に、無認可無線周波数スペクトル帯域のチャネルを確保または使用し得る。チャネルが利用可能ではないこと（たとえば、チャネルが別の送信装置によって使用中であるか、または確保されていること）をＣＣＡ手順が示すとき、送信装置は、ＬＢＴ無線フレームの間にチャネルを使用することを妨げられ得る。
【０１１３】
[0142]図３は、本開示の様々な態様による、無認可無線周波数スペクトル帯域を介したワイヤレス通信３１０の一例３００を示す。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移をもたらし得、Ｓ’サブフレーム３３５は、アップリンクサブフレーム３２５とダウンリンクサブフレーム３２０との間の遷移と、いくつかの例では、ＬＢＴ無線フレーム間の遷移とをもたらし得る。
【０１１４】
[0143]Ｓ’サブフレーム３３５の間に、ワイヤレス通信３１０が行われる無認可無線周波数スペクトル帯域のチャネルをある期間時間にわたって確保するために、図１または図２を参照しながら説明した基地局１０５、２０５、または２０５−ａのうちの１つまたは複数などの１つまたは複数の基地局によって、ダウンリンククリアチャネルアセスメント（ＤＣＣＡ）手順３４５が実行され得る。基地局によって成功した（successful）ＤＣＣＡ手順３４５に続いて、基地局は、基地局がチャネルを確保したという表示（indication）を他の基地局または装置（たとえば、ＵＥ、Ｗｉ−Ｆｉアクセスポイントなど）に提供するために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、無認可無線周波数スペクトル帯域の利用可能な周波数帯域幅のうちの少なくともいくらかの割合を占有し、１つまたは複数の規制上の要件（たとえば、無認可無線周波数スペクトル帯域を介した送信が、利用可能な周波数帯域幅のうちの少なくとも８０％を占有するという要件）を満たすことを可能にし得る。Ｄ−ＣＵＢＳ３５０は、いくつかの例では、ＬＴＥ／ＬＴＥ−Ａ  ＣＲＳまたはチャネル状態情報基準信号（ＣＳＩ−ＲＳ）の形態と類似の形態をとり得る。ＤＣＣＡ手順３４５が失敗すると、Ｄ−ＣＵＢＳ３５０は送信され得ない。
【０１１５】
[0144]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡ手順３４５のために使用され得る。Ｓ’サブフレーム３３５の第３の部分は、Ｄ−ＣＵＢＳ３５０を送信するために、無認可無線周波数スペクトル帯域のチャネルへのアクセスのために成功裏に（successfully）競合する１つまたは複数の基地局によって使用され得る。
【０１１６】
[0145]Ｓサブフレーム３３０の間に、ワイヤレス通信３１０が行われる（occur）チャネルをある期間時間にわたって確保するために、図１または図２を参照しながら上記で説明したＵＥ１１５、２１５、２１５−ａ、２１５−ｂ、または２１５−ｃのうちの１つまたは複数などの１つまたは複数のＵＥによって、アップリンクＣＣＡ（ＵＣＣＡ）手順３６５が実行され得る。ＵＥによって成功したＵＣＣＡ手順３６５に続いて、ＵＥは、ＵＥがチャネルを確保したという表示を他のＵＥまたは装置（たとえば、基地局、Ｗｉ−Ｆｉアクセスポイントなど）に提供するために、アップリンクＣＵＢＳ（Ｕ−ＣＵＢＳ３７０）を送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、無認可無線周波数スペクトル帯域の利用可能な周波数帯域幅のうちの少なくともいくらかの割合を占有し、１つまたは複数の規制上の要件（たとえば、無認可無線周波数スペクトル帯域を介した送信が、利用可能な周波数帯域幅のうちの少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と類似の形態をとり得る。ＵＣＣＡ手順３６５が失敗すると、Ｕ−ＣＵＢＳ３７０は送信され得ない。
【０１１７】
[0146]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡ手順３６５のために使用され得る。Ｓサブフレーム３３０の第４の部分は、アップリンクパイロットタイムスロット（ＵｐＰＴＳ）として、またはＵ−ＣＵＢＳ３７０を送信するために、無認可無線周波数スペクトル帯域のチャネルへのアクセスに成功裏に競合する１つまたは複数のＵＥによって使用され得る。
【０１１８】
[0147]いくつかの例では、ＤＣＣＡ手順３４５またはＵＣＣＡ手順３６５は、単一のＣＣＡ手順の実行を含み得る。他の例では、ＤＣＣＡ手順３４５またはＵＣＣＡ手順３６５は、拡張ＣＣＡ手順の実行を含み得る。拡張ＣＣＡ手順は、ランダムな数のＣＣＡ手順を含み得、いくつかの例では、複数のＣＣＡ手順を含み得る。
【０１１９】
[0148]図４は、本開示の様々な態様による、無認可無線周波数スペクトル帯域へのアクセスのために競合するとき、送信装置によって実行されるＣＣＡ手順４１５の一例４００を示す。いくつかの例では、ＣＣＡ手順４１５は、図３を参照しながら説明したＤＣＣＡ手順３４５またはＵＣＣＡ手順３６５の一例であり得る。ＣＣＡ手順４１５は、一定の持続時間を有し得る。いくつかの例では、ＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。ＣＣＡ手順４１５に続いて、ＣＵＢＳ４２０が送信され得、データ送信（たとえば、アップリンク送信またはダウンリンク送信）が後続し得る。例として、データ送信は、３つのサブフレームとしての意図された持続時間４０５と、３つのサブフレームとしての実際の持続時間４１０とを有し得る。
【０１２０】
[0149]図５は、本開示の様々な態様による、無認可無線周波数スペクトル帯域へのアクセスのために競合するとき、送信装置によって実行される拡張ＣＣＡ（ＥＣＣＡ）手順５１５の一例５００を示す。いくつかの例では、ＥＣＣＡ手順５１５は、図３を参照しながら説明したＤＣＣＡ手順３４５またはＵＣＣＡ手順３６５の一例であり得る。ＥＣＣＡ手順５１５は、ランダムな数のＣＣＡ手順を含み得、いくつかの例では、複数のＣＣＡ手順を含み得る。したがって、ＥＣＣＡ手順５１５は、可変の持続時間を有し得る。いくつかの例では、ＥＣＣＡ手順５１５は、ＬＢＴ負荷ベース機器（ＬＢＴ−ＬＢＥ）プロトコル（たとえば、ＥＮ３０１  ８９３によって説明されるＬＢＴ−ＬＢＥプロトコル）に従って実行され得る。ＥＣＣＡ手順５１５は、無認可無線周波数スペクトル帯域にアクセスするための競合に勝つことのより高い可能性をもたらし得るが、より短いデータ伝送の潜在的なコストをもたらし得る。ＥＣＣＡ手順５１５に続いて、ＣＵＢＳ５２０が送信され得、データ送信が後続し得る。例として、データ送信は、３つのサブフレームとしての意図された持続時間５０５と、２つのサブフレームとしての実際の持続時間５１０とを有し得る。
【０１２１】
[0150]ＣＣＡ手順４１５またはＥＣＣＡ手順５１５のいずれかを使用するとき、シンボル期間境界（たとえば、ＯＦＤＭシンボル期間境界）と一致しない時間において、無認可無線周波数スペクトル帯域へのアクセスのための競合が勝たれ得る。したがって、ＣＵＢＳ４２０またはＣＵＢＳ５２０は、シンボル期間のより短い持続時間である長さを有することがあり、あるいはＣＵＢＳ４２０またはＣＵＢＳ５２０は、シンボル期間の分数期間の中で送信されるＣＵＢＳを含むことがある。そのような例では、送信されるＣＵＢＳは、他の送信に直交しないことがあり、他の送信に干渉することがある。そのような干渉を軽減するための技法が、本開示で説明される。
【０１２２】
[0151]Ｕ−ＣＵＢＳを送信するとき、様々な送信技法が使用され得る。少数の例示的な技法が、本開示で説明される。たとえば、ＳＣ−ＦＤＭ  ｅＰＵＳＣＨより前にＵ−ＣＵＢＳを送信するとき、Ｕ−ＣＵＢＳは、ｅＰＵＳＣＨの一部として送信されるべき復調基準信号（ＤＭ−ＲＳ）と同様に生成され得、ＳＣ−ＦＤＭ  ｅＰＵＳＣＨを送信するために使用される同じ物理リソースブロックと周波数インターレースとを使用して送信され得る。Ｕ−ＣＵＢＳシーケンスパラメータは、ＤＭ−ＲＳ生成のために使用される同じパラメータであり得、事実上（effectively）ＤＭ−ＲＳ送信がサブフレームのスロットの中で繰り返される結果となる。
【０１２３】
[0152]別の例として、ＯＦＤＭ  ｅＰＵＳＣＨより前にＵ−ＣＵＢＳを送信するとき、Ｕ−ＣＵＢＳは、ＳＣ−ＦＤＭ  ｅＰＵＳＣＨより前の送信のために生成されたＵ−ＣＵＢＳと同様に生成され得る。代替として、ＤＭ−ＲＳの１つのシンボルが、Ｕ−ＣＵＢＳとして送信され得る。しかしながら、ＤＭ−ＲＳのシンボルの送信は、たとえチャネル確保を行って（provide）も、ＵＥを多重化することを行わないことがある。
【０１２４】
[0153]別の例として、ｅＰＵＣＣＨより前にＵ−ＣＵＢＳを送信するとき、Ｕ−ＣＵＢＳは、ｅＰＵＳＣＨより前に送信されたＵ−ＣＵＢＳと同様に送信され得るか、または送信されないことがある。Ｕ−ＣＵＢＳがｅＰＵＳＣＨより前に送信された方法と同様にＵ−ＣＵＢＳをｅＰＵＣＣＨより前に送信することは、サイクリックシフトを行い得るが、直交カバーコード（ＯＣＣ）によって分離されているｅＰＵＣＣＨユーザを多重化することを行わないことがある。しかしながら、ｅＰＵＣＣＨがサブフレームを越えて持続的でないことがあり、そのため、１つのサブフレームの中のＣＵＢＳが他のＵＥの送信に干渉することがある。
【０１２５】
[0154]別の例として、インターレースされたｅＰＵＳＣＨおよびｅＰＵＣＣＨより前にＵ−ＣＵＢＳを送信するとき、Ｕ−ＣＵＢＳは、ｅＰＵＣＣＨの同時送信にかかわらず、ｅＰＵＳＣＨより前のＵ−ＣＵＢＳ送信について記載されているように送信され得る。
【０１２６】
[0155]別の例として、マルチユーザＭＩＭＯ（ＭＵ−ＭＩＭＯ）環境においてＵ−ＣＵＢＳを送信するとき、異なるＵＥを基地局が空間的に分離することが予期され得るので、Ｕ−ＣＵＢＳの特別な処理（handling）はなくてよい。しかしながら、事前のチャネル推定なしにＵ−ＣＵＢＳを送信するとき、このことは困難な場合がある。いくつかの例では、基地局は、事前のｅＳＲＳからチャネル推定を取得し得る。しかしながら、アップリンクＭＩＭＯ環境において送信されるＵ−ＣＵＢＳは、後続の送信（たとえば、ｅＰＵＳＣＨ、ｅＰＵＣＣＨ、ｅＰＲＡＣＨ、ｅＳＲＳ、ｅＳＲ、またはそれらの組合せ）のために使用されるアンテナポートおよびプリコーダの同じセットを使用して送信され得る。このことは、ＣＣＡ目的のために同じ電力での受信を確実にし得、２０ｄＢｍ＋２０ｄＢＭ受信チェーンの場合に、全送信電力が利用され得ることを確実にし得る。
【０１２７】
[0156]図６は、本開示の様々な態様による、無認可無線周波数スペクトル帯域を介したＣＵＢＳの例示的な送信を示すタイミング図である。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、送信は、図１または図２を参照しながら説明したいくつかのＵＥ１１５、２１５、２１５−ａ、２１５−ｂ、または２１５−ｃなどの、いくつかのＵＥによって行われ（made）得る。
【０１２８】
[0157]いくつかの例では、第１のＣＵＢＳ６７０、第２のＣＵＢＳ６７５、および第３のＣＵＢＳ６８０の各々は、無認可無線周波数スペクトル帯域の、それぞれの第１の周波数インターレース６０５、第２の周波数インターレース６１０、および第３の周波数インターレース６１５を介して送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない（non-contiguous）。いくつかの例では、同時に送信されるリソースブロックは、図６に示すように、無認可無線周波数スペクトル帯域の中で均一に離間され得る。他の例では、同時に送信されるリソースブロックは、無認可無線周波数スペクトル帯域の中で不均一に離間され得る。例として、第１の周波数インターレース６０５、第２の周波数インターレース６１０、および第３の周波数インターレース６１５の各々は、同時に送信される３つのリソースブロックを含む（たとえば、第１の周波数インターレース６０５が、同時に送信される第１のリソースブロック６２０と、第２のリソースブロック６２５と、第３のリソースブロック６３０とを含む）ように示される。ただし、周波数インターレースは、より多数またはより少数の、同時に送信されるリソースブロックを含んでよい。いくつかの例では、周波数インターレースは、同時に送信される１０個のリソースブロックを含み得る。
【０１２９】
[0158]第１のＣＵＢＳ６７０、第２のＣＵＢＳ６７５、および第３のＣＵＢＳ６８０の各々は、無認可無線周波数スペクトル帯域へのアクセスのための競合に勝つ時間６３２（たとえば、図３、図４、または図５を参照しながら説明したような、ＵＣＣＡに勝つ時間）と、サブフレーム境界６３５との間で送信され得る。例として、図６は、時間６３２とサブフレーム境界６３５との間の時間ウィンドウが、第１のシンボル期間６４０と、第２のシンボル期間６４５と、第３のシンボル期間６５０（たとえば、ＯＦＤＭシンボル期間）とを含むことを示す。第１のＣＵＢＳ６７０、第２のＣＵＢＳ６７５、および第３のＣＵＢＳ６８０の各々は、第１のシンボル期間６４０、第２のシンボル期間６４５、および第３のシンボル期間６５０の各々の間に送信され得る。
【０１３０】
[0159]いくつかの例では、第１のＣＵＢＳ６７０、第２のＣＵＢＳ６７５、および第３のＣＵＢＳ６８０の各々は、第１のＣＵＢＳ６７０、第２のＣＵＢＳ６７５、または第３のＣＵＢＳ６８０の送信の後に無認可無線周波数スペクトル帯域を介して行われるべき、それぞれの第１の送信６５５、第２の送信６６０、および第３の送信６６５に含まれる信号のコピーを含み得る。いくつかの例では、それぞれの第１の送信６５５、第２の送信６６０、または第３の送信６６５に含まれる信号は、復調基準信号（ＤＭ−ＲＳ）を含み得る。例として、ＤＭ−ＲＳは、第１の送信６５５、第２の送信６６０、および第３の送信６６５の各々の第４のシンボル期間６７２の中で送信されるように示される。いくつかの例では、第１の送信６５５、第２の送信６６０、および第３の送信６６５に含まれる信号（たとえば、ＤＭ−ＲＳ）のコピーは、無認可無線周波数スペクトル帯域へのアクセスのための競合に勝つ時間６３２とサブフレーム境界６３５との間に入る各完全なシンボル期間（たとえば、第１のシンボル期間６４０、第２のシンボル期間６４５、および第３のシンボル期間６５０）の中で送信され得る。いくつかの例では、第１の送信６５５、第２の送信６６０、および第３の送信６６５の各々は、ＰＵＳＣＨ、ＰＵＣＣＨ、ＰＲＡＣＨ、ＳＲＳ、ＳＲ、またはそれらの組合せを含み得る。
【０１３１】
[0160]第１のＣＵＢＳ６７０、第２のＣＵＢＳ６７５、および第３のＣＵＢＳ６８０の各々は、それぞれの第１の送信６５５、第２の送信６６０、および第３の送信６６５と同じ物理リソースブロックおよびトーンのセットを介して送信され得る。このようにして、第１のＣＵＢＳ６７０、第２のＣＵＢＳ６７５、および第３のＣＵＢＳ６８０の各々は、互いに、および同じ規則（すなわち、第１の送信６５５、第２の送信６６０、および第３の送信６６５が互いに直交して送信されることを前提とする）に従うすべての他の送信に直交して、送信され得る。
【０１３２】
[0161]いくつかの例では、第１のＣＵＢＳ６７０、第２のＣＵＢＳ６７５、および第３のＣＵＢＳ６８０の各々は、それぞれの第１の送信６５５、第２の送信６６０、および第３の送信６６５のために使用されるアンテナポートおよびプリコーダの同じセットを使用して、無認可無線周波数スペクトル帯域を介して送信され得る。
【０１３３】
[0162]図７は、本開示の様々な態様による、無認可無線周波数スペクトル帯域を介したＣＵＢＳの例示的な送信を示すタイミング図である。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、送信は、図１または図２を参照しながら説明したＵＥ１１５、２１５、２１５−ａ、２１５−ｂ、または２１５−ｃのうちの１つなどの、ＵＥによって行われ得る。
【０１３４】
[0163]いくつかの例では、第１のＣＵＢＳ７７０および第２のＣＵＢＳ７８５は、無認可無線周波数スペクトル帯域の第１の周波数インターレース７０５、無認可無線周波数スペクトル帯域の第２の周波数インターレース７１０、および無認可無線周波数スペクトル帯域の第３の周波数インターレース７１５を介して送信され得る。いくつかの例では、第１の周波数インターレース７０５、第２の周波数インターレース７１０、および第３の周波数インターレース７１５の各々は、第１のＵＥに割り振られ得る。第４の周波数インターレース７９７は、第２のＵＥに割り振られ得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、図７に示すように、無認可無線周波数スペクトル帯域の中で均一に離間され得る。他の例では、同時に送信されるリソースブロックは、無認可無線周波数スペクトル帯域の中で不均一に離間され得る。例として、第１の周波数インターレース７０５、第２の周波数インターレース７１０、第３の周波数インターレース７１５、および第４の周波数インターレース７９７の各々は、同時に送信される３つのリソースブロックを含む（たとえば、第１の周波数インターレース７０５が、同時に送信される第１のリソースブロック７２０と、第２のリソースブロック７２５と、第３のリソースブロック７３０とを含む）ように示される。ただし、周波数インターレースは、より多数またはより少数の、同時に送信されるリソースブロックを含み得る。いくつかの例では、周波数インターレースは、同時に送信される１０個のリソースブロックを含み得る。
【０１３５】
[0164]第１のＣＵＢＳ７７０および第２のＣＵＢＳ７８５の各々は、無認可無線周波数スペクトル帯域へのアクセスのための競合に勝つ時間７３２（たとえば、図３、図４、または図５を参照しながら説明したような、ＵＣＣＡに勝つ時間）と、サブフレーム境界７３５との間で送信され得る。例として、図７は、時間７３２とサブフレーム境界７３５との間の時間期間（time period）が、第１のシンボル期間７３９の分数期間７３７と、第２のシンボル期間７４０と、第３のシンボル期間７４５と、第４のシンボル期間７５０（たとえば、ＯＦＤＭシンボル期間）とを含むことを示す。第１のＣＵＢＳ７７０は、第１のシンボル期間７３９の分数期間７３７の間に送信され得、第２のＣＵＢＳ７８５は、第２のシンボル期間７４０、第３のシンボル期間７４５、および第４のシンボル期間７５０の各々の間に送信され得る。
【０１３６】
[0165]いくつかの例では、第２のＣＵＢＳ７８５は、第１のＣＵＢＳ７７０および第２のＣＵＢＳ７８５の送信の後に無認可無線周波数スペクトル帯域を介して行われるべき送信７５５に含まれる信号のコピーを含み得る。いくつかの例では、送信７５５に含まれる信号は、ＤＭ−ＲＳを含み得る。例として、ＤＭ−ＲＳは、送信７５５の第４のシンボル期間７７２の中で送信されるように示される。いくつかの例では、送信７５５に含まれる信号（たとえば、ＤＭ−ＲＳ）のコピーは、無認可無線周波数スペクトル帯域へのアクセスのための競合に勝つ時間７３２とサブフレーム境界７３５との間に入る（falling）完全な各シンボル期間（たとえば、第２のシンボル期間７４０、第３のシンボル期間７４５、および第４のシンボル期間７５０）の中で送信され得る。いくつかの例では、送信７５５は、ＰＵＳＣＨ、ＰＵＣＣＨ、ＰＲＡＣＨ、ＳＲＳ、ＳＲ、またはそれらの組合せを含み得る。
【０１３７】
[0166]第１のＣＵＢＳ７７０および第２のＣＵＢＳ７８５の各々は、送信７５５と同じ物理リソースブロックおよびトーンのセットを介して送信され得る。このようにして、第２のＣＵＢＳ７８５は、他の送信に直交して送信され得る。しかしながら、第１のＣＵＢＳ７７０が全シンボル期間よりも短い可変の長さを有するので、第１のＣＵＢＳ７７０は、（一定のシンボル長に反比例することになる）一定のトーン間隔を有しないことがある。その結果、第１のＣＵＢＳ７７０送信は、他のインターレースにおける１つまたは複数の進行中および／または同時の送信に（たとえば、第４の周波数インターレース７９７における進行中および／または同時の送信に）直交することがあり、または直交しないことがある。言い換えれば、第１のＣＵＢＳ７７０のスペクトル成分は、隣接する物理リソースブロックおよびトーンへ漏れることがあり、隣接する物理リソースブロックおよびトーンに干渉することがある。
【０１３８】
[0167]いくつかの例では、第１のＣＵＢＳ７７０および第２のＣＵＢＳ７８５の各々は、送信７５５のために使用されるアンテナポートおよびプリコーダの同じセットを使用して、無認可無線周波数スペクトル帯域を介して送信され得る。しかしながら、いくつかの例では、スペクトル漏洩の機会を低減するために、第１のＣＵＢＳ７７０は、送信７５５において使用される、選択されたトーンおよび／またはリソースブロックを介して送信されるように構成され得る。たとえば、第１のＣＵＢＳ７７０は、送信７５５に割り振られた各リソースブロックの中央のトーン（middle tone）を介して（たとえば、トーン＃０〜＃１１を有する１２個のトーン物理リソースブロックの中のトーン＃５またはトーン＃７を介して）送信されるように構成され得る。いくつかの例では、選択されたトーン上で第１のＣＵＢＳ７７０を送信するために使用される全送信電力は、送信７５５を送信するために使用される全送信電力に整合され（matched）得る。
【０１３９】
[0168]いくつかの例では、（たとえば、ＣＣＡを成功裏に実行しＥＣＣＡに戻らないことによって）第１のＵＥの前に第２のＵＥが無認可無線周波数スペクトル帯域へのアクセスのための競合に勝ち得るので、第４の周波数インターレース７９７における送信は、第１の周波数インターレース７０５、第２の周波数インターレース７１０、および第３の周波数インターレース７１５における送信よりも早く始まり得る。
【０１４０】
[0169]図８は、本開示の様々な態様による、第１のＣＵＢＳの少なくとも一部分および第２のＣＵＢＳの少なくとも一部分の例示的な送信を示すタイミング図である。いくつかの例では、送信は、図１または図２を参照しながら説明したＵＥ１１５、２１５、２１５−ａ、２１５−ｂ、または２１５−ｃのうちの１つなどの、ＵＥによって行われ得る。
【０１４１】
[0170]いくつかの例では、ＵＥは、図８に示すように、無認可無線周波数スペクトル帯域を介して第１の送信８０５または第２の送信８１０を行い得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、第１の送信８０５または第２の送信８１０は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０１４２】
[0171]第１の送信８０５または第２の送信８１０はまた、無認可無線周波数スペクトル帯域へのアクセスのための競合に勝つ時間８１５（たとえば、図３、図４、または図５を参照しながら説明したような、ＵＣＣＡに勝つ時間）またはいくつかのシンボル期間境界（たとえば、第１のシンボル期間境界８２０、第２のシンボル期間境界８２５、または第３のシンボル期間境界８３０）としての１つもしくは複数の時間のうちの、１つまたは複数を基準として（with reference to）、ＵＥによって行われ得る。例として、第１のシンボル期間境界８２０および第２のシンボル期間境界８２５によって範囲を定められた（bounded）第１のシンボル期間８３５、ならびに第２のシンボル期間境界８２５および第３のシンボル期間境界８３０によって範囲を定められた第２のシンボル期間８４０が示される。第２のシンボル期間８４０は、第１のシンボル期間８３５に後続する。いくつかの例では、第１のシンボル期間８３５および第２のシンボル期間８４０の各々は、ＯＦＤＭシンボル期間であり得る。例として、無認可無線周波数スペクトル帯域へのアクセスのための競合に勝つ時間８１５が、第１のシンボル期間８３５の間に発生し、それによって、第１のシンボル期間８３５の分数期間８８０（たとえば、時間８１５および第２のシンボル期間境界８２５によって範囲を定められた分数期間８８０）を規定するように図８に示される。時間８１５と次のサブフレーム境界との間に入るシンボル期間またはシンボル期間の分数期間は、プリアンブルを規定し得る。
【０１４３】
[0172]いくつかの例では、第１のシンボル期間８３５および第２のシンボル期間８４０の一方または両方は、複数のサブ期間を含み得る。たとえば、第１の送信８０５に関して、第１のシンボル期間８３５は、９個のサブ期間（たとえば、第１のサブ期間８４１、第２のサブ期間８４２、第３のサブ期間８４３、第４のサブ期間８４４、第５のサブ期間８４５、第６のサブ期間８４６、第７のサブ期間８４７、第８のサブ期間８４８、および第９のサブ期間８４９）を含むように示される。
【０１４４】
[0173]第１の送信８０５を参照すると、第１の送信８０５は、無認可無線周波数スペクトル帯域へのアクセスのための競合に勝つ時間８１５に後続する、いくつかの完全なサブ期間の各々の中で送信される第１のＣＵＢＳのインスタンスを含み得る。たとえば、第１の送信８０５は、第１のシンボル期間８３５の第６のサブ期間８４６の中で送信される第１のＣＵＢＳの第１のインスタンス８５１と、第１のシンボル期間８３５の第７のサブ期間８４７の中で送信される第１のＣＵＢＳの第２のインスタンス８５２と、第１のシンボル期間８３５の第８のサブ期間８４８の中で送信される第１のＣＵＢＳの第３のインスタンス８５３と、第１のシンボル期間８３５の第９のサブ期間８４９の中で送信される第１のＣＵＢＳの第４のインスタンス８５４とを含み得る。第１の送信８０５はまた、第２のシンボル期間８４０の間に送信される第２のＣＵＢＳ８６０を含み得る。いくつかの例では、第１の送信８０５を行うＵＥは、無認可無線周波数スペクトル帯域へのアクセスのための競合に勝つ時間８１５と第６のサブ期間８４６の開始との間の、第５のサブ期間８４５の分数期間の間にいかなる信号も送信し得ない（たとえば、ＵＥは、第５のサブ期間８４５の分数期間を沈黙期間に帰し得る）。
【０１４５】
[0174]いくつかの例では、第１の送信８０５の一部として送信される第１のＣＵＢＳは、固定長の短い時間領域シーケンスを含み得る。第１のＣＵＢＳは、第１のＣＵＢＳのインスタンスが第１のＣＵＢＳの別のインスタンスと境を接する（または、第２のシンボル期間８４０の間に送信される第２のＣＵＢＳ８６０と境を接する）とき、時間領域における滑らかさをもたらす（たとえば、不連続性を有しない）周期的なゼロ交差（zero crossing）を有し得る。第２のＣＵＢＳ８６０は、１つのシンボル期間の持続時間を有し得、通常の逆フーリエ変換（ＩＦＦＴ）を用いて生成され得る。
【０１４６】
[0175]第２の送信８１０を参照すると、第２の送信８１０は、第１のＣＵＢＳ８７０の少なくとも一部分８６５を含み得、第１のＣＵＢＳ８７０のその部分８６５は、時間８１５に後続する第１のシンボル期間８３５の間に送信される。無認可無線周波数スペクトル帯域へのアクセスのための競合に勝つ時間８１５が第１のシンボル期間境界８２０と一致するとき、第１のＣＵＢＳ８７０の少なくとも一部分８６５は、第１のＣＵＢＳ８７０を含み得る。無認可無線周波数スペクトル帯域へのアクセスのための競合に勝つ時間８１５が第１のシンボル期間境界８２０の後に発生するとき、第１のＣＵＢＳ８７０の少なくとも一部分８６５は、第１のＣＵＢＳ８７０の部分８６５を含み得る。いくつかの例では、第１のＣＵＢＳ８７０の部分８６５は、第１のＣＵＢＳ８７０の冒頭部分を含むことがある。いくつかの例では、第１のＣＵＢＳ８７０の部分８６５は、第１のＣＵＢＳ８７０の中央部分を含むことがある。いくつかの例では、第１のＣＵＢＳ８７０の部分８６５は、第１のＣＵＢＳ８７０の末尾部分を含むことがある。いくつかの例では、図１１を参照しながら説明するように、第１のＣＵＢＳ８７０が生成され得、第１のＣＵＢＳ８７０の少なくとも一部分８６５が選択され得る。第２の送信８１０はまた、第２のＣＵＢＳ８７５を含み得、その第２のＣＵＢＳ８７５は第２のシンボル期間８４０の間に送信される。第１のＣＵＢＳ８７０および第２のＣＵＢＳ８７５の各々は、１つのシンボル期間の持続時間を有し得、通常のＩＦＦＴを用いて生成され得る。
【０１４７】
[0176]図９は、本開示の様々な態様による、第１のＣＵＢＳの少なくとも一部分および第２のＣＵＢＳの少なくとも一部分の例示的な送信を示すタイミング図である。いくつかの例では、送信は、図１または図２を参照しながら説明したＵＥ１１５、２１５、２１５−ａ、２１５−ｂ、または２１５−ｃのうちの１つなどの、ＵＥによって行われ得る。
【０１４８】
[0177]いくつかの例では、ＵＥは、図９に示すように、無認可無線周波数スペクトル帯域を介して第１の送信９０５または第２の送信９１０を行い得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、第１の送信９０５または第２の送信９１０は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。いくつかの例では、第１の送信９０５および第２の送信９１０の各々は、図８を参照しながら説明した第２の送信８１０の一例であり得る。
【０１４９】
[0178]第１の送信９０５または第２の送信９１０は、無認可無線周波数スペクトル帯域へのアクセスのための競合に勝つ時間９１５（たとえば、図３、図４、または図５を参照しながら説明したような、ＵＣＣＡに勝つ時間）、いくつかのシンボル期間境界（たとえば、第１のシンボル期間境界９２０、第２のシンボル期間境界９２５、または第３のシンボル期間境界９３０）としての１つもしくは複数の時間、または時間９１５に後続する次のシンボル期間境界の前のしきい値時間（Ｔ）９４５（たとえば、第２のシンボル期間境界９２５の前のしきい値時間９４５）のうちの、１つまたは複数を基準として、ＵＥによって生成され得る。例として、第１のシンボル期間境界９２０および第２のシンボル期間境界９２５によって範囲を定められた第１のシンボル期間９３５、ならびに第２のシンボル期間境界９２５および第３のシンボル期間境界９３０によって範囲を定められた第２のシンボル期間９４０が示される。第２のシンボル期間９４０は、第１のシンボル期間９３５に後続する。いくつかの例では、第１のシンボル期間９３５および第２のシンボル期間９４０の各々は、ＯＦＤＭシンボル期間であり得る。例として、無認可無線周波数スペクトル帯域へのアクセスのための競合に勝つ時間９１５が、第１のシンボル期間９３５の間に発生し、それによって、第１のシンボル期間９３５の分数期間９７５（たとえば、時間９１５および第２のシンボル期間境界９２５によって範囲を定められた分数期間９７５）を規定するように図９に示される。時間９１５と次のサブフレーム境界との間に入るシンボル期間またはシンボル期間の分数期間は、プリアンブルを規定し得る。
【０１５０】
[0179]第１の送信９０５を参照すると、第１の送信９０５は、第１のＣＵＢＳ９５５の冒頭部分９５０を含み得、第１のＣＵＢＳ９５５のその冒頭部分９５０は、第１のシンボル期間９３５の分数期間９７５の間に送信され得る。いくつかの例では、図１１を参照しながら説明するように、第１のＣＵＢＳ９５５が生成され得、第１のＣＵＢＳ９５５の冒頭部分９５０が選択され得る。たとえば、第１のＣＵＢＳ９５５の開始サンプルは、時間９１５と整合され得、第２のシンボル期間境界９２５の後に生じる第１のＣＵＢＳ９５５の一部分は、０で埋められ（zeroed out）（または、外へパンクチャされ（punctured out））得る。第１のＣＵＢＳ９５５の冒頭部分９５０に対する開始電力急昇（starting power ramp）は、事前生成され得る。第１の送信９０５はまた、第２のＣＵＢＳ９６０を含み得、その第２のＣＵＢＳ９６０は、第２のシンボル期間９４０の間に送信される。いくつかの例では、ウィンドウ処理およびオーバーラップ加算演算９９９が、第１のＣＵＢＳ９５５の冒頭部分９５０と第２のＣＵＢＳ９６０との送信接合部において（たとえば、第２のシンボル期間境界９２５において）実行され得る。第１のＣＵＢＳ（たとえば、第１のＣＵＢＳ９５５）の少なくとも第１の部分と第２のＣＵＢＳ（たとえば、第２のＣＵＢＳ９６０）の少なくとも第２の部分との間の送信接合部を処理することの他の方法が、図１０を参照しながら説明される。
【０１５１】
[0180]第２の送信９１０を参照すると、第２の送信９１０は、第１のＣＵＢＳ９５５の末尾部分９６５を含み得、第１のＣＵＢＳ９５５のその末尾部分９６５は、第１のシンボル期間９３５の分数期間９７５の間に送信され得る。いくつかの例では、図１１を参照しながら説明するように、第１のＣＵＢＳ９５５が生成され得、第１のＣＵＢＳ９５５の末尾部分９６５が選択され得る。たとえば、第１のＣＵＢＳ９５５は、第１のシンボル期間９３５と時間整合され得、時間９１５の前に生じる第１のＣＵＢＳ９５５の一部分９７０は、０で埋められ（または、外へパンクチャされ）得る。いくつかの例では、ウィンドウ処理およびオーバーラップ加算演算（たとえば、０とのオーバーラップ加算演算９９８およびウィンドウ処理）が、第１のＣＵＢＳ９５５の末尾部分９６５の送信の始まりにおいて（たとえば、時間９１５において）実行され得る。第２の送信９１０はまた、第２のＣＵＢＳ９６０を含み得、その第２のＣＵＢＳ９６０は、第２のシンボル期間９４０の間に送信される。
【０１５２】
[0181]第１のＣＵＢＳ９５５および第２のＣＵＢＳ９６０の各々は、１つのシンボル期間の持続時間を有し得、通常のＩＦＦＴを用いて生成され得る。第１の送信９０５または第２の送信９１０のいくつかの例では、第２のＣＵＢＳ９６０は、第１のＣＵＢＳ９５５の少なくとも一部分および第２のＣＵＢＳ９６０の少なくとも一部分の送信の後に無認可無線周波数スペクトル帯域を介して行われるべき送信に含まれる信号のコピーを含み得る。いくつかの例では、第１のＣＵＢＳ９５５の少なくとも一部分および第２のＣＵＢＳ９６０の少なくとも一部分の送信の後に、無認可無線周波数スペクトル帯域を介して行われるべき送信に含まれる信号は、ＤＭ−ＲＳを含み得る。いくつかの例では、第１のＣＵＢＳ９５５の少なくとも一部分および第２のＣＵＢＳ９６０の少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０１５３】
[0182]第１の送信９０５または第２の送信９１０のいくつかの例では、第１のＣＵＢＳ９５５の少なくとも一部分および第２のＣＵＢＳ９６０の少なくとも一部分は、第１のＣＵＢＳ９５５の少なくとも一部分および第２のＣＵＢＳ９６０の少なくとも一部分の送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０１５４】
[0183]いくつかの例では、無認可無線周波数スペクトル帯域へのアクセスのための競合に勝つ時間９１５が、時間９１５に後続する次のシンボル期間境界の前のしきい値時間９４５の前に（たとえば、第２のシンボル期間境界９２５の前のしきい値時間９４５の前に）発生すると決定するときに、第１の送信９０５または第２の送信９１０が行われ得る。無認可無線周波数スペクトル帯域へのアクセスのための競合に勝つ時間９１５が、時間９１５に後続する次のシンボル期間境界の前のしきい値時間９４５の前に発生すると決定するときに、第１の送信９０５または第２の送信９１０を行うことは、第１のＣＵＢＳ９５５の少なくとも一部分または第２のＣＵＢＳ９６０の少なくとも一部分を準備するのに十分な時間を提供し得る。他の例では、第１の送信９０５または第２の送信９１０は、時間９１５と、時間９１５に後続する次のシンボル期間境界の前のしきい値時間９４５との間の関係にかかわらず行われ得る。
【０１５５】
[0184]図１０は、本開示の様々な態様による、ＣＵＢＳの少なくとも一部分の例示的な送信を示すタイミング図である。いくつかの例では、送信は、図１または図２を参照しながら説明したＵＥ１１５、２１５、２１５−ａ、２１５−ｂ、または２１５−ｃのうちの１つなどの、ＵＥによって行われ得る。
【０１５６】
[0185]いくつかの例では、ＵＥは、図１０に示すように、無認可無線周波数スペクトル帯域を介して第１の送信１００５、第２の送信１０１０、第３の送信１０１５、または第４の送信１０２０を行い得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、第１の送信１００５、第２の送信１０１０、第３の送信１０１５、または第４の送信１０２０は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。いくつかの例では、無認可無線周波数スペクトル帯域へのアクセスのための競合に勝つ時間１０２５（たとえば、図３、図４、または図５を参照しながら説明したような、ＵＣＣＡに勝つ時間）が、時間１０２５に後続する次のシンボル期間境界の前のしきい値時間（Ｔ）１０６５（たとえば、第２のシンボル期間境界１０３５の前のしきい値時間１０６５）内に発生するとき、第１の送信１００５、第２の送信１０１０、第３の送信１０１５、または第４の送信１０２０は、（図９を参照しながら説明した）第１の送信９０５または第２の送信９１０の代わりに行われ得る。
【０１５７】
[0186]第１の送信１００５、第２の送信１０１０、第３の送信１０１５、または第４の送信１０２０はまた、無認可無線周波数スペクトル帯域へのアクセスのための競合に勝つ時間１０２５（たとえば、図３、図４、または図５を参照しながら説明したような、ＵＣＣＡに勝つ時間）、いくつかのシンボル期間境界（たとえば、第１のシンボル期間境界１０３０、第２のシンボル期間境界１０３５、第３のシンボル期間境界１０４０、または第４のシンボル期間境界１０４５）としての１つもしくは複数の時間、または時間１０２５に後続する次のシンボル期間境界の前のしきい値時間（Ｔ）１０６５（たとえば、第２のシンボル期間境界１０３５の前のしきい値時間１０６５）のうちの、１つまたは複数を基準として、ＵＥによって行われ得る。例として、第１のシンボル期間境界１０３０および第２のシンボル期間境界１０３５によって範囲を定められた第１のシンボル期間１０５０、第２のシンボル期間境界１０３５および第３のシンボル期間境界１０４０によって範囲を定められた第２のシンボル期間１０５５、ならびに第３のシンボル期間境界１０４０および第４のシンボル期間境界１０４５によって範囲を定められた第３のシンボル期間１０６０が示される。第２のシンボル期間１０５５は、第１のシンボル期間１０５０に後続し、第３のシンボル期間１０６０は、第２のシンボル期間１０５５に後続する。いくつかの例では、第１のシンボル期間１０５０、第２のシンボル期間１０５５、および第３のシンボル期間１０６０の各々は、ＯＦＤＭシンボル期間であり得る。例として、無認可無線周波数スペクトル帯域へのアクセスのための競合に勝つ時間１０２５が、第１のシンボル期間１０５０の間に発生し、それによって、第１のシンボル期間１０５０の分数期間１０７０（たとえば、時間１０２５および第２のシンボル期間境界１０３５によって範囲を定められた分数期間１０７０）を規定するように図１０に示される。時間１０２５と次のサブフレーム境界との間に入るシンボル期間またはシンボル期間の分数期間は、プリアンブルを規定し得る。
【０１５８】
[0187]第１の送信１００５を参照すると、第１の送信１００５は、第１のシンボル期間１０５０の分数期間１０７０の間に送信を含み得ず、第２のシンボル期間１０５５および第３のシンボル期間１０６０の各々の間に第２のＣＵＢＳ１０８０のインスタンスの送信を含み得る。
【０１５９】
[0188]第２の送信１０１０を参照すると、第２の送信１０１０は、第１のＣＵＢＳ１０７５の少なくとも一部分および第２のＣＵＢＳ１０８０の少なくとも一部分の送信を含み得る。第１のＣＵＢＳ１０７５の少なくとも一部分は、第１のＣＵＢＳ１０７５を含み得る、それは、第１のシンボル期間１０５０の分数期間１０７０および第２のシンボル期間１０５５の第１の部分にわたって送信され得る。第２のＣＵＢＳ１０８０は、第２のシンボル期間１０５５と時間整合され得、第２のＣＵＢＳ１０８０の少なくとも一部分は、時間整合された第２のＣＵＢＳ１０８０の末尾部分１０８５を含み得、その末尾部分１０８５は、第２のシンボル期間１０５５の第２の部分の間に送信され得る。第２のＣＵＢＳ１０８０の少なくとも一部分はまた、第３のシンボル期間１０６０の間に送信される第２のＣＵＢＳ１０８０のインスタンスを含み得る。このようにして、第２のＣＵＢＳ１０８０の末尾部分１０８５は、第２のＣＵＢＳ１０８０の循環的に拡張された部分と見なされ得る。いくつかの例では、ウィンドウ処理およびオーバーラップ加算演算１０９８が、第１のＣＵＢＳ１０７５と第２のＣＵＢＳの末尾部分１０８５との送信接合部において実行され得る。
【０１６０】
[0189]第３の送信１０１５を参照すると、第３の送信１０１５は、第１のＣＵＢＳ１０７５の少なくとも一部分および第２のＣＵＢＳ１０８０の少なくとも一部分の送信を含み得る。第１のＣＵＢＳ１０７５の少なくとも一部分は、第１のＣＵＢＳ１０７５を含み得る、それは、第１のシンボル期間１０５０の分数期間１０７０および第２のシンボル期間１０５５の第１の部分にわたって送信され得る。第１のＣＵＢＳ１０７５の少なくとも一部分はまた、第１のＣＵＢＳ１０７５の冒頭部分１０９０を含み得、第１のＣＵＢＳ１０７５のその冒頭部分１０９０は、第２のシンボル期間１０５５の第２の部分の間に送信され得る。このようにして、第１のＣＵＢＳ１０７５の冒頭部分１０９０は、第１のＣＵＢＳ１０７５の循環的に拡張された部分と見なされ得る。第２のＣＵＢＳ１０８０の少なくとも一部分は、第３のシンボル期間１０６０の間に送信される第２のＣＵＢＳ１０８０のインスタンスを含み得る。
【０１６１】
[0190]第４の送信１０２０を参照すると、第４の送信１０２０は、第１のＣＵＢＳ１０７５の少なくとも一部分および第２のＣＵＢＳ１０８０の少なくとも一部分の送信を含み得る。第１のＣＵＢＳ１０７５の少なくとも一部分は、第１のＣＵＢＳ１０７５の末尾部分１０９５を含み得、第１のＣＵＢＳ１０７５のその末尾部分１０９５は、第１のシンボル期間１０５０の分数期間１０７０の間に送信され得る。いくつかの例では、図１１を参照しながら説明するように、第１のＣＵＢＳ１０７５が生成され得、第１のＣＵＢＳ１０７５の末尾部分１０９５が選択され得る。たとえば、第１のＣＵＢＳ１０７５は、第１のシンボル期間１０５０と時間整合され得、時間１０２５の前に生じる第１のＣＵＢＳ１０７５の一部分１０９７は、０で埋められ（または、外へパンクチャされ）得る。いくつかの例では、ウィンドウ処理およびオーバーラップ加算（たとえば、ウィンドウ処理および０とのオーバーラップ加算１０９９）が、第１のＣＵＢＳ１０７５の末尾部分１０９５の送信の始まりにおいて（たとえば、時間１０２５において）実行され得る。第２のＣＵＢＳ１０８０の少なくとも一部分は、第２のシンボル期間１０５５および第３のシンボル期間１０６０の間に送信される第２のＣＵＢＳ１０８０のインスタンスを含み得る。いくつかの例では、ウィンドウ処理およびオーバーラップ加算演算（たとえば、ウィンドウ処理および０とのオーバーラップ加算演算）が、第１のＣＵＢＳ１０７５の末尾部分１０９５の送信の始まりにおいて（たとえば、時間１０２５において）実行され得る。
【０１６２】
[0191]第１のＣＵＢＳ１０７５および第２のＣＵＢＳ１０８０の各々は、１つのシンボル期間の持続時間を有し得、通常のＩＦＦＴを用いて生成され得る。第１の送信１００５、第２の送信１０１０、第３の送信１０１５、または第４の送信１０２０のいくつかの例では、第２のＣＵＢＳ１０８０は、ＣＵＢＳの少なくとも一部分の送信の後に無認可無線周波数スペクトル帯域を介して行われるべき送信に含まれる信号のコピーを含み得る。いくつかの例では、ＣＵＢＳの少なくとも一部分の送信の後に、無認可無線周波数スペクトル帯域を介して行われるべき送信に含まれる信号は、ＤＭ−ＲＳを含み得る。いくつかの例では、ＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０１６３】
[0192]第１の送信１００５、第２の送信１０１０、第３の送信１０１５、または第４の送信１０２０のいくつかの例では、ＣＵＢＳの少なくとも一部分は、ＣＵＢＳの少なくとも一部分の送信の後に、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０１６４】
[0193]図１１は、本開示の様々な態様による、無認可無線周波数スペクトル帯域を介したＣＵＢＳの例示的な送信を示すタイミング図である。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。いくつかの例では、送信は、図１または図２を参照しながら説明したＵＥ１１５、２１５、２１５−ａ、２１５−ｂ、または２１５−ｃのうちの１つなどの、ＵＥによって行われ得る。
【０１６５】
[0194]いくつかの例では、第２のＣＵＢＳ１１８５は、無認可無線周波数スペクトル帯域の第１の周波数インターレース１１０５、無認可無線周波数スペクトル帯域の第２の周波数インターレース１１１０、および無認可無線周波数スペクトル帯域の第３の周波数インターレース１１１５を介して送信され得る。いくつかの例では、第１の周波数インターレース１１０５、第２の周波数インターレース１１１０、および第３の周波数インターレース１１１５の各々は、単一のＵＥに割り振られ（allocated）得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、図１１に示すように、無認可無線周波数スペクトル帯域の中で均一に離間され得る。他の例では、同時に送信されるリソースブロックは、無認可無線周波数スペクトル帯域の中で不均一に離間され得る。例として、第１の周波数インターレース１１０５、第２の周波数インターレース１１１０、および第３の周波数インターレース１１１５の各々は、同時に送信される３つのリソースブロックを含む（たとえば、第１の周波数インターレース１１０５が、同時に送信される第１のリソースブロック１１２０と、第２のリソースブロック１１２５と、第３のリソースブロック１１３０とを含む）ように示される。ただし、周波数インターレースは、より多数またはより少数の、同時に送信されるリソースブロックを含んでよい。いくつかの例では、周波数インターレースは、同時に送信される１０個のリソースブロックを含み得る。
【０１６６】
[0195]第１のＣＵＢＳ１１７０および第２のＣＵＢＳ１１８５は、無認可無線周波数スペクトル帯域へのアクセスのための競合に勝つ時間１１３２（たとえば、図３、図４、または図５を参照しながら説明したような、ＵＣＣＡに勝つ時間）と、サブフレーム境界１１３５との間で送信され得る。例として、図１１は、時間１１３２とサブフレーム境界１１３５との間の時間期間が、第１のシンボル期間１１３９の分数期間１１３７と、第２のシンボル期間１１４０と、第３のシンボル期間１１４５と、第４のシンボル期間１１５０（たとえば、ＯＦＤＭシンボル期間）とを含むことを示す。第１のＣＵＢＳ１１７０は、第１のシンボル期間１１３９の分数期間１１３７の間に送信され得、第２のＣＵＢＳ１１８５は、第２のシンボル期間１１４０、第３のシンボル期間１１４５、および第４のシンボル期間１１５０の各々の間に送信され得る。
【０１６７】
[0196]いくつかの例では、第２のＣＵＢＳ１１８５は、第１のＣＵＢＳ１１７０および第２のＣＵＢＳ１１８５の送信の後に無認可無線周波数スペクトル帯域を介して行われるべき送信１１５５に含まれる信号のコピーを含み得る。いくつかの例では、送信１１５５に含まれる信号は、ＤＭ−ＲＳを含み得る。例として、ＤＭ−ＲＳは、送信１１５５の第４のシンボル期間１１７２の中で送信されるように示される。いくつかの例では、送信１１５５に含まれる信号（たとえば、ＤＭ−ＲＳ）のコピーは、無認可無線周波数スペクトル帯域へのアクセスのための競合に勝つ時間１１３２とサブフレーム境界１１３５との間に入る完全な各シンボル期間（たとえば、第２のシンボル期間１１４０、第３のシンボル期間１１４５、および第４のシンボル期間１１５０）の中で送信され得る。いくつかの例では、送信１１５５は、ＰＵＳＣＨ、ＰＵＣＣＨ、ＰＲＡＣＨ、ＳＲＳ、ＳＲ、またはそれらの組合せを含み得る。
【０１６８】
[0197]いくつかの例では、第２のＣＵＢＳ１１８５は、送信１１５５と同じ物理リソースブロックおよびトーンのセットを介して送信され得る。このようにして、第２のＣＵＢＳ１１８５は、他の送信に直交して送信され得る。いくつかの例では、第２のＣＵＢＳ１１８５は、送信１１５５のために使用されるアンテナポートおよびプリコーダの同じセットを使用して、無認可無線周波数スペクトル帯域を介して送信され得る。
【０１６９】
[0198]いくつかの例では、第１のＣＵＢＳ１１７０は、送信１１５５において使用される、選択されたトーン（たとえば、第１のトーン１１０１と、第２のトーン１１０２と、第３のトーン１１０３とを含むトーン）を介して送信されるように構成され得る。たとえば、第１のＣＵＢＳ１１７０は、選択されるトーンと送信１１５５に割り振られない最も近いトーンとの間の、周波数スペクトルの中での１つの距離（または、複数の距離）を最大化するように選択されたトーン（たとえば、第１の周波数インターレース１１０５、第２の周波数インターレース１１１０、および第３の周波数インターレース１１１５のリソースブロックのトーン）を介して送信されるように構成され得る。いくつかの例では、選択されるトーンは、送信１１５５に割り振られた連続するリソースブロッククラスタの中央におけるトーン（たとえば、各物理リソースブロックがトーン＃０〜＃１１を有する２つのリソースブロッククラスタの、隣接する（第２の周波数インターレース１１１０のリソースブロックの中の）トーン＃１１および（第３の周波数インターレース１１１５のリソースブロックの中の）トーン＃０のうちの１つ）であり得る。いくつかの例では、第１のＣＵＢＳ１１７０を送信するために使用される全送信電力は、送信１１５５を送信するために使用される全送信電力に整合され得る。
【０１７０】
[0199]第１のＣＵＢＳ１１７０の送信のためのトーンを選択することの一例では、物理リソースブロックの各々が時間領域における単一のシンボル期間の間に同時に送信されるものとして、周波数領域において１００個の物理リソースブロックに分割される無認可無線周波数スペクトル帯域を考慮する。１００個の物理リソースブロックが１０個の周波数インターレースの間で均一に分布すること、および各周波数インターレースが、１０個のリソースブロックグループの各々からの物理リソースブロックを含み、ここで、リソースブロックグループが、１００個の物理リソースブロックのうちの連続する１０個の物理リソースブロックを含むことも考慮に入れる。各物理リソースブロックが、＃０〜＃１１と番号付けされた１２個のトーンを含むことも考慮に入れる。そのような例では、第１のＣＵＢＳ１１７０を送信するためのトーンを選択する方法は、以下の動作を含み得る。１０個のリソースブロックグループの中から、最低位の周波数リソースブロックグループおよび最低位の周波数物理リソースブロックから始めて、第１のＵＥに割り振られた連続する物理リソースブロックの最大クラスタが選択されてよく、連続する物理リソースブロックのその最大のクラスタは、最低位の周波数リソースブロックグループの中の少なくとも１つの物理リソースブロックを含む。トーンは、次いで、この最大クラスタの中央から選択されてよい。クラスタが偶数個の物理リソースブロックを含む場合、選択されるトーンは、物理リソースブロックの最初または最後のトーン（たとえば、トーン＃０または＃１１）であってよい。クラスタが奇数個の物理リソースブロックを含む場合、選択されるトーンは、物理リソースブロックのトーン＃５または＃６であってよい。同様に位置決定されるトーンは、次いで、より高位の各周波数リソースブロックグループから選択されてよく、あいまいさを明らかにし（accounting for）、その結果、１０個のトーンの得られた（resulting）選択におけるトーンは、無認可無線周波数スペクトル帯域にわたって均一に離間される。
【０１７１】
[0200]図７、図８、図９、図１０、または図１１を参照すると、ＵＥに割り振られた周波数インターレースのリソースブロックが均一な間隔（たとえば、リソースブロック＃０、＃１０、＃２０、＃３０、＃４０、＃５０、＃６０、＃７０、＃８０、および＃９０）の代わりに不均一な間隔（たとえば、リソースブロック＃０〜＃９９のうちのリソースブロック＃０、＃１２、＃２０、＃３１、＃４１、＃５２、＃６０、＃７３、＃８２、および＃９１）を有するとき、次いで、第１のＣＵＢＳの一部分および第２のＣＵＢＳは、混乱した（dithered）インターレースを占有するはずであり、図８を参照しながら説明した例示的な第１の送信８０５は、例示的な第２の送信８１０ほど望ましくないことがある。
【０１７２】
[0201]図１２は、本開示の様々な態様による、ワイヤレス通信における使用のための装置１２１５のブロック図１２００を示す。装置１２１５は、図１または図２を参照しながら説明したＵＥ１１５、２１５、２１５−ａ、２１５−ｂ、または２１５−ｃのうちの１つまたは複数の態様の一例であり得る。装置１２１５はまた、プロセッサであってよく、またはプロセッサを含んでもよい。装置１２１５は、受信機構成要素１２１０、ワイヤレス通信管理構成要素１２２０、または送信機構成要素１２３０を含み得る。これらの構成要素の各々は、互いに通信し得る。
【０１７３】
[0202]装置１２１５の構成要素は、適用可能な機能のいくつかまたは全部をハードウェアで実行するように適合された１つまたは複数の特定用途向け集積回路（ＡＳＩＣ）を使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された（embodied）命令を用いて実施され得る。
【０１７４】
[0203]いくつかの例では、受信機構成要素１２１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つの無線周波数（ＲＦ）受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１２１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１７５】
[0204]いくつかの例では、送信機構成要素１２３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１２３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１７６】
[0205]いくつかの例では、ワイヤレス通信管理構成要素１２２０は、装置１２１５のためのワイヤレス通信の１つまたは複数の態様を管理するために使用され得る。いくつかの例では、ワイヤレス通信管理構成要素１２２０は、ＣＣＡ構成要素１２３５またはＣＵＢＳ管理構成要素１２４０を含み得る。
【０１７７】
[0206]いくつかの例では、ＣＣＡ構成要素１２３５は、無認可無線周波数スペクトル帯域へのアクセスのために競合し得る。いくつかの例では、ＣＣＡ構成要素１２３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１２３５は、ＣＵＢＳ管理構成要素１２４０が無認可無線周波数スペクトル帯域を介して少なくとも１つのＣＵＢＳの一部分を送信することを可能にし得る。
【０１７８】
[0207]いくつかの例では、ＣＵＢＳ管理構成要素１２４０は、無認可無線周波数スペクトル帯域を介してＣＵＢＳの少なくとも一部分を送信するために使用され得る。ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０１７９】
[0208]いくつかの例では、ＣＵＢＳ管理構成要素１２４０を使用して送信されるＣＵＢＳの少なくとも一部分は、第１のＣＵＢＳの少なくとも一部分と、第２のＣＵＢＳの少なくとも一部分とを含み得る。第１のＣＵＢＳは、第２のＣＵＢＳと異なり得る。いくつかの例では、ＣＵＢＳ管理構成要素１２４０は、第１のシンボル期間の少なくとも分数期間を含むプリアンブルの間に、第１のＣＵＢＳの少なくとも一部分と、第２のＣＵＢＳの少なくとも一部分とを送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０１８０】
[0209]いくつかの例では、ＣＵＢＳ管理構成要素１２４０を使用して送信されるＣＵＢＳは、信号のコピーを含み得、その信号は、ＣＵＢＳの少なくとも一部分の送信の後に無認可無線周波数スペクトル帯域を介して行われるべき送信に含まれるべきである。いくつかの例では、ＣＵＢＳの少なくとも一部分の送信の後に、無認可無線周波数スペクトル帯域を介して行われるべき送信に含まれる信号は、ＤＭ−ＲＳを含み得る。いくつかの例では、ＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０１８１】
[0210]図１３は、本開示の様々な態様による、ワイヤレス通信における使用のための装置１３１５のブロック図１３００を示す。装置１３１５は、図１または図２を参照しながら説明したＵＥ１１５、２１５、２１５−ａ、２１５−ｂ、または２１５−ｃのうちの１つまたは複数の態様、あるいは図１２を参照しながら説明した装置１２１５の態様の一例であり得る。装置１３１５はまた、プロセッサであってよく、またはプロセッサを含んでもよい。装置１３１５は、受信機構成要素１３１０、ワイヤレス通信管理構成要素１３２０、または送信機構成要素１３３０を含み得る。これらの構成要素の各々は、互いに通信し得る。
【０１８２】
[0211]装置１３１５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０１８３】
[0212]いくつかの例では、受信機構成要素１３１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１３１０は、場合によっては、認可無線周波数スペクトル帯域のためのおよび無認可無線周波数スペクトル帯域のための個別の（separate）受信機を含み得る。個別の受信機は、いくつかの例では、認可無線周波数スペクトル帯域を介して通信するためのＬＴＥ／ＬＴＥ−Ａ受信機構成要素（たとえば、認可ＲＦスペクトル帯域のためのＬＴＥ／ＬＴＥ−Ａ受信機構成要素１３１２）、および無認可無線周波数スペクトル帯域を介して通信するためのＬＴＥ／ＬＴＥ−Ａ受信機構成要素（たとえば、無認可ＲＦスペクトル帯域のためのＬＴＥ／ＬＴＥ−Ａ受信機構成要素１３１４）の形態をとり得る。認可ＲＦスペクトル帯域のためのＬＴＥ／ＬＴＥ−Ａ受信機構成要素１３１２または無認可ＲＦスペクトル帯域のためのＬＴＥ／ＬＴＥ−Ａ受信機構成要素１３１４を含む受信機構成要素１３１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１８４】
[0213]いくつかの例では、送信機構成要素１３３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１３３０は、場合によっては、認可無線周波数スペクトル帯域のためのおよび無認可無線周波数スペクトル帯域のための個別の送信機を含み得る。個別の送信機は、いくつかの例では、認可無線周波数スペクトル帯域を介して通信するためのＬＴＥ／ＬＴＥ−Ａ送信機構成要素（たとえば、認可ＲＦスペクトル帯域のためのＬＴＥ／ＬＴＥ−Ａ送信機構成要素１３３２）、および無認可無線周波数スペクトル帯域を介して通信するためのＬＴＥ／ＬＴＥ−Ａ送信機構成要素（たとえば、無認可ＲＦスペクトル帯域のためのＬＴＥ／ＬＴＥ−Ａ送信機構成要素１３３４）の形態をとり得る。認可ＲＦスペクトル帯域のためのＬＴＥ／ＬＴＥ−Ａ送信機構成要素１３３２または無認可ＲＦスペクトル帯域のためのＬＴＥ／ＬＴＥ−Ａ送信機構成要素１３３４を含む送信機構成要素１３３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１８５】
[0214]いくつかの例では、ワイヤレス通信管理構成要素１３２０は、装置１３１５のためのワイヤレス通信の１つまたは複数の態様を管理するために使用され得る。いくつかの例では、ワイヤレス通信管理構成要素１３２０は、ＣＣＡ構成要素１３３５またはＣＵＢＳ管理構成要素１３４０を含み得る。
【０１８６】
[0215]いくつかの例では、ＣＣＡ構成要素１３３５は、無認可無線周波数スペクトル帯域へのアクセスのために競合し得る。いくつかの例では、ＣＣＡ構成要素１３３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１３３５は、ＣＵＢＳ管理構成要素１３４０が無認可無線周波数スペクトル帯域を介して少なくとも１つのＣＵＢＳの一部分を送信することを可能にし得る。
【０１８７】
[0216]いくつかの例では、ＣＵＢＳ管理構成要素１３４０は、無認可無線周波数スペクトル帯域を介してＣＵＢＳの少なくとも一部分を送信するために使用され得る。ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０１８８】
[0217]いくつかの例では、ＣＵＢＳ管理構成要素１３４０を使用して送信されるＣＵＢＳの少なくとも一部分は、第１のＣＵＢＳの少なくとも一部分と、第２のＣＵＢＳの少なくとも一部分とを含み得る。第１のＣＵＢＳは、第２のＣＵＢＳと異なり得る。いくつかの例では、ＣＵＢＳ管理構成要素１３４０は、第１のシンボル期間の少なくとも分数期間を含むプリアンブルの間に、第１のＣＵＢＳの少なくとも一部分と、第２のＣＵＢＳの少なくとも一部分とを送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０１８９】
[0218]いくつかの例では、ＣＵＢＳ管理構成要素１３４０は、シンボルサブ期間ＣＵＢＳ管理構成要素１３４５、ＣＵＢＳ生成構成要素１３５０、ＣＵＢＳ部分選択構成要素１３５５、またはウィンドウ処理およびオーバーラップ加算構成要素１３６０を含み得る。いくつかの例では、シンボル期間は、複数のサブ期間を含み得、シンボルサブ期間ＣＵＢＳ管理構成要素１３４５は、無認可無線周波数スペクトル帯域へのアクセスのための競合に勝つ時間に後続するいくつかの完全なサブ期間（たとえば、無認可無線周波数スペクトル帯域へのアクセスのための競合に勝つ時間に後続するシンボル期間の分数期間に含まれるいくつかの完全なサブ期間）を決定するために使用され得る。シンボルサブ期間ＣＵＢＳ管理構成要素１３４５はまた、たとえば、図８を参照して説明したように、無認可無線周波数スペクトル帯域へのアクセスのための競合に勝つことに後続する、いくつかの完全なサブ期間の各々の中で、第１のＣＵＢＳのインスタンスを送信するために使用され得る。いくつかの例では、第１のＣＵＢＳは、第１のＣＵＢＳのインスタンスが第１のＣＵＢＳまたは第２のＣＵＢＳの別のインスタンスと境を接するとき、時間領域における滑らかさをもたらす周期的なゼロ交差を含み得る。
【０１９０】
[0219]いくつかの例では、ＣＵＢＳ生成構成要素１３５０は、第１のＣＵＢＳまたは第２のＣＵＢＳを生成するために使用され得る。いくつかの例では、図２７または図２８を参照しながら説明するように、ＣＵＢＳ生成構成要素１３５０は、第１のＣＵＢＳを生成し得る。いくつかの例では、第１のＣＵＢＳおよび第２のＣＵＢＳの各々は、１つのシンボル期間の持続時間を有し得、通常のＩＦＦＴを用いて生成され得る。
【０１９１】
[0220]いくつかの例では、ＣＵＢＳ部分選択構成要素１３５５は、第１のＣＵＢＳを第１のシンボル期間と時間整合させ、または第２のＣＵＢＳを第２のシンボル期間と時間整合させるために使用され得る。ＣＵＢＳ部分選択構成要素１３５５はまた、プリアンブルの間に送信される第１のＣＵＢＳまたは第２のＣＵＢＳの部分（portions）を選択するために使用され得る。
【０１９２】
[0221]いくつかの例では、ＣＵＢＳ部分選択構成要素１３５５は、第１のシンボル期間の分数期間の間に第１のＣＵＢＳの冒頭部分を送信し、第２のシンボル期間の間に第２のＣＵＢＳを送信するために使用され得る。
【０１９３】
[0222]いくつかの例では、ＣＵＢＳ部分選択構成要素１３５５は、第１のシンボル期間の分数期間および第２のシンボル期間の第１の部分にわたって第１のＣＵＢＳを送信し、第２のシンボル期間の第２の部分の間に、時間整合された第２のＣＵＢＳの末尾部分を送信するために使用され得る。
【０１９４】
[0223]いくつかの例では、ＣＵＢＳ部分選択構成要素１３５５は、第１のシンボル期間の分数期間および第２のシンボル期間の第１の部分にわたって第１のＣＵＢＳを送信し、第２のシンボル期間の第２の部分の間に第１のＣＵＢＳの冒頭部分を送信し、第３のシンボル期間の間に第２のＣＵＢＳを送信するために使用され得る。
【０１９５】
[0224]いくつかの例では、ＣＵＢＳ部分選択構成要素１３５５は、第１のシンボル期間の分数期間の間に、時間整合された第１のＣＵＢＳの末尾部分を送信し、第２のシンボル期間の間に第２のＣＵＢＳを送信するために使用され得る。
【０１９６】
[0225]いくつかの例では、ウィンドウ処理およびオーバーラップ加算構成要素１３６０は、第１のＣＵＢＳの少なくとも一部分と第２のＣＵＢＳの少なくとも一部分との送信接合部において、ウィンドウ処理およびオーバーラップ加算演算を実行するために使用され得る。いくつかの例では、ウィンドウ処理およびオーバーラップ加算構成要素１３６０は、第１のＣＵＢＳの少なくとも一部分の送信の始まりにおいて、ウィンドウ処理およびオーバーラップ加算演算を実行するために使用され得る。
【０１９７】
[0226]いくつかの例では、ＣＵＢＳ管理構成要素１３４０を使用して送信されるＣＵＢＳは、第１のＣＵＢＳの少なくとも一部分および第２のＣＵＢＳの少なくとも一部分の送信の後に無認可無線周波数スペクトル帯域を介して行われるべき送信に含まれる信号のコピーを含み得る。いくつかの例では、第１のＣＵＢＳの少なくとも一部分および第２のＣＵＢＳの少なくとも一部分の送信の後に、無認可無線周波数スペクトル帯域を介して行われるべき送信に含まれる信号は、ＤＭ−ＲＳを含み得る。いくつかの例では、第１のＣＵＢＳの少なくとも一部分および第２のＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０１９８】
[0227]いくつかの例では、ＣＵＢＳ管理構成要素１３４０は、第１のＣＵＢＳの少なくとも一部分および第２のＣＵＢＳの少なくとも一部分の送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して、第１のＣＵＢＳの少なくとも一部分と第２のＣＵＢＳの少なくとも一部分とを送信するために使用され得る。
【０１９９】
[0228]図１４は、本開示の様々な態様による、ワイヤレス通信における使用のための装置１４１５のブロック図１４００を示す。装置１４１５は、図１または図２を参照しながら説明したＵＥ１１５、２１５、２１５−ａ、２１５−ｂ、または２１５−ｃのうちの１つまたは複数の態様、あるいは図１２または図１３を参照しながら説明した装置１２１５または１３１５の態様の一例であり得る。装置１４１５はまた、プロセッサであってよく、またはプロセッサを含んでもよい。装置１４１５は、受信機構成要素１４１０、ワイヤレス通信管理構成要素１４２０、または送信機構成要素１４３０を含み得る。これらの構成要素の各々は、互いに通信し得る。
【０２００】
[0229]装置１４１５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０２０１】
[0230]いくつかの例では、受信機構成要素１４１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１４１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０２０２】
[0231]いくつかの例では、送信機構成要素１４３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１４３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０２０３】
[0232]いくつかの例では、ワイヤレス通信管理構成要素１４２０は、装置１４１５のためのワイヤレス通信の１つまたは複数の態様を管理するために使用され得る。いくつかの例では、ワイヤレス通信管理構成要素１４２０は、ＣＣＡ構成要素１４３５、競合タイミング決定構成要素１４４５、またはＣＵＢＳ管理構成要素１４４０を含み得る。
【０２０４】
[0233]いくつかの例では、ＣＣＡ構成要素１４３５は、無認可無線周波数スペクトル帯域へのアクセスのために競合し得る。いくつかの例では、ＣＣＡ構成要素１４３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１４３５は、ＣＵＢＳ管理構成要素１４４０が無認可無線周波数スペクトル帯域を介して少なくとも１つのＣＵＢＳの一部分を送信することを可能にし得る。
【０２０５】
[0234]いくつかの例では、競合タイミング決定構成要素１４４５は、ＣＣＡ構成要素１４３５によって勝った競合が、次のシンボル期間境界の前のしきい値時間内に勝ったかどうかを決定するために使用され得る。
【０２０６】
[0235]いくつかの例では、ＣＵＢＳ管理構成要素１４４０は、無認可無線周波数スペクトル帯域を介してＣＵＢＳの少なくとも一部分を送信するために使用され得る。ＣＵＢＳの少なくとも一部分は、競合タイミング決定構成要素１４４５によって行われた決定に基づき得る。ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０２０７】
[0236]いくつかの例では、ＣＵＢＳ管理構成要素１４４０を使用して送信されるＣＵＢＳの少なくとも一部分は、第１のＣＵＢＳの少なくとも一部分と、第２のＣＵＢＳの少なくとも一部分とを含み得る。第１のＣＵＢＳは、第２のＣＵＢＳと異なり得る。いくつかの例では、ＣＵＢＳ管理構成要素１４４０は、第１のシンボル期間の少なくとも分数期間を含むプリアンブルの間に、ＣＵＢＳの少なくとも一部分、すなわち、第１のＣＵＢＳの少なくとも一部分と、第２のＣＵＢＳの少なくとも一部分とを送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０２０８】
[0237]図１５は、本開示の様々な態様による、ワイヤレス通信における使用のための装置１５１５のブロック図１５００を示す。装置１５１５は、図１または図２を参照しながら説明したＵＥ１１５、２１５、２１５−ａ、２１５−ｂ、または２１５−ｃのうちの１つまたは複数の態様、あるいは図１２、図１３、または図１４を参照しながら説明した装置１２１５、１３１５、または１４１５の態様の一例であり得る。装置１５１５はまた、プロセッサであってよく、またはプロセッサを含んでもよい。装置１５１５は、受信機構成要素１５１０、ワイヤレス通信管理構成要素１５２０、または送信機構成要素１５３０を含み得る。これらの構成要素の各々は、互いに通信し得る。
【０２０９】
[0238]装置１５１５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０２１０】
[0239]いくつかの例では、受信機構成要素１５１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１５１０は、場合によっては、認可無線周波数スペクトル帯域のためのおよび無認可無線周波数スペクトル帯域のための個別の受信機を含み得る。個別の受信機は、いくつかの例では、認可無線周波数スペクトル帯域を介して通信するためのＬＴＥ／ＬＴＥ−Ａ受信機構成要素（たとえば、認可ＲＦスペクトル帯域のためのＬＴＥ／ＬＴＥ−Ａ受信機構成要素１５１２）、および無認可無線周波数スペクトル帯域を介して通信するためのＬＴＥ／ＬＴＥ−Ａ受信機構成要素（たとえば、無認可ＲＦスペクトル帯域のためのＬＴＥ／ＬＴＥ−Ａ受信機構成要素１５１４）の形態をとり得る。認可ＲＦスペクトル帯域のためのＬＴＥ／ＬＴＥ−Ａ受信機構成要素１５１２または無認可ＲＦスペクトル帯域のためのＬＴＥ／ＬＴＥ−Ａ受信機構成要素１５１４を含む受信機構成要素１５１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０２１１】
[0240]いくつかの例では、送信機構成要素１５３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１５３０は、場合によっては、認可無線周波数スペクトル帯域のためのおよび無認可無線周波数スペクトル帯域のための個別の送信機を含み得る。個別の送信機は、いくつかの例では、認可無線周波数スペクトル帯域を介して通信するためのＬＴＥ／ＬＴＥ−Ａ送信機構成要素（たとえば、認可ＲＦスペクトル帯域のためのＬＴＥ／ＬＴＥ−Ａ送信機構成要素１５３２）、および無認可無線周波数スペクトル帯域を介して通信するためのＬＴＥ／ＬＴＥ−Ａ送信機構成要素（たとえば、無認可ＲＦスペクトル帯域のためのＬＴＥ／ＬＴＥ−Ａ送信機構成要素１５３４）の形態をとり得る。認可ＲＦスペクトル帯域のためのＬＴＥ／ＬＴＥ−Ａ送信機構成要素１５３２または無認可ＲＦスペクトル帯域のためのＬＴＥ／ＬＴＥ−Ａ送信機構成要素１５３４を含む送信機構成要素１５３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０２１２】
[0241]いくつかの例では、ワイヤレス通信管理構成要素１５２０は、装置１５１５のためのワイヤレス通信の１つまたは複数の態様を管理するために使用され得る。いくつかの例では、ワイヤレス通信管理構成要素１５２０は、ＣＣＡ構成要素１５３５、競合タイミング決定構成要素１５４５、またはＣＵＢＳ管理構成要素１５４０を含み得る。
【０２１３】
[0242]いくつかの例では、ＣＣＡ構成要素１５３５は、無認可無線周波数スペクトル帯域へのアクセスのために競合し得る。いくつかの例では、ＣＣＡ構成要素１５３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１５３５は、ＣＵＢＳ管理構成要素１５４０が無認可無線周波数スペクトル帯域を介して少なくとも１つのＣＵＢＳの一部分を送信することを可能にし得る。
【０２１４】
[0243]いくつかの例では、競合タイミング決定構成要素１５４５は、ＣＣＡ構成要素１５３５によって勝った競合が、次のシンボル期間境界の前のしきい値時間内に勝ったかどうかを決定するために使用され得る。
【０２１５】
[0244]いくつかの例では、ＣＵＢＳ管理構成要素１５４０は、無認可無線周波数スペクトル帯域を介してＣＵＢＳの少なくとも一部分を送信するために使用され得る。ＣＵＢＳの少なくとも一部分は、競合タイミング決定構成要素１５４５によって行われた決定に基づき得る。ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０２１６】
[0245]いくつかの例では、ＣＵＢＳ管理構成要素１５４０を使用して送信されるＣＵＢＳの少なくとも一部分は、第１のＣＵＢＳの少なくとも一部分と、第２のＣＵＢＳの少なくとも一部分とを含み得る。第１のＣＵＢＳは、第２のＣＵＢＳと異なり得る。いくつかの例では、ＣＵＢＳ管理構成要素１５４０は、第１のシンボル期間の少なくとも分数期間を含むプリアンブルの間に、ＣＵＢＳの少なくとも一部分、すなわち、第１のＣＵＢＳの少なくとも一部分と、第２のＣＵＢＳの少なくとも一部分とを送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０２１７】
[0246]いくつかの例では、ＣＵＢＳ管理構成要素１５４０は、ＣＵＢＳ生成構成要素１５５０、ＣＵＢＳ部分選択構成要素１５５５、またはウィンドウ処理およびオーバーラップ加算構成要素１５６０を含み得る。いくつかの例では、ＣＵＢＳ生成構成要素１５５０は、第１のＣＵＢＳまたは第２のＣＵＢＳを生成するために使用され得る。いくつかの例では、図２７または図２８を参照しながら説明するように、ＣＵＢＳ生成構成要素１５５０は、第１のＣＵＢＳを生成し得る。いくつかの例では、第１のＣＵＢＳおよび第２のＣＵＢＳの各々は、１つのシンボル期間の持続時間を有し得、通常のＩＦＦＴを用いて生成され得る。
【０２１８】
[0247]いくつかの例では、ＣＵＢＳ部分選択構成要素１５５５は、第１のＣＵＢＳを第１のシンボル期間と時間整合させ、または第２のＣＵＢＳを第２のシンボル期間と時間整合させるために使用され得る。ＣＵＢＳ部分選択構成要素１５５５はまた、プリアンブルの間に送信される第１のＣＵＢＳまたは第２のＣＵＢＳの部分（portions）を選択するために使用され得る。
【０２１９】
[0248]いくつかの例では、次のシンボル境界の前のしきい値時間の前に競合に勝ったと競合タイミング決定構成要素１５４５が決定するとき、ＣＵＢＳ部分選択構成要素１５５５は、第１のシンボル期間の分数期間の間に第１のＣＵＢＳの冒頭部分を送信し、第２のシンボル期間の間に第２のＣＵＢＳを送信するために使用され得る。
【０２２０】
[0249]いくつかの例では、次のシンボル境界の前のしきい値時間内に競合に勝ったと競合タイミング決定構成要素１５４５が決定するとき、ＣＵＢＳ部分選択構成要素１５５５は、第２のシンボル期間の間に第２のＣＵＢＳを送信し、第１のシンボル期間の分数期間の間に送信を行わないために使用され得る。
【０２２１】
[0250]いくつかの例では、次のシンボル境界の前のしきい値時間内に競合に勝ったと競合タイミング決定構成要素１５４５が決定するとき、ＣＵＢＳ部分選択構成要素１５５５は、第１のシンボル期間の分数期間および第２のシンボル期間の第１の部分にわたって第１のＣＵＢＳを送信し、第２のシンボル期間の第２の部分の間に、時間整合された第２のＣＵＢＳの末尾部分を送信するために使用され得る。
【０２２２】
[0251]いくつかの例では、次のシンボル境界の前のしきい値時間内に競合に勝ったと競合タイミング決定構成要素１５４５が決定するとき、ＣＵＢＳ部分選択構成要素１５５５は、第１のシンボル期間の分数期間および第２のシンボル期間の第１の部分にわたって第１のＣＵＢＳを送信し、第２のシンボル期間の第２の部分の間に第１のＣＵＢＳの冒頭部分を送信し、第３のシンボル期間の間に第２のＣＵＢＳを送信するために使用され得る。
【０２２３】
[0252]いくつかの例では、次のシンボル境界の前のしきい値時間内に競合に勝ったと競合タイミング決定構成要素１５４５が決定するかどうかにかかわらず、ＣＵＢＳ部分選択構成要素１５５５は、第１のシンボル期間の分数期間の間に、時間整合された第１のＣＵＢＳの末尾部分を送信し、第２のシンボル期間の間に第２のＣＵＢＳを送信するために使用され得る。
【０２２４】
[0253]いくつかの例では、ウィンドウ処理およびオーバーラップ加算構成要素１５６０は、第１のＣＵＢＳの少なくとも一部分と第２のＣＵＢＳの少なくとも一部分との送信接合部において、ウィンドウ処理およびオーバーラップ加算演算を実行するために使用され得る。いくつかの例では、ウィンドウ処理およびオーバーラップ加算構成要素１３６０は、第１のＣＵＢＳの少なくとも一部分の送信の始まりにおいて、ウィンドウ処理およびオーバーラップ加算演算を実行するために使用され得る。
【０２２５】
[0254]いくつかの例では、ＣＵＢＳ管理構成要素１５４０を使用して送信されるＣＵＢＳは、第１のＣＵＢＳの少なくとも一部分および第２のＣＵＢＳの少なくとも一部分の送信の後に無認可無線周波数スペクトル帯域を介して行われるべき送信に含まれる信号のコピーを含み得る。いくつかの例では、第１のＣＵＢＳの少なくとも一部分および第２のＣＵＢＳの少なくとも一部分の送信の後に、無認可無線周波数スペクトル帯域を介して行われるべき送信に含まれる信号は、ＤＭ−ＲＳを含み得る。いくつかの例では、第１のＣＵＢＳの少なくとも一部分および第２のＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０２２６】
[0255]いくつかの例では、ＣＵＢＳ管理構成要素１５４０は、第１のＣＵＢＳの少なくとも一部分および第２のＣＵＢＳの少なくとも一部分の送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して、第１のＣＵＢＳの少なくとも一部分と第２のＣＵＢＳの少なくとも一部分とを送信するために使用され得る。
【０２２７】
[0256]図１６は、本開示の様々な態様による、ワイヤレス通信における使用のための装置１６１５のブロック図１６００を示す。装置１６１５は、図１または図２を参照しながら説明したＵＥ１１５、２１５、２１５−ａ、２１５−ｂ、または２１５−ｃのうちの１つまたは複数の態様、あるいは図１２、図１３、図１４、または図１５を参照しながら説明した装置１２１５、１３１５、１４１５、または１５１５の態様の一例であり得る。装置１６１５はまた、プロセッサであってよく、またはプロセッサを含んでもよい。装置１６１５は、受信機構成要素１６１０、ワイヤレス通信管理構成要素１６２０、または送信機構成要素１６３０を含み得る。これらの構成要素の各々は、互いに通信し得る。
【０２２８】
[0257]装置１６１５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０２２９】
[0258]いくつかの例では、受信機構成要素１６１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１６１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０２３０】
[0259]いくつかの例では、送信機構成要素１６３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１６３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０２３１】
[0260]いくつかの例では、ワイヤレス通信管理構成要素１６２０は、装置１６１５のためのワイヤレス通信の１つまたは複数の態様を管理するために使用され得る。いくつかの例では、ワイヤレス通信管理構成要素１６２０は、ＣＣＡ構成要素１６３５またはＣＵＢＳ管理構成要素１６４０を含み得る。
【０２３２】
[0261]いくつかの例では、ＣＣＡ構成要素１６３５は、無認可無線周波数スペクトル帯域へのアクセスのために競合し得る。いくつかの例では、ＣＣＡ構成要素１６３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１６３５は、ＣＵＢＳ管理構成要素１６４０が無認可無線周波数スペクトル帯域を介してＣＵＢＳの一部分を送信することを可能にし得る。
【０２３３】
[0262]いくつかの例では、ＣＵＢＳ管理構成要素１６４０は、無認可無線周波数スペクトル帯域を介してＣＵＢＳの一部分を送信するために使用され得る。いくつかの例では、ＣＵＢＳ管理構成要素１６４０は、ＣＵＢＳ部分選択構成要素１６４５を含み得る。いくつかの例では、ＣＵＢＳ部分選択構成要素１６４５は、ＣＵＢＳの一部分を選択するために使用され得る。ＣＵＢＳの一部分は、次のシンボル期間境界を基準として、無認可無線周波数スペクトル帯域へのアクセスのための競合に勝つタイミングに少なくとも部分的に基づいて選択され得る。
【０２３４】
[0263]いくつかの例では、ＣＵＢＳ管理構成要素１６４０は、無認可無線周波数スペクトル帯域のいくつかの周波数インターレース（たとえば、１つまたは複数の周波数インターレース）において、ＣＵＢＳの一部分を送信するために使用され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０２３５】
[0264]いくつかの例では、ＣＵＢＳ管理構成要素１６４０は、第１のシンボル期間の少なくとも分数期間を含むプリアンブルの間に、ＣＵＢＳの一部分を送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０２３６】
[0265]図１７は、本開示の様々な態様による、ワイヤレス通信における使用のための装置１７１５のブロック図１７００を示す。装置１７１５は、図１または図２を参照しながら説明したＵＥ１１５、２１５、２１５−ａ、２１５−ｂ、または２１５−ｃのうちの１つまたは複数の態様、あるいは図１２、図１３、図１４、図１５、または図１６を参照しながら説明した装置１２１５、１３１５、１４１５、１５１５、または１６１５の態様の一例であり得る。装置１７１５はまた、プロセッサであってよく、またはプロセッサを含んでもよい。装置１７１５は、受信機構成要素１７１０、ワイヤレス通信管理構成要素１７２０、または送信機構成要素１７３０を含み得る。これらの構成要素の各々は、互いに通信し得る。
【０２３７】
[0266]装置１７１５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０２３８】
[0267]いくつかの例では、受信機構成要素１７１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１７１０は、場合によっては、認可無線周波数スペクトル帯域のためのおよび無認可無線周波数スペクトル帯域のための個別の受信機を含み得る。個別の受信機は、いくつかの例では、認可無線周波数スペクトル帯域を介して通信するためのＬＴＥ／ＬＴＥ−Ａ受信機構成要素（たとえば、認可ＲＦスペクトル帯域のためのＬＴＥ／ＬＴＥ−Ａ受信機構成要素１７１２）、および無認可無線周波数スペクトル帯域を介して通信するためのＬＴＥ／ＬＴＥ−Ａ受信機構成要素（たとえば、無認可ＲＦスペクトル帯域のためのＬＴＥ／ＬＴＥ−Ａ受信機構成要素１７１４）の形態をとり得る。認可ＲＦスペクトル帯域のためのＬＴＥ／ＬＴＥ−Ａ受信機構成要素１７１２または無認可ＲＦスペクトル帯域のためのＬＴＥ／ＬＴＥ−Ａ受信機構成要素１７１４を含む受信機構成要素１７１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０２３９】
[0268]いくつかの例では、送信機構成要素１７３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１７３０は、場合によっては、認可無線周波数スペクトル帯域のためのおよび無認可無線周波数スペクトル帯域のための個別の送信機を含み得る。個別の送信機は、いくつかの例では、認可無線周波数スペクトル帯域を介して通信するためのＬＴＥ／ＬＴＥ−Ａ送信機構成要素（たとえば、認可ＲＦスペクトル帯域のためのＬＴＥ／ＬＴＥ−Ａ送信機構成要素１７３２）、および無認可無線周波数スペクトル帯域を介して通信するためのＬＴＥ／ＬＴＥ−Ａ送信機構成要素（たとえば、無認可ＲＦスペクトル帯域のためのＬＴＥ／ＬＴＥ−Ａ送信機構成要素１７３４）の形態をとり得る。認可ＲＦスペクトル帯域のためのＬＴＥ／ＬＴＥ−Ａ送信機構成要素１７３２または無認可ＲＦスペクトル帯域のためのＬＴＥ／ＬＴＥ−Ａ送信機構成要素１７３４を含む送信機構成要素１７３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０２４０】
[0269]いくつかの例では、ワイヤレス通信管理構成要素１７２０は、装置１７１５のためのワイヤレス通信の１つまたは複数の態様を管理するために使用され得る。いくつかの例では、ワイヤレス通信管理構成要素１７２０は、ＣＣＡ構成要素１７３５またはＣＵＢＳ管理構成要素１７４０を含み得る。
【０２４１】
[0270]いくつかの例では、ＣＣＡ構成要素１７３５は、無認可無線周波数スペクトル帯域へのアクセスのために競合し得る。いくつかの例では、ＣＣＡ構成要素１７３５は、たとえば、図３、図４、または図５を参照しながら説明したように、ＵＣＣＡを実行することによって無認可無線周波数スペクトル帯域へのアクセスのために競合し得る。無認可無線周波数スペクトル帯域へのアクセスのための競合に勝つと、ＣＣＡ構成要素１７３５は、ＣＵＢＳ管理構成要素１７４０が無認可無線周波数スペクトル帯域を介してＣＵＢＳの一部分を送信することを可能にし得る。
【０２４２】
[0271]いくつかの例では、ＣＵＢＳ管理構成要素１７４０は、無認可無線周波数スペクトル帯域を介してＣＵＢＳの一部分を送信するために使用され得る。いくつかの例では、ＣＵＢＳ管理構成要素１７４０は、シーケンス生成構成要素１７５０、離散フーリエ変換（ＤＦＴ）構成要素１７５５、トーン選択構成要素１７６０、マッピング構成要素１７６５、ＩＦＦＴ構成要素１７７０、ＣＵＢＳ部分選択構成要素１７４５、またはウィンドウ処理およびオーバーラップ加算構成要素１７７５を含み得る。
【０２４３】
[0272]いくつかの例では、シーケンス生成構成要素１７５０は、ランダムシーケンスを生成するために使用され得る。いくつかの例では、ランダムシーケンスは、４相位相シフトキーイング（ＱＰＳＫ）シーケンスを含み得る。いくつかの例では、ランダムシーケンスは、一般化Ｚａｄｏｆｆ−Ｃｈｕシーケンスまたはチャープ様シーケンスのセットの中のシーケンスを含み得る。いくつかの例では、ランダムシーケンスは、ポリフェーズシーケンスを含み得る。いくつかの例では、ランダムシーケンスは、１０個の項の長さ（たとえば、１０個の送信アンテナポートを採用するＵＥにおける送信アンテナポートごとに１つの項）を有し得る。
【０２４４】
[0273]いくつかの例では、ＤＦＴ構成要素１７５５は、ＤＦＴ出力を生成するために、ランダムシーケンスに対してＤＦＴを実行するために使用され得る。いくつかの例では、ランダムシーケンスに対して実行されるＤＦＴは１０の長さであり得る。しかしながら、長さ１０のＤＦＴは、ＬＴＥ／ＬＴＥ−Ａに対してネイティブでない。したがって、代替例では、ＤＦＴ構成要素１７５５によって実行される動作は、中間的な出力を生成するために、ランダムシーケンスに対してＤＦＴ（たとえば、長さ１２０のＤＦＴ）を実行し、ＤＦＴ出力を生成するために、中間的な出力をダウンサンプリングすることを含み得る。いくつかの例では、シーケンス生成構成要素１７５０またはＤＦＴ構成要素１７５５の出力は、事前計算されてよく、記憶されてよく、マッピング構成要素１７６５によって使用されてよい。
【０２４５】
[0274]いくつかの例では、トーン選択構成要素１７６０は、ＣＵＢＳの一部分の送信の後に無認可無線周波数スペクトル帯域を介して行われるべき送信に含まれる、複数のトーンを選択するために使用され得る。いくつかの例では、複数のトーンは、無認可無線周波数スペクトル帯域の中で均一な周波数間隔を有し得る。いくつかの例では、複数のトーンは、無認可無線周波数スペクトル帯域の中で不均一な周波数間隔を有し得る。いくつかの例では、ＣＵＢＳの一部分の送信の後に、無認可無線周波数スペクトル帯域を介して行われるべき送信は、ＰＵＳＣＨ、ＰＵＣＣＨ、ＰＲＡＣＨ、ＳＲＳ、またはＳＲのうちの少なくとも１つを含み得る。いくつかの例では、トーンは、選択されるトーンと、ＣＵＢＳの送信の後に無認可無線周波数スペクトル帯域を介して行われるべき送信に割り振られない最も近い１つのトーン（または、複数のトーン）との間の１つの距離（または、複数の距離）を、周波数スペクトルの中で最大化するように選択され得る。
【０２４６】
[0275]いくつかの例では、トーン選択構成要素１７６０は、ＣＵＢＳの一部分の送信の後に無認可無線周波数スペクトル帯域を介して行われるべき送信に割り振られたリソースブロックの、中央にあるトーンを選択するために使用され得る。いくつかの例では、トーン選択構成要素１７６０は、ＣＵＢＳの一部分の送信の後に無認可無線周波数スペクトル帯域を介して行われるべき送信に割り振られた連続するリソースブロッククラスタの中央にあるトーンを選択するために使用され得る。トーン選択の例が、図１１を参照しながらさらに詳細に説明されている。
【０２４７】
[0276]いくつかの例では、マッピング構成要素１７６５は、ＤＦＴ構成要素１７５５によって生成されたＤＦＴ出力を、トーン選択構成要素１７６０によって選択された複数のトーンにマッピングするために使用され得る。
【０２４８】
[0277]いくつかの例では、ＩＦＦＴ構成要素１７７０は、ＣＵＢＳを生成するために、複数のトーンに対してＩＦＦＴを実行するために使用され得る。
【０２４９】
[0278]いくつかの例では、ＣＵＢＳ部分選択構成要素１７４５は、ＣＵＢＳの一部分を選択するために使用され得る。ＣＵＢＳの一部分は、次のシンボル期間境界を基準として、無認可無線周波数スペクトル帯域へのアクセスのための競合に勝つタイミングに少なくとも部分的に基づいて選択され得る。いくつかの例では、ＣＵＢＳの一部分は、ＣＵＢＳの冒頭部分を含むことがある（たとえば、競合に勝つタイミングが次のシンボル期間境界より前に完全なＣＵＢＳの送信を可能にしないので、ＣＵＢＳの末尾部分は０で埋められ（または、外へパンクチャされ）てよい）。いくつかの例では、ＣＵＢＳの一部分は、ＣＵＢＳの末尾部分を含むことがある（たとえば、競合に勝つタイミングが次のシンボル期間境界より前に完全なＣＵＢＳの送信を可能にしないので、ＣＵＢＳの冒頭部分は０で埋められ（または、外へパンクチャされ）てよい）。いくつかの例では、ＣＵＢＳの一部分は、たとえば、図８、図９、または図１０を参照しながら説明したように選択され得る。
【０２５０】
[0279]いくつかの例では、ウィンドウ処理およびオーバーラップ加算構成要素１７７５は、ＣＵＢＳの一部分の送信の始まりに対してウィンドウ処理およびオーバーラップ加算演算を実行するために使用され得る。たとえば、ウィンドウ処理および０とのオーバーラップ加算が、ＣＵＢＳの一部分の送信の始まりに対して適用されてよく、それによって、ＣＵＢＳの一部分への電力急昇が適用され得る。いくつかの例では、ウィンドウ処理およびオーバーラップ加算構成要素１７７５は、ＣＵＢＳの一部分とその後送信される信号との送信接合部に対してウィンドウ処理およびオーバーラップ加算演算を実行するために使用され得る。
【０２５１】
[0280]いくつかの例では、ＣＵＢＳ管理構成要素１７４０は、無認可無線周波数スペクトル帯域のいくつかの周波数インターレース（たとえば、１つまたは複数の周波数インターレース）において、ＣＵＢＳの一部分を送信するために使用され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０２５２】
[0281]いくつかの例では、ＣＵＢＳ管理構成要素１７４０は、第１のシンボル期間の少なくとも分数期間を含むプリアンブルの間に、ＣＵＢＳの一部分を送信し得る。いくつかの例では、プリアンブルはまた、第１のシンボル期間に後続する第２のシンボル期間、または第２のシンボル期間に後続する第３のシンボル期間などの、第１のシンボル期間の分数期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０２５３】
[0282]図１８は、本開示の様々な態様による、ワイヤレス通信における使用のための装置１８０５のブロック図１８００を示す。装置１８１５は、図１または図２を参照しながら説明した基地局１０５、２０５、または２０５−ａのうちの１つまたは複数の態様の一例であり得る。装置１８０５はまた、プロセッサであってよく、またはプロセッサを含んでもよい。装置１８０５は、受信機構成要素１８１０、ワイヤレス通信管理構成要素１８２０、または送信機構成要素１８３０を含み得る。これらの構成要素の各々は、互いに通信し得る。
【０２５４】
[0283]装置１８０５の構成要素は、適用可能な機能の一部または全部をハードウェアで実行するように適合された１つまたは複数のＡＳＩＣを使用して、個別にまたは集合的に実装され得る。代替的に、機能は、１つまたは複数の集積回路上で、１つまたは複数の他の処理ユニット（または、コア）によって実行されてもよい。他の例では、当技術分野で知られている任意の方式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリの中で具現化された命令を用いて実施され得る。
【０２５５】
[0284]いくつかの例では、受信機構成要素１８１０は、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、送信装置がアクセスのために競合し得ない、無線周波数スペクトル帯域）、または無認可無線周波数スペクトル帯域（たとえば、無線周波数スペクトル帯域がＷｉ−Ｆｉ使用などの無認可使用のために利用可能であるので、送信装置がアクセスのために競合する必要があり得る無線周波数スペクトル帯域）を介した送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、たとえば、図１または図２を参照しながら説明したように、ＬＴＥ／ＬＴＥ−Ａ通信のために使用され得る。受信機構成要素１８１０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０２５６】
[0285]いくつかの例では、送信機構成要素１８３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機構成要素１８３０は、図１または図２を参照しながら説明したワイヤレス通信システム１００または２００の１つまたは複数の通信リンクなどの、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０２５７】
[0286]いくつかの例では、ワイヤレス通信管理構成要素１８２０は、装置１８０５のためのワイヤレス通信の１つまたは複数の態様を管理するために使用され得る。いくつかの例では、ワイヤレス通信管理構成要素１８２０は、ＣＵＢＳ管理構成要素１８３５またはＵＥ識別子構成要素１８４０を含み得る。
【０２５８】
[0287]いくつかの例では、ＣＵＢＳ管理構成要素１８３５は、いくつかのＵＥの各々からＣＵＢＳを受信するために使用され得る。各ＣＵＢＳは、無認可無線周波数スペクトル帯域の複数の周波数インターレースのうちの１つにおいて受信され得る。いくつかの例では、たとえば、図８、図９、または図１０を参照しながら説明したように、第１のＵＥから受信されるＣＵＢＳの第１のセットの構造は、第２のＵＥから受信されるＣＵＢＳの第２のセットの構造と異なり得る。
【０２５９】
[0288]いくつかの例では、ＵＥ識別子構成要素１８４０は、いくつかのＵＥの各々の識別子を、受信されたＣＵＢＳから決定するために使用され得る。いくつかの例では、第１のＣＵＢＳの一部分および第２のＣＵＢＳが第１のＵＥから受信され得、第１のＵＥの識別子が第２のＣＵＢＳから決定され得る。
【０２６０】
[0289]図１９は、本開示の様々な態様による、ワイヤレス通信における使用のためのＵＥ１９１５のブロック図１９００を示す。ＵＥ１９１５は様々な例を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれ得るか、またはその一部であり得る。ＵＥ１９１５は、いくつかの例では、モバイル動作を容易にするために、小型バッテリーなどの内部電源（図示せず）を有し得る。いくつかの例では、ＵＥ１９１５は、図１または図２を参照しながら説明したＵＥ１１５、２１５、２１５−ａ、２１５−ｂ、または２１５−ｃのうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様の一例であり得る。ＵＥ１９１５は、図１、図２、図３、図４、図５、図６、図７、図８、図９、図１０、図１１、図１２、図１３、図１４、図１５、図１６、または図１７を参照しながら説明したＵＥまたは装置の特徴および機能の少なくともいくつかを実施するように構成され得る。
【０２６１】
[0290]ＵＥ１９１５は、ＵＥプロセッサ構成要素１９１０、ＵＥメモリ構成要素１９２０、（ＵＥトランシーバ構成要素１９３０によって表される）少なくとも１つのＵＥトランシーバ構成要素、（ＵＥアンテナ１９４０によって表される）少なくとも１つのＵＥアンテナ、またはＵＥワイヤレス通信管理構成要素１９６０を含み得る。これらの構成要素の各々は、１つまたは複数のバス１９３５を介して、直接または間接的に互いに通信し得る。
【０２６２】
[0291]ＵＥメモリ構成要素１９２０は、ランダムアクセスメモリ（ＲＡＭ）または読取り専用メモリ（ＲＯＭ）を含み得る。ＵＥメモリ構成要素１９２０は、実行されたとき、ＣＵＢＳの送信を含む、ワイヤレス通信に関して本明細書で説明する様々な機能をＵＥプロセッサ構成要素１９１０に実行させるように構成されている命令を含む、コンピュータ可読コンピュータ実行可能コード１９２５を記憶し得る。代替的に、コード１９２５は、ＵＥプロセッサ構成要素１９１０によって直接実行可能でないことがあるが、（たとえば、コンパイルおよび実行されたとき）本明細書で説明する様々な機能をＵＥ１９１５に実行させるように構成され得る。
【０２６３】
[0292]ＵＥプロセッサ構成要素１９１０は、インテリジェントハードウェアデバイス、たとえば、中央処理装置（ＣＰＵ）、マイクロコントローラ、ＡＳＩＣなどを含み得る。ＵＥプロセッサ構成要素１９１０は、ＵＥトランシーバ構成要素１９３０を通じて受信された情報、またはＵＥアンテナ１９４０を通じた送信のためにＵＥトランシーバ構成要素１９３０に送られるべき情報を処理し得る。ＵＥプロセッサ構成要素１９１０は、単独でまたはＵＥワイヤレス通信管理構成要素１９６０とともに、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、装置がアクセスのために競合しない、無線周波数スペクトル帯域）、または無認可無線周波数スペクトル帯域（たとえば、無線周波数スペクトル帯域が、Ｗｉ−Ｆｉ使用などの、無認可使用のために利用可能であるので、装置がアクセスのために競合する必要があり得る無線周波数スペクトル帯域）を介して通信すること（または、そうした帯域を介した通信を管理すること）の様々な態様を処理し得る。
【０２６４】
[0293]ＵＥトランシーバ構成要素１９３０は、パケットを変調するとともに変調されたパケットを送信のためにＵＥアンテナ１９４０に供給し、ＵＥアンテナ１９４０から受信されたパケットを復調するように構成されたモデムを含み得る。ＵＥトランシーバ構成要素１９３０は、いくつかの例では、１つまたは複数のＵＥ送信機構成要素、および１つまたは複数の別個のＵＥ受信機構成要素として実装され得る。ＵＥトランシーバ構成要素１９３０は、認可無線周波数スペクトル帯域または無認可無線周波数スペクトル帯域における通信をサポートし得る。ＵＥトランシーバ構成要素１９３０は、図１または図２を参照しながら説明した基地局１０５、２０５、または２０５−ａ、あるいは図１８を参照しながら説明した装置１８０５のうちの１つまたは複数と、ＵＥアンテナ１９４０を介して双方向に通信するように構成され得る。ＵＥ１９１５は単一のＵＥアンテナを含み得るが、ＵＥ１９１５が複数のＵＥアンテナ１９４０を含み得る例があり得る。
【０２６５】
[0294]ＵＥ状態構成要素１９５０は、たとえば、ＲＲＣアイドル状態とＲＲＣ接続状態との間のＵＥ１９１５の遷移を管理するために使用され得、１つまたは複数のバス１９３５を介して直接または間接的にＵＥ１９１５の他の構成要素と通信し得る。ＵＥ状態構成要素１９５０またはそれの部分は、プロセッサを含み得、あるいはＵＥ状態構成要素１９５０の機能の一部または全部は、ＵＥプロセッサ構成要素１９１０によって、またはＵＥプロセッサ構成要素１９１０とともに（in connection with）実行され得る。
【０２６６】
[0295]ＵＥワイヤレス通信管理構成要素１９６０は、認可無線周波数スペクトル帯域または無認可無線周波数スペクトル帯域を介したワイヤレス通信に関して図１、図２、図３、図４、図５、図６、図７、図８、図９、図１０、図１１、図１２、図１３、図１４、図１５、図１６、または図１７を参照しながら説明したＵＥまたは装置の特徴または機能の一部または全部を実行または制御するように構成され得る。たとえば、ＵＥワイヤレス通信管理構成要素１９６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。ＵＥワイヤレス通信管理構成要素１９６０は、認可無線周波数スペクトル帯域におけるＬＴＥ／ＬＴＥ−Ａ通信を処理するように構成された認可ＲＦスペクトル帯域のためのＵＥ  ＬＴＥ／ＬＴＥ−Ａ構成要素１９６５と、無認可無線周波数スペクトル帯域におけるＬＴＥ／ＬＴＥ−Ａ通信を処理するように構成された無認可ＲＦスペクトル帯域のためのＵＥ  ＬＴＥ／ＬＴＥ−Ａ構成要素１９７０とを含み得る。ＵＥワイヤレス通信管理構成要素１９６０またはそれの部分は、プロセッサを含み得、あるいはＵＥワイヤレス通信管理構成要素１９６０の機能の一部または全部は、ＵＥプロセッサ構成要素１９１０によって、またはＵＥプロセッサ構成要素１９１０とともに実行され得る。いくつかの例では、ＵＥワイヤレス通信管理構成要素１９６０は、図１２、図１３、図１４、図１５、図１６、または図１７を参照しながら説明したワイヤレス通信管理構成要素１２２０、１３２０、１４２０、１５２０、１６２０、または１７２０の一例であり得る。
【０２６７】
[0296]図２０は、本開示の様々な態様による、ワイヤレス通信における使用のための基地局２００５（たとえば、ｅＮＢの一部または全部を形成する基地局）のブロック図２０００を示す。いくつかの例では、基地局２００５は、図１または図２を参照しながら説明した基地局１０５、２０５、または２０５−ａの１つまたは複数の態様、あるいは図１８を参照しながら説明した装置１８０５の態様の一例であり得る。基地局２００５は、図１、図２、図３、図６、図７、図８、図９、図１０、図１１、または図１７を参照しながら説明した基地局の特徴および機能の少なくとも一部を実施または容易にするように構成され得る。
【０２６８】
[0297]基地局２００５は、基地局プロセッサ構成要素２０１０、基地局メモリ構成要素２０２０、（基地局トランシーバ構成要素２０５０によって表される）少なくとも１つの基地局トランシーバ構成要素、（基地局アンテナ２０５５によって表される）少なくとも１つの基地局アンテナ、または基地局ワイヤレス通信管理構成要素２０６０を含み得る。基地局２００５はまた、基地局通信構成要素２０３０またはネットワーク通信構成要素２０４０のうちの１つまたは複数を含み得る。これらの構成要素の各々は、１つまたは複数のバス２０３５を介して、直接または間接的に互いに通信し得る。
【０２６９】
[0298]基地局メモリ構成要素２０２０は、ＲＡＭまたはＲＯＭを含み得る。基地局メモリ構成要素２０２０は、実行されたとき、ＣＵＢＳの受信を含む、ワイヤレス通信に関して本明細書で説明する様々な機能を基地局プロセッサ構成要素２０１０に実行させるように構成されている命令を含む、コンピュータ可読コンピュータ実行可能コード２０２５を記憶し得る。代替的に、コード２０２５は、基地局プロセッサ構成要素２０１０によって直接実行可能でないことがあるが、（たとえば、コンパイルおよび実行されたとき）本明細書で説明する様々な機能を基地局２００５に実施させるように構成され得る。
【０２７０】
[0299]基地局プロセッサ構成要素２０１０は、インテリジェントハードウェアデバイス、たとえば、ＣＰＵ、マイクロコントローラ、ＡＳＩＣなどを含み得る。基地局プロセッサ構成要素２０１０は、基地局トランシーバ構成要素２０５０、基地局通信構成要素２０３０、またはネットワーク通信構成要素２０４０を通じて受信された情報を処理し得る。基地局プロセッサ構成要素２０１０はまた、アンテナ２０５５を通じた送信のためにトランシーバ構成要素２０５０へ送られるべき情報、１つまたは複数の他の基地局２００５−ａおよび２００５−ｂへの送信のために基地局通信構成要素２０３０へ送られるべき情報、あるいは図１を参照して説明したコアネットワーク１３０の１つまたは複数の態様の一例であり得る、コアネットワーク２０４５への送信のためにネットワーク通信構成要素２０４０へ送られるべき情報を、処理し得る。基地局プロセッサ構成要素２０１０は、単独でまたは基地局ワイヤレス通信管理構成要素２０６０とともに、認可無線周波数スペクトル帯域（たとえば、ＬＴＥ／ＬＴＥ−Ａ通信のために使用可能な認可無線周波数スペクトル帯域などの、無線周波数スペクトル帯域が様々な使用のためにいくつかのユーザに認可されているので、装置がアクセスのために競合しない、無線周波数スペクトル帯域）、または無認可無線周波数スペクトル帯域（たとえば、無線周波数スペクトル帯域がＷｉ−Ｆｉ使用などの無認可使用のために利用可能であるので、装置がアクセスのために競合する必要があり得る無線周波数スペクトル帯域）を介して通信すること（または、そうした帯域を介した通信を管理すること）の様々な態様を処理し得る。
【０２７１】
[0300]基地局トランシーバ構成要素２０５０は、パケットを変調するとともに変調されたパケットを送信のために基地局アンテナ２０５５に供給し、基地局アンテナ２０５５から受信されたパケットを復調するように構成されたモデムを含み得る。基地局トランシーバ構成要素２０５０は、いくつかの例では、１つまたは複数の基地局送信機構成要素、および１つまたは複数の別個の基地局受信機構成要素として実装され得る。基地局トランシーバ構成要素２０５０は、認可無線周波数スペクトル帯域または無認可無線周波数スペクトル帯域における通信をサポートし得る。基地局トランシーバ構成要素２０５０は、図１、図２、または図１９を参照しながら説明したＵＥ１１５、２１５、２１５−ａ、２１５−ｂ、２１５−ｃ、または１９１５のうちの１つまたは複数、あるいは図１２、図１３、図１４、図１５、図１６、または図１７を参照しながら説明した装置１２１５、１３１５、１４１５、１５１５、１６１５、または１７１５のうちの１つまたは複数などの、１つまたは複数のＵＥまたは装置と、アンテナ２０５５を介して双方向に通信するように構成され得る。基地局２００５は、たとえば、複数の基地局アンテナ２０５５（たとえば、アンテナアレイ）を含み得る。基地局２００５は、ネットワーク通信構成要素２０４０を通じてコアネットワーク２０４５と通信し得る。基地局２００５はまた、基地局通信構成要素２０３０を使用して、基地局２００５−ａや２００５−ｂなどの他の基地局と通信し得る。
【０２７２】
[0301]基地局ワイヤレス通信管理構成要素２０６０は、認可無線周波数スペクトル帯域または無認可無線周波数スペクトル帯域を介したワイヤレス通信に関して図１、図２、図３、図６、図７、図８、図９、図１０、図１１、または図１７を参照しながら説明した特徴または機能の一部または全部を実行または制御するように構成され得る。たとえば、基地局ワイヤレス通信管理構成要素２０６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。基地局ワイヤレス通信管理構成要素２０６０は、認可無線周波数スペクトル帯域におけるＬＴＥ／ＬＴＥ−Ａ通信を処理するように構成された認可ＲＦスペクトル帯域のための基地局ＬＴＥ／ＬＴＥ−Ａ構成要素２０６５と、無認可無線周波数スペクトル帯域におけるＬＴＥ／ＬＴＥ−Ａ通信を処理するように構成された無認可ＲＦスペクトル帯域のための基地局ＬＴＥ／ＬＴＥ−Ａ構成要素２０７０とを含み得る。基地局ワイヤレス通信管理構成要素２０６０またはそれの部分は、プロセッサを含み得、あるいは基地局ワイヤレス通信管理構成要素２０６０の機能の一部または全部は、基地局プロセッサ構成要素２０１０によって、または基地局プロセッサ構成要素２０１０とともに実行され得る。いくつかの例では、基地局ワイヤレス通信管理構成要素２０６０は、図１８を参照しながら説明したワイヤレス通信管理構成要素１８２０の一例であり得る。
【０２７３】
[0302]図２１は、本開示の様々な態様による、基地局２１０５とＵＥ２１１５とを含む多入力多出力（ＭＩＭＯ）通信システム２１００のブロック図である。ＭＩＭＯ通信システム２１００は、図１または図２を参照しながら説明したワイヤレス通信システム１００または２００の態様を示し得る。基地局２１０５は、図１、図２、または図２０を参照しながら説明した基地局１０５、２０５、２０５−ａ、または２００５の態様、あるいは図１８を参照しながら説明した装置１８０５の態様の一例であり得る。基地局２１０５は、アンテナ２１３４〜２１３５を装備し得、ＵＥ２１１５は、アンテナ２１５２〜２１５３を装備し得る。ＭＩＭＯ通信システム２１００では、基地局２１０５は、複数の通信リンクを介して同時にデータを送ることが可能であり得る。各通信リンクは、「レイヤ」と呼ばれることがあり、通信リンクの「ランク」は、通信のために使用されるレイヤの数を示し得る。たとえば、基地局２１０５が２つの「レイヤ」を送信する２×２ＭＩＭＯ通信システムでは、基地局２１０５とＵＥ２１１５との間の通信リンクのランクは２である。
【０２７４】
[0303]基地局２１０５において、送信プロセッサ２１２０がデータソースからデータを受信し得る。送信プロセッサ２１２０は、データを処理し得る。送信プロセッサ２１２０はまた、制御シンボルまたは基準シンボルを生成し得る。送信（ＴＸ）ＭＩＭＯプロセッサ２１３０は、適用可能な場合、データシンボル、制御シンボル、または基準シンボルに対して空間処理（たとえば、プリコーディング）を実行し得、出力シンボルストリームを送信変調器２１３２〜２１３３に供給し得る。各変調器２１３２〜２１３３は、出力サンプルストリームを取得するために、それぞれの出力シンボルストリーム（たとえば、ＯＦＤＭ用など）を処理し得る。各変調器２１３２〜２１３３は、ＤＬ信号を取得するために、出力サンプルストリームをさらに処理（たとえば、アナログに変換、増幅、フィルタ処理、およびアップコンバート）し得る。一例では、変調器２１３２〜２１３３からのＤＬ信号は、それぞれ、アンテナ２１３４〜２１３５を介して送信され得る。
【０２７５】
[0304]ＵＥ２１１５は、図１、図２、または図１９を参照しながら説明したＵＥ１１５、２１５、２１５−ａ、２１５−ｂ、２１５−ｃ、または１９１５の態様、あるいは図１２、図１３、図１４、図１５、図１６、または図１７を参照しながら説明した装置１２１５、１３１５、１４１５、１５１５、１６１５、または１７１５の態様の一例であり得る。ＵＥ２１１５において、ＵＥアンテナ２１５２〜２１５３は、それぞれ、基地局２１０５からＤＬ信号を受信し得、受信信号をＵＥ復調器２１５４〜２１５５に供給し得る。各ＵＥ復調器２１５４〜２１５５は、入力サンプルを取得するために、それぞれの受信信号を調整（たとえば、フィルタ処理、増幅、ダウンコンバート、およびデジタル化）し得る。各ＵＥ復調器２１５４〜２１５５は、受信シンボルを取得するために、入力サンプル（たとえば、ＯＦＤＭ用など）をさらに処理し得る。ＭＩＭＯ検出器２１５６は、すべてのＵＥ復調器２１５４〜２１５５から受信シンボルを取得し得、適用可能な場合、受信シンボルに対してＭＩＭＯ検出を実行し得、検出されたシンボルを提供し得る。受信プロセッサ２１５８は、検出されたシンボルを処理（たとえば、復調、デインターリーブ、および復号）し得、ＵＥ２１１５のための復号データをデータ出力に提供し、復号制御情報をプロセッサ２１８０、またはメモリ２１８２に提供し得る。
【０２７６】
[0305]プロセッサ２１８０は、場合によっては、ワイヤレス通信管理構成要素２１８４をインスタンス化するための記憶されている命令を実行し得る。ワイヤレス通信管理構成要素２１８４は、図１２、図１３、図１４、図１５、図１６、図１７、または図１９を参照しながら説明したワイヤレス通信管理構成要素１２２０、１３２０、１４２０、１５２０、１６２０、１７２０、または１９６０の態様の一例であり得る。
【０２７７】
[0306]アップリンク（ＵＬ）上では、ＵＥ２１１５において、送信プロセッサ２１６４は、データをデータソースから受信および処理し得る。送信プロセッサ２１６４はまた、基準信号のための基準シンボルを生成し得る。送信プロセッサ２１６４からのシンボルは、適用可能な場合、送信ＭＩＭＯプロセッサ２１６６によってプリコードされ得、変調器２１５４〜２１５５（たとえば、ＳＣ−ＦＤＭＡ用など）によってさらに処理され得、基地局２１０５から受信された送信パラメータに従って基地局２１０５へ送信され得る。基地局２１０５において、ＵＥ２１１５からのＵＬ信号は、アンテナ２１３４〜２１３５によって受信され得、基地局復調器２１３２〜２１３３によって処理され得、適用可能な場合、ＭＩＭＯ検出器２１３６によって検出され得、受信プロセッサ２１３８によってさらに処理され得る。受信プロセッサ２１３８は、復号データをデータ出力に、またプロセッサ２１４０またはメモリ２１４２に提供し得る。
【０２７８】
[0307]プロセッサ２１４０は、場合によっては、ワイヤレス通信管理構成要素２１８６をインスタンス化するための記憶されている命令を実行し得る。ワイヤレス通信管理構成要素２１８６は、図１８または図２０を参照しながら説明したワイヤレス通信管理構成要素１８２０または２０６０の態様の一例であり得る。
【０２７９】
[0308]ＵＥ２１１５の構成要素は、適用可能な機能の一部または全部をハードウェアで実行するように適合された１つまたは複数のＡＳＩＣを用いて、個別にまたは集合的に実装され得る。述べられた（noted）構成要素の各々は、ＭＩＭＯ通信システム２１００の動作に関係する１つまたは複数の機能を実行するための手段であり得る。同様に、基地局２１０５の構成要素は、適用可能な機能の一部または全部をハードウェアで実行するように適合された１つまたは複数のＡＳＩＣを用いて、個別にまたは集合的に実装され得る。述べられた構成要素の各々は、ＭＩＭＯ通信システム２１００の動作に関係する１つまたは複数の機能を実行するための手段であり得る。
【０２８０】
[0309]図２２は、本開示の様々な態様による、ワイヤレス通信のための方法２２００の一例を示すフローチャートである。明快のために、方法２２００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２８１】
[0310]ブロック２２０５において、方法２２００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２２０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０２８２】
[0311]ブロック２２１０において、方法２２００は、無認可無線周波数スペクトル帯域を介してＣＵＢＳの少なくとも一部分を送信することを含み得る。ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。いくつかの例では、ＣＵＢＳの少なくとも一部分は、第１のＣＵＢＳの少なくとも一部分と、第２のＣＵＢＳの少なくとも一部分とを含み得る。ブロック２２１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＵＢＳ管理構成要素１２４０、１３４０、１４４０、１５４０、１６４０、または１７４０を使用して実行され得る。
【０２８３】
[0312]方法２２００のいくつかの例では、ＣＵＢＳは、ＣＵＢＳの少なくとも一部分の送信の後に無認可無線周波数スペクトル帯域を介して行われるべき送信に含まれる信号のコピーを含み得る。いくつかの例では、ＣＵＢＳの少なくとも一部分の送信の後に、無認可無線周波数スペクトル帯域を介して行われるべき送信に含まれる信号は、ＤＭ−ＲＳを含み得る。いくつかの例では、ＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０２８４】
[0313]したがって、方法２２００はワイヤレス通信を提供し得る。方法２２００は一実装形態にすぎず、方法２２００の動作は、他の実装形態が可能であるように再構成されるかまたは別の方法で（otherwise）修正され得ることに留意されたい。
【０２８５】
[0314]図２３は、本開示の様々な態様による、ワイヤレス通信のための方法２３００の一例を示すフローチャートである。明快のために、方法２３００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２８６】
[0315]ブロック２３０５において、方法２３００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２３０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０２８７】
[0316]ブロック２３１０において、方法２３００は、無認可無線周波数スペクトル帯域を介して、第１のＣＵＢＳの少なくとも一部分と第２のＣＵＢＳの少なくとも一部分とを送信することを含み得、第１のＣＵＢＳは、第２のＣＵＢＳと異なる。送信することは、第１のシンボル期間の少なくとも分数期間を含むプリアンブルの間に行われ得る。第１のＣＵＢＳの少なくとも一部分および第２のＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。ブロック２３１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＵＢＳ管理構成要素１２４０、１３４０、１４４０、１５４０、１６４０、または１７４０を使用して実行され得る。
【０２８８】
[0317]方法２３００のいくつかの例では、第１のシンボル期間は複数のサブ期間を含み得る。これらの例では、ブロック２３１０において実行される送信することは、たとえば、図８を参照しながら説明したように、無認可無線周波数スペクトル帯域へのアクセスのための競合に勝つことに後続する、いくつかの完全なサブ期間の各々の中で、第１のＣＵＢＳのインスタンスを送信することを含み得る。いくつかの例では、第１のＣＵＢＳは、第１のＣＵＢＳのインスタンスが第１のＣＵＢＳまたは第２のＣＵＢＳの別のインスタンスと境を接するとき、時間領域における滑らかさをもたらす周期的なゼロ交差を含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３を参照しながら説明したシンボルサブ期間cubs管理構成要素１３４５を使用して実行され得る。
【０２８９】
[0318]方法２３００のいくつかの例では、プリアンブルは、第１のシンボル期間に後続する第２のシンボル期間、または第２のシンボル期間に後続する第３のシンボル期間などの、第１のシンボル期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０２９０】
[0319]いくつかの例では、方法２３００は、第１のＣＵＢＳの少なくとも一部分と第２のＣＵＢＳの少なくとも一部分との送信接合部において、ウィンドウ処理およびオーバーラップ加算演算を実行することを含み得る。いくつかの例では、方法２３００は、第１のＣＵＢＳの少なくとも一部分の送信の始まりにおいて、ウィンドウ処理およびオーバーラップ加算演算を実行することを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０２９１】
[0320]方法２３００のいくつかの例では、第１のＣＵＢＳおよび第２のＣＵＢＳの各々は、１つのシンボル期間の持続時間を有し得、通常のＩＦＦＴを用いて生成され得る。方法２３００のいくつかの例では、第２のＣＵＢＳは、第１のＣＵＢＳの少なくとも一部分および第２のＣＵＢＳの少なくとも一部分の送信の後に無認可無線周波数スペクトル帯域を介して行われるべき送信に含まれる信号のコピーを含み得る。いくつかの例では、第１のＣＵＢＳの少なくとも一部分および第２のＣＵＢＳの少なくとも一部分の送信の後に、無認可無線周波数スペクトル帯域を介して行われるべき送信に含まれる信号は、ＤＭ−ＲＳを含み得る。いくつかの例では、第１のＣＵＢＳの少なくとも一部分および第２のＣＵＢＳの少なくとも一部分の送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０２９２】
[0321]方法２３００のいくつかの例では、第１のＣＵＢＳの少なくとも一部分および第２のＣＵＢＳの少なくとも一部分は、第１のＣＵＢＳの少なくとも一部分および第２のＣＵＢＳの少なくとも一部分の送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０２９３】
[0322]したがって、方法２３００はワイヤレス通信を提供し得る。方法２３００は一実装形態にすぎず、方法２３００の動作は、他の実装形態が可能であるように再構成されるかまたは別の方法で修正され得ることに留意されたい。
【０２９４】
[0323]図２４は、本開示の様々な態様による、ワイヤレス通信のための方法２４００の一例を示すフローチャートである。明快のために、方法２４００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２９５】
[0324]ブロック２４０５において、方法２４００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２４０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０２９６】
[0325]ブロック２４０５における動作に続いて、方法２４００は、方法２４００を実行するＵＥまたは装置の構成に応じて、ブロック２４１０またはブロック２４２０において継続し得る。ブロック２４１０において、方法２４００は、無認可無線周波数スペクトル帯域を介して第１のＣＵＢＳの冒頭部分を送信することを含み得る。送信することは、第１のシンボル期間の分数期間の間に行われ得、その第１のシンボル期間は、第１のシンボル期間の少なくとも分数期間と、第１のシンボル期間に後続する第２のシンボル期間とを含む、プリアンブルの一部を形成する。ブロック２４１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０２９７】
[0326]ブロック２４１５において、方法２４００は、第１のＣＵＢＳの冒頭部分と第２のＣＵＢＳとの送信接合部において、ウィンドウ処理およびオーバーラップ加算演算を実行することを含み得、その第２のＣＵＢＳは、第２のシンボル期間の間に送信される。いくつかの例では、第１のシンボル期間および第２のシンボル期間の各々は、ＯＦＤＭシンボル期間であり得る。ブロック２４１５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０２９８】
[0327]ブロック２４２０において、方法２４００は、第１のＣＵＢＳを第１のシンボル期間と時間整合させることを含み得、ブロック２４２５において、方法２４００は、第１のシンボル期間の分数期間の間に、時間整合された第１のＣＵＢＳの末尾部分を送信することを含み得る。ブロック２４２０および／または２４２５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０２９９】
[0328]ブロック２４３０において、方法２４００は、時間整合された第１のＣＵＢＳの末尾部分の送信の始まりにおいて、ウィンドウ処理およびオーバーラップ加算演算を実行することを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０３００】
[0329]ブロック２４３５において、方法２４００は、第２のシンボル期間の間に第２のＣＵＢＳを送信することを含み得る。ブロック２４３５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１３、図１４、図１５、図１６、または図１７を参照しながら説明したＣＵＢＳ管理構成要素１３４０、１４４０、１５４０、１６４０、または１７４０を使用して実行され得る。
【０３０１】
[0330]第１のＣＵＢＳの冒頭部分および第２のＣＵＢＳ（ブロック２４１０および２４３５において送信される）、または第１のＣＵＢＳの時間整合された末尾部分および第２のＣＵＢＳ（ブロック２４２５および２４３５において送信される）は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０３０２】
[0331]方法２４００のいくつかの例では、第１のＣＵＢＳおよび第２のＣＵＢＳの各々は、１つのシンボル期間の持続時間を有し得、通常のＩＦＦＴを用いて生成され得る。方法２４００のいくつかの例では、第２のＣＵＢＳは、第１のＣＵＢＳの少なくとも一部分および第２のＣＵＢＳの送信の後に無認可無線周波数スペクトル帯域を介して行われるべき送信に含まれる信号のコピーを含み得る。いくつかの例では、第１のＣＵＢＳの少なくとも一部分および第２のＣＵＢＳの送信の後に、無認可無線周波数スペクトル帯域を介して行われるべき送信に含まれる信号は、ＤＭ−ＲＳを含み得る。いくつかの例では、第１のＣＵＢＳの少なくとも一部分および第２のＣＵＢＳの送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０３０３】
[0332]方法２４００のいくつかの例では、第１のＣＵＢＳの少なくとも一部分および第２のＣＵＢＳは、第１のＣＵＢＳの少なくとも一部分および第２のＣＵＢＳの送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０３０４】
[0333]したがって、方法２４００はワイヤレス通信を提供し得る。方法２４００は一実装形態にすぎず、方法２４００の動作は、他の実装形態が可能であるように再構成されるかまたは別の方法で修正され得ることに留意されたい。
【０３０５】
[0334]図２５は、本開示の様々な態様による、ワイヤレス通信のための方法２５００の一例を示すフローチャートである。明快のために、方法２５００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０３０６】
[0335]ブロック２５０５において、方法２５００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２５０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０３０７】
[0336]ブロック２５０５における動作に続いて、方法２５００は、方法２５００を実行するＵＥまたは装置の例に応じて、ブロック２５１０またはブロック２５２５において継続し得る。ブロック２５１０において、方法２５００は、無認可無線周波数スペクトル帯域を介して第１のＣＵＢＳを送信することを含み得る。送信することは、第１のシンボル期間の分数期間および第２のシンボル期間にわたって行われ得る。第２のシンボル期間は、第１のシンボル期間に後続し得、第３のシンボル期間は、第２のシンボル期間に後続し得る。第１のシンボル期間の分数期間、第２のシンボル期間、および第３のシンボル期間は、プリアンブルの少なくとも一部を形成し得る。いくつかの例では、第１のシンボル期間、第２のシンボル期間、および第３のシンボル期間の各々は、ＯＦＤＭシンボル期間であり得る。
【０３０８】
[0337]ブロック２５１５において、方法２５００は、第２のシンボル期間の第２の部分の間に、無認可無線周波数スペクトル帯域を介して、第１のＣＵＢＳの冒頭部分を送信することを含み得る。
【０３０９】
[0338]ブロック２５１０および／または２５１５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３１０】
[0339]ブロック２５２０において、方法２５００は、第１のＣＵＢＳの冒頭部分と第２のＣＵＢＳとの送信接合部において、ウィンドウ処理およびオーバーラップ加算演算を実行することを含み得、その第２のＣＵＢＳは、第３のシンボル期間の間に送信される。ブロック２５２０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０３１１】
[0340]ブロック２５２５において、方法２５００は、第２のＣＵＢＳを第２のシンボル期間と時間整合させることを含み得、ブロック２５３０において、方法２５００は、第１のシンボル期間の分数期間および第２のシンボル期間の第１の部分にわたって第１のＣＵＢＳを送信することを含み得る。
【０３１２】
[0341]ブロック２５３５において、方法２５００は、第２のシンボル期間の第２の部分の間に、無認可無線周波数スペクトル帯域を介して、時間整合された第２のＣＵＢＳの末尾部分を送信することを含み得る。
【０３１３】
[0342]ブロック２５２５、２５３０、および／または２５３５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３１４】
[0343]ブロック２５４０において、方法２５００は、第１のＣＵＢＳと時間整合された第２のＣＵＢＳの末尾部分との送信接合部において、ウィンドウ処理およびオーバーラップ加算演算を実行することを含み得る。ブロック２５４０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０３１５】
[0344]ブロック２５４５において、方法２５００は、第３のシンボル期間の間に第２のＣＵＢＳを送信することを含み得る。ブロック２５４５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１３、図１４、図１５、図１６、または図１７を参照しながら説明したＣＵＢＳ管理構成要素１３４０、１４４０、１５４０、１６４０、または１７４０を使用して実行され得る。
【０３１６】
[0345]第１のＣＵＢＳ、第１のＣＵＢＳの冒頭部分、および第２のＣＵＢＳ（ブロック２５１０、２５１５、および２５４５において送信される）、または第１のＣＵＢＳ、時間整合された第２のＣＵＢＳの末尾部分、および第２のＣＵＢＳ（ブロック２５２５、２５３５、および２５４５において送信される）は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。
【０３１７】
[0346]方法２５００のいくつかの例では、第１のＣＵＢＳおよび第２のＣＵＢＳの各々は、１つのシンボル期間の持続時間を有し得、通常のＩＦＦＴを用いて生成され得る。方法２５００のいくつかの例では、第２のＣＵＢＳは、第１のＣＵＢＳの少なくとも一部分および第２のＣＵＢＳの送信の後に無認可無線周波数スペクトル帯域を介して行われるべき送信に含まれる信号のコピーを含み得る。いくつかの例では、第１のＣＵＢＳの少なくとも一部分および第２のＣＵＢＳの送信の後に、無認可無線周波数スペクトル帯域を介して行われるべき送信に含まれる信号は、ＤＭ−ＲＳを含み得る。いくつかの例では、第１のＣＵＢＳの少なくとも一部分および第２のＣＵＢＳの送信の後に、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０３１８】
[0347]方法２５００のいくつかの例では、第１のＣＵＢＳの少なくとも一部分および第２のＣＵＢＳは、第１のＣＵＢＳの少なくとも一部分および第２のＣＵＢＳの送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０３１９】
[0348]したがって、方法２５００はワイヤレス通信を提供し得る。方法２５００は一実装形態にすぎず、方法２５００の動作は、他の実装形態が可能であるように再構成されるかまたは別の方法で修正され得ることに留意されたい。
【０３２０】
[0349]図２６は、本開示の様々な態様による、ワイヤレス通信のための方法２６００の一例を示すフローチャートである。明快のために、方法２６００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０３２１】
[0350]ブロック２６０５において、方法２６００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２６０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０３２２】
[0351]ブロック２６１０において、方法２６００は、次のシンボル期間境界の前のしきい値時間内に競合に勝ったかどうかを決定することを含み得る。ブロック２６１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１４または図１５を参照しながら説明した競合タイミング決定構成要素１４４５または１５４５を使用して実行され得る。
【０３２３】
[0352]ブロック２６１５において、方法２６００は、無認可無線周波数スペクトル帯域を介してＣＵＢＳの少なくとも一部分を送信することを含み得る。ＣＵＢＳの少なくとも一部分は、第１のシンボル期間の分数期間を含むプリアンブルの間に送信され得、ブロック２６１０において行われた決定に少なくとも部分的に基づき得る。いくつかの例では、ＣＵＢＳの少なくとも一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。いくつかの例では、ＣＵＢＳの少なくとも一部分は、第１のＣＵＢＳの少なくとも一部分と、第２のＣＵＢＳの少なくとも一部分とを含み得る。ブロック２６１５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＵＢＳ管理構成要素１２４０、１３４０、１４４０、１５４０、１６４０、または１７４０を使用して実行され得る。
【０３２４】
[0353]方法２６００のいくつかの例では、プリアンブルは、第１のシンボル期間に後続する第２のシンボル期間、または第２のシンボル期間に後続する第３のシンボル期間などの、第１のシンボル期間に後続する１つまたは複数のシンボル期間を含み得る。いくつかの例では、第１のシンボル期間、第２のシンボル期間、および第３のシンボル期間の各々は、ＯＦＤＭシンボル期間であり得る。
【０３２５】
[0354]方法２６００のいくつかの例では、ブロック２６１０において、次のシンボル期間境界の前のしきい値時間内に競合に勝ったと決定され得る。これらの例のうちのいくつかでは、ＣＵＢＳの少なくとも一部分が第２のシンボル期間の間に送信され得、第１のシンボル期間の分数期間の間には何も送信され得ない。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３２６】
[0355]ＣＵＢＳの少なくとも一部分が第１のＣＵＢＳの少なくとも一部分と第２のＣＵＢＳの少なくとも一部分とを含むいくつかの例では、ブロック２６１０において、次のシンボル期間境界の前のしきい値時間内に競合に勝ったと決定されるとき、方法２６００は、第２のＣＵＢＳを第２のシンボル期間と時間整合させることを含み得る。これらの例のうちのいくつかでは、ブロック２６１５において実行される送信することは、第１のシンボル期間の分数期間および第２のシンボル期間の第１の部分にわたって第１のＣＵＢＳを送信することと、第２のシンボル期間の第２の部分の間に、時間整合された第２のＣＵＢＳの末尾部分を送信することとを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３２７】
[0356]ＣＵＢＳの少なくとも一部分が第１のＣＵＢＳの少なくとも一部分と第２のＣＵＢＳの少なくとも一部分とを含むいくつかの例では、ブロック２６１０において、次のシンボル期間境界の前のしきい値時間内に競合に勝ったと決定されるとき、ブロック２６１５において実行される送信することは、第１のシンボル期間の分数期間および第２のシンボル期間の第１の部分にわたって第１のＣＵＢＳを送信することと、第２のシンボル期間の第２の部分の間に第１のＣＵＢＳの冒頭部分を送信することと、第３のシンボル期間の間に第２のＣＵＢＳを送信することとを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３２８】
[0357]ＣＵＢＳの少なくとも一部分が第１のＣＵＢＳの少なくとも一部分と第２のＣＵＢＳの少なくとも一部分とを含むいくつかの例では、ブロック２６１０において、次のシンボル期間境界の前のしきい値時間内に競合に勝ったと決定されるとき、方法２６００は、第１のＣＵＢＳを第１のシンボル期間と時間整合させることを含み得る。これらの例のうちのいくつかでは、ブロック２６１５において実行される送信することは、第１のシンボル期間の分数期間の間に、時間整合された第１のＣＵＢＳの末尾部分を送信することと、第２のシンボル期間の間に第２のＣＵＢＳを送信することとを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３２９】
[0358]いくつかの例では、方法２６００は、第１のＣＵＢＳの少なくとも一部分と第２のＣＵＢＳの少なくとも一部分との送信接合部において、ウィンドウ処理およびオーバーラップ加算演算を実行することを含み得る。いくつかの例では、方法２６００は、第１のＣＵＢＳの少なくとも一部分の送信の始まりにおいて、ウィンドウ処理およびオーバーラップ加算演算を実行することを含み得る。この段落で説明する動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、または図１７を参照しながら説明したウィンドウ処理およびオーバーラップ加算構成要素１３６０、１５６０、または１７７５を使用して実行され得る。
【０３３０】
[0359]方法２６００のいくつかの例では、第１のＣＵＢＳおよび第２のＣＵＢＳの各々は、１つのシンボル期間の持続時間を有し得、通常のＩＦＦＴを用いて生成され得る。方法２６００のいくつかの例では、ＣＵＢＳ（すなわち、第２のＣＵＢＳ）は、ＣＵＢＳの少なくとも一部分の送信の後に（すなわち、第１のＣＵＢＳの少なくとも一部分および第２のＣＵＢＳの少なくとも一部分の送信の後に）、無認可無線周波数スペクトル帯域を介して行われるべき送信に含まれる信号のコピーを含み得る。いくつかの例では、ＣＵＢＳの少なくとも一部分の送信の後に（すなわち、第１のＣＵＢＳの少なくとも一部分および第２のＣＵＢＳの少なくとも一部分の送信の後に）、無認可無線周波数スペクトル帯域を介して行われるべき送信に含まれる信号は、ＤＭ−ＲＳを含み得る。いくつかの例では、ＣＵＢＳの少なくとも一部分の送信の後に（すなわち、第１のＣＵＢＳの少なくとも一部分および第２のＣＵＢＳの少なくとも一部分の送信の後に）、無認可無線周波数スペクトル帯域を介して行われるべき送信は、ＰＵＳＣＨ、ＰＵＣＣＨ、ＰＲＡＣＨ、ＳＲＳ、ＳＲ、またはそれらの組合せを含み得る。
【０３３１】
[0360]方法２６００のいくつかの例では、ＣＵＢＳの少なくとも一部分（すなわち、第１のＣＵＢＳの少なくとも一部分および第２のＣＵＢＳの少なくとも一部分）は、ＣＵＢＳの少なくとも一部分（すなわち、第１のＣＵＢＳの少なくとも一部分および第２のＣＵＢＳの少なくとも一部分）の送信の後の、無認可無線周波数スペクトル帯域を介した第１の送信（たとえば、ＰＵＳＣＨ、ＰＵＣＣＨ、ＰＲＡＣＨ、ＳＲＳ、ＳＲ、またはそれらの組合せ）のために使用されるアンテナポートおよびプリコーダの同じセットを使用して、無認可無線周波数スペクトル帯域を介して送信され得る。
【０３３２】
[0361]したがって、方法２６００はワイヤレス通信を提供し得る。方法２６００は一実装形態にすぎず、方法２６００の動作は、他の実装形態が可能であるように再構成されるかまたは別の方法で修正され得ることに留意されたい。
【０３３３】
[0362]図２７は、本開示の様々な態様による、ワイヤレス通信のための方法２７００の一例を示すフローチャートである。明快のために、方法２７００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０３３４】
[0363]ブロック２７０５において、方法２７００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２７０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０３３５】
[0364]ブロック２７１０において、方法２７００は、ＣＵＢＳの一部分を選択することを含み得る。ＣＵＢＳの一部分は、次のシンボル期間境界を基準として競合に勝つタイミングに少なくとも部分的に基づいて選択され得る。ブロック２７１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３３６】
[0365]ブロック２７１５において、方法２７００は、シンボル期間の分数期間の間に、無認可無線周波数スペクトル帯域を介して、ＣＵＢＳの一部分を送信することを含み得る。いくつかの例では、ＣＵＢＳの一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。ブロック２７１５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＵＢＳ管理構成要素１２４０、１３４０、１４４０、１５４０、１６４０、または１７４０を使用して実行され得る。
【０３３７】
[0366]したがって、方法２７００はワイヤレス通信を提供し得る。方法２７００は一実装形態にすぎず、方法２７００の動作は、他の実装形態が可能であるように再構成されるかまたは別の方法で修正され得ることに留意されたい。
【０３３８】
[0367]図２８は、本開示の様々な態様による、ワイヤレス通信のための方法２８００の一例を示すフローチャートである。明快のために、方法２８００は、図１、図２、図１９、または図２１を参照しながら説明したＵＥ１１５、２１５、２１５−ａ、２１５−ｂ、２１５−ｃ、１９１５、または２１１５のうちの１つまたは複数の態様、あるいは図１２、図１３、図１４、図１５、図１６、または図１７を参照しながら説明した装置１２１５、１３１５、１４１５、１５１５、１６１５、または１７１５のうちの１つまたは複数の態様を参照しながら以下で説明される。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０３３９】
[0368]ブロック２８０５において、方法２８００は、ランダムシーケンスを生成することを含み得る。いくつかの例では、ランダムシーケンスは、ＱＰＳＫシーケンスを含み得る。いくつかの例では、ランダムシーケンスは、一般化Ｚａｄｏｆｆ−Ｃｈｕシーケンスまたはチャープ様シーケンスのセットの中のシーケンスを含み得る。いくつかの例では、ランダムシーケンスは、ポリフェーズシーケンスを含み得る。いくつかの例では、ランダムシーケンスは、ある長さの１０個の項（たとえば、１０個の送信アンテナポートを採用するＵＥにおける送信アンテナポートごとに１つの項）を有し得る。ブロック２８０５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したシーケンス生成構成要素１７５０を使用して実行され得る。
【０３４０】
[0369]ブロック２８１０において、方法２８００は、ＤＦＴ出力を生成するために、ランダムシーケンスに対してＤＦＴを実行することを含み得る。いくつかの例では、ランダムシーケンスに対して実行されるＤＦＴは長さが１０であり得る。しかしながら、長さ１０のＤＦＴは、ＬＴＥ／ＬＴＥ−Ａに対してネイティブでない。したがって、方法２８００の代替例では、ブロック２８１０において実行される動作は、中間的な出力を生成するために、ランダムシーケンスに対してＤＦＴ（たとえば、長さ１２０のＤＦＴ）を実行し、ＤＦＴ出力を生成するために、中間的な出力をダウンサンプリングすることを含み得る。方法２８００のいくつかの例では、ブロック２８０５または２８１０の出力は、事前計算されてよく、記憶されてよく、ブロック２８２５において方法２８００によって使用されてよい。ブロック２８１０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したＤＦＴ構成要素１７５５を使用して実行され得る。
【０３４１】
[0370]ブロック２８１５において、方法２８００は、無認可無線周波数スペクトル帯域へのアクセスのための競合に勝つことを含み得る。無線周波数スペクトル帯域がＷｉ−Ｆｉ使用などの無認可使用のために利用可能であるので、送信装置がアクセスのために競合する必要があり得る無線周波数スペクトル帯域を、無認可無線周波数スペクトル帯域は含み得る。ブロック２８１５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＣＡ構成要素１２３５、１３３５、１４３５、１５３５、１６３５、または１７３５を使用して実行され得る。
【０３４２】
[0371]ブロック２８２０において、方法２８００は、ＣＵＢＳの一部分の送信の後に無認可無線周波数スペクトル帯域を介して行われるべき送信に含まれる、複数のトーンを選択することを含み得る。いくつかの例では、複数のトーンは、無認可無線周波数スペクトル帯域の中で均一な周波数間隔を有し得る。いくつかの例では、複数のトーンは、無認可無線周波数スペクトル帯域の中で不均一な周波数間隔を有し得る。いくつかの例では、ＣＵＢＳの一部分の送信の後に、無認可無線周波数スペクトル帯域を介して行われるべき送信は、ＰＵＳＣＨ、ＰＵＣＣＨ、ＰＲＡＣＨ、ＳＲＳ、またはＳＲのうちの少なくとも１つを含み得る。いくつかの例では、トーンは、選択されるトーンと、ＣＵＢＳの送信の後に無認可無線周波数スペクトル帯域を介して行われるべき送信に割り振られない最も近い１つのトーン（または、複数のトーン）との間の１つの距離（または、複数の距離）を、周波数スペクトルの中で最大化するように選択され得る。
【０３４３】
[0372]方法２８００のいくつかの例では、２８２０において複数のトーンブロックを選択することは、ＣＵＢＳの一部分の送信の後に無認可無線周波数スペクトル帯域を介して行われるべき送信に割り振られたリソースブロックの、中央におけるトーンを選択することを含み得る。方法２８００のいくつかの例では、ブロック２８２０において複数のトーンを選択することは、ＣＵＢＳの一部分の送信の後に無認可無線周波数スペクトル帯域を介して行われるべき送信に割り振られた連続するリソースブロッククラスタの、中央におけるトーンを選択することを含み得る。トーン選択の例が、図１１を参照しながらさらに詳細に説明されている。
【０３４４】
[0373]ブロック２８２０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したトーン選択構成要素１７６０を使用して実行され得る。
【０３４５】
[0374]ブロック２８２５において、方法２８００は、ブロック２８１０において生成されたＤＦＴ出力を、ブロック２８２０において選択された複数のトーンにマッピングすることを含み得る。ブロック２８２５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したマッピング構成要素１７６５を使用して実行され得る。
【０３４６】
[0375]ブロック２８３０において、方法２８００は、ＣＵＢＳを生成するために、複数のトーンに対してＩＦＦＴを実行することを含み得る。ブロック２８３０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したＩＦＦＴ構成要素１７７０を使用して実行され得る。
【０３４７】
[0376]ブロック２８３５において、方法２８００は、ＣＵＢＳの一部分を選択することを含み得る。ＣＵＢＳの一部分は、次のシンボル期間境界を基準として競合に勝つタイミングに少なくとも部分的に基づいて選択され得る。いくつかの例では、ＣＵＢＳの一部分は、ＣＵＢＳの冒頭部分を含むことがある（たとえば、競合に勝つタイミングが次のシンボル期間境界より前での完全なＣＵＢＳの送信を可能にしないので、ＣＵＢＳの末尾部分は０で埋められ（または、外へパンクチャされ）てよい）。いくつかの例では、ＣＵＢＳの一部分は、ＣＵＢＳの末尾部分を含むことがある（たとえば、競合に勝つタイミングが次のシンボル期間境界より前での完全なＣＵＢＳの送信を可能にしないので、ＣＵＢＳの冒頭部分は０で埋められ（または、外へパンクチャされ）てよい）。いくつかの例では、ＣＵＢＳの一部分は、たとえば、図７、図９、または図１０を参照しながら説明したように選択され得る。ブロック２８３５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１３、図１５、図１６、または図１７を参照しながら説明したＣＵＢＳ部分選択構成要素１３５５、１５５５、１６４５、または１７４５を使用して実行され得る。
【０３４８】
[0377]ブロック２８４０において、方法２８００は、ＣＵＢＳの一部分の送信の始まりに対して、ウィンドウ処理およびオーバーラップ加算演算を実行することを含み得る。たとえば、ウィンドウ処理および０とのオーバーラップ加算が、ＣＵＢＳの一部分の送信の始まりに対して適用されてよく、それによって、ＣＵＢＳの一部分への電力急昇が適用され得る。
【０３４９】
[0378]ブロック２８４５において、方法２８００は、ＣＵＢＳの一部分とその後送信される信号との送信接合部に対して、ウィンドウ処理およびオーバーラップ加算演算を実行することを含み得る。
【０３５０】
[0379]ブロック２８４０または２８４５における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、図１３、図１４、図１５、図１６、または図１７を参照しながら説明したＣＵＢＳ管理構成要素１３４０、１４４０、１５４０、１６４０、または１７４０、あるいは図１７を参照しながら説明したウィンドウ処理およびオーバーラップ加算構成要素１７７５を使用して実行され得る。
【０３５１】
[0380]ブロック２８５０において、方法２８００は、シンボル期間の分数期間の間に、無認可無線周波数スペクトル帯域を介して、ＣＵＢＳの一部分を送信することを含み得る。いくつかの例では、ＣＵＢＳの一部分は、無認可無線周波数スペクトル帯域のいくつかの周波数インターレース（たとえば、１つまたは複数の周波数インターレース）において送信され得る。各周波数インターレースは、同時に送信される複数のリソースブロックを含み得、同時に送信されるリソースブロックのうちの少なくとも２つ（または、同時に送信されるリソースブロックの少なくとも２セット）は、無認可無線周波数スペクトル帯域の中で連続しない。いくつかの例では、同時に送信されるリソースブロックは、無認可無線周波数スペクトル帯域の中で均一に離間され得る。他の例では、同時に送信されるリソースブロックは、無認可無線周波数スペクトル帯域の中で不均一に離間され得る。ブロック２８５０における動作は、図１２、図１３、図１４、図１５、図１６、図１７、図１９、または図２１を参照しながら説明したワイヤレス通信管理構成要素１２２０、１３２０、１４２０、１５２０、１６２０、１７２０、１９６０、または２１８４、あるいは図１２、図１３、図１４、図１５、図１６、または図１７を参照しながら説明したＣＵＢＳ管理構成要素１２４０、１３４０、１４４０、１５４０、１６４０、または１７４０を使用して実行され得る。
【０３５２】
[0381]したがって、方法２８００はワイヤレス通信を提供し得る。方法２８００は一実装形態にすぎず、方法２８００の動作は、他の実装形態が可能であるように再構成されるかまたは別の方法で修正され得ることに留意されたい。
【０３５３】
[0382]いくつかの例では、図２２、図２３、図２４、図２５、図２６、図２７、または図２８を参照しながら説明した方法２２００、２３００、２４００、２５００、２６００、２７００、または２８００のうちの１つまたは複数の態様は組み合わせられてよい。
【０３５４】
[0383]図２９は、本開示の様々な態様による、ワイヤレス通信のための方法２９００の一例を示すフローチャートである。明快のために、方法２９００は、図１、図２、図２０、または図２１を参照しながら説明した基地局１０５、２０５、２０５−ａ、２００５、または２１０５のうちの１つまたは複数の態様、あるいは図１８を参照しながら説明した装置１８０５の態様を参照しながら以下で説明される。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０３５５】
[0384]ブロック２９０５において、方法２９００は、いくつかのＵＥの各々からＣＵＢＳを受信することを含み得る。各ＣＵＢＳは、無認可無線周波数スペクトル帯域の複数の周波数インターレースのうちの１つにおいて受信され得る。ブロック２９０５における動作は、図１８、図２０、または図２１を参照しながら説明したワイヤレス通信管理構成要素１８２０、２０６０、または２１８６、あるいは図１８を参照しながら説明したＣＵＢＳ管理構成要素１８３５を使用して実行され得る。
【０３５６】
[0385]ブロック２９１０において、方法２９００は、いくつかのＵＥの各々の識別子を、受信されたＣＵＢＳから決定することを含み得る。方法２９００のいくつかの例では、第１のＣＵＢＳの一部分および第２のＣＵＢＳが第１のＵＥから受信され得、第１のＵＥの識別子が第２のＣＵＢＳから決定され得る。ブロック２９１０における動作は、図１８、図２０、または図２１を参照しながら説明したワイヤレス通信管理構成要素１８２０、２０６０、または２１８６、あるいは図１８を参照しながら説明したＵＥ識別子構成要素１８４０を使用して実行され得る。
【０３５７】
[0386]したがって、方法２９００はワイヤレス通信を提供し得る。方法２９００は一実装形態にすぎず、方法２９００の動作は、他の実装形態が可能であるように再構成されるかまたは別の方法で修正され得ることに留意されたい。
【０３５８】
[0387]図３０は、本開示の様々な態様による、ワイヤレス通信のための方法３０００の一例を示すフローチャートである。明快のために、方法３０００は、図１、図２、図２０、または図２１を参照しながら説明した基地局１０５、２０５、２０５−ａ、２００５、または２１０５のうちの１つまたは複数の態様、あるいは図１８を参照しながら説明した装置１８０５の態様を参照しながら以下で説明される。いくつかの例では、基地局または装置は、以下で説明する機能を実行するように基地局または装置の機能要素を制御するためのコードの１つまたは複数のセットを実行し得る。追加または代替として、基地局または装置は、専用ハードウェアを使用して、以下で説明する機能のうちの１つまたは複数を実行し得る。
【０３５９】
[0388]ブロック３００５において、方法３０００は、いくつかのＵＥの各々からＣＵＢＳを受信することを含み得る。各ＣＵＢＳは、無認可無線周波数スペクトル帯域の複数の周波数インターレースのうちの１つにおいて受信され得る。いくつかの例では、たとえば、図８、図９、または図１０を参照しながら説明したように、第１のＵＥから受信されるＣＵＢＳの第１のセットの構造は、第２のＵＥから受信されるＣＵＢＳの第２のセットの構造と異なり得る。ブロック３００５における動作は、図１８、図２０、または図２１を参照しながら説明したワイヤレス通信管理構成要素１８２０、２０６０、または２１８６、あるいは図１８を参照しながら説明したＣＵＢＳ管理構成要素１８３５を使用して実行され得る。
【０３６０】
[0389]ブロック３０１０において、方法３０００は、第１のＵＥから受信されたＣＵＢＳの第１のセットの中の、第１のＣＵＢＳの一部分と第２のＣＵＢＳとを識別することを含み得る。ブロック３０１０における動作は、図１８、図２０、または図２１を参照しながら説明したワイヤレス通信管理構成要素１８２０、２０６０、または２１８６、あるいは図１８を参照しながら説明したＣＵＢＳ管理構成要素１８３５を使用して実行され得る。
【０３６１】
[0390]ブロック３０１５において、方法３０００は、第１のＵＥの第１の識別子を第２のＣＵＢＳから決定することを含み得る。ブロック３０１５における動作は、図１８、図２０、または図２１を参照しながら説明したワイヤレス通信管理構成要素１８２０、２０６０、または２１８６、あるいは図１８を参照しながら説明したＵＥ識別子構成要素１８４０を使用して実行され得る。
【０３６２】
[0391]したがって、方法３０００はワイヤレス通信を提供し得る。方法３０００は一実装形態にすぎず、方法３０００の動作は、他の実装形態が可能であるように再構成されるかまたは別の方法で修正され得ることに留意されたい。
【０３６３】
[0392]いくつかの例では、図２９および図３０を参照しながら説明した方法２９００および３０００の態様は、組み合わせられてよい。
【０３６４】
[0393]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムを説明し、上記の説明の大部分においてＬＴＥ用語が使用されるが、本技法はＬＴＥ／ＬＴＥ−Ａ適用例以外に適用可能である。
【０３６５】
[0394]添付の図面に関して上記に記載された発明を実施するための形態は、例を説明しており、実装され得るかまたは特許請求の範囲内である例のすべてを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明する技法の理解を与えるための具体的な詳細を含む。しかしながら、これらの技法は、これらの具体的な詳細なしに実践され得る。いくつかの事例では、説明した例の概念を不明瞭にすることを回避するために、よく知られている構造および装置がブロック図の形式で示されている。
【０３６６】
[0395]情報および信号は、様々な技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表され得る。
【０３６７】
[0396]本明細書の開示に関して説明した様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０３６８】
[0397]本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶され得るか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはそれらのうちのいずれかの組合せを使用して実装され得る。機能を実施する特徴はまた、機能の部分が、異なる物理的ロケーションにおいて実装されるように分散されることを含めて、様々な位置に物理的に配置され得る。特許請求の範囲を含めて本明細書で使用するとき、２つ以上の項目の列挙の中で使用されるとき、「または」という用語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて本明細書で使用するとき、項目の列挙（たとえば、「のうちの少なくとも１つ」あるいは「のうちの１つまたは複数」などの句で終わる項目の列挙）の中で使用されるような「または」は、たとえば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）を意味するような選言的列挙を示す。
【０３６９】
[0398]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態で所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、レーザーを用いてデータを光学的に再生する。上記の組合せもコンピュータ可読媒体の範囲内に含まれる。
【０３７０】
[0399]本開示についての以上の説明は、当業者が本開示を作成または使用することができるように与えられたものである。本開示の様々な変更は当業者に容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【図１】
2020074529.tif 000003
【図２】
2020074529.tif 000004
【図３】
2020074529.tif 000005
【図４】
2020074529.tif 000006
【図５】
2020074529.tif 000007
【図６】
2020074529.tif 000008
【図７】
2020074529.tif 000009
【図８】
2020074529.tif 000010
【図９】
2020074529.tif 000011
【図１０】
2020074529.tif 000012
【図１１】
2020074529.tif 000013
【図１２】
2020074529.tif 000014
【図１３】
2020074529.tif 000015
【図１４】
2020074529.tif 000016
【図１５】
2020074529.tif 000017
【図１６】
2020074529.tif 000018
【図１７】
2020074529.tif 000019
【図１８】
2020074529.tif 000020
【図１９】
2020074529.tif 000021
【図２０】
2020074529.tif 000022
【図２１】
2020074529.tif 000023
【図２２】
2020074529.tif 000024
【図２３】
2020074529.tif 000025
【図２４】
2020074529.tif 000026
【図２５】
2020074529.tif 000027
【図２６】
2020074529.tif 000028
【図２７】
2020074529.tif 000029
【図２８】
2020074529.tif 000030
【図２９】
2020074529.tif 000031
【図３０】
2020074529.tif 000032
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）によって、無認可無線周波数スペクトル帯域へのアクセスのための競合に勝つことと、
前記ＵＥによって、前記無認可無線スペクトル帯域の次のシンボル期間境界の前のしきい値時間外に前記競合に勝ったか、または前記次のシンボル期間境界の前の前記しきい値時間内に前記競合に勝ったかを決定することと、
前記ＵＥによって、チャネル使用ビーコン信号（ＣＵＢＳ）の少なくとも一部分を、前記無認可無線周波数スペクトル帯域を介して送信することとを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
方法。
【請求項２】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、
請求項１に記載の方法。
【請求項３】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
第２のＣＵＢＳを前記第２のシンボル期間と時間整合させることと、
前記第２のシンボル期間の第２の部分の間に、前記無認可無線周波数スペクトル帯域を介して、前記時間整合された第２のＣＵＢＳの末尾部分を送信することとをさらに備える、
請求項１に記載の方法。
【請求項４】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
前記第２のシンボル期間の第２の部分の間に、前記無認可無線周波数スペクトル帯域を介して、前記第１のＣＵＢＳの冒頭部分を送信することと、
前記第３のシンボル期間の間に、前記無認可無線周波数スペクトル帯域を介して、第２のＣＵＢＳを送信することとをさらに備える、
請求項１に記載の方法。
【請求項５】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記方法が、
前記第１のＣＵＢＳを前記第１のシンボル期間と時間整合させることと、
前記第１のシンボル期間の前記分数期間の間に、前記無認可無線周波数スペクトル帯域を介して、前記時間整合された第１のＣＵＢＳの末尾部分を送信することと、
前記第２のシンボル期間の間に、前記無認可無線周波数スペクトル帯域を介して、第２のＣＵＢＳを送信することとをさらに備える、
請求項１に記載の方法。
【請求項６】
ワイヤレス通信のための装置であって、
ユーザ機器（ＵＥ）によって、無認可無線周波数スペクトル帯域へのアクセスのための競合に勝つための手段と、
前記ＵＥによって、前記無認可無線周波数スペクトル帯域の次のシンボル期間境界の前のしきい値時間外に前記競合に勝ったか、または前記次のシンボル期間境界の前の前記しきい値時間内に前記競合に勝ったかを決定するための手段と、
前記ＵＥによって、チャネル使用ビーコン信号（ＣＵＢＳ）の少なくとも一部分を、前記無認可無線周波数スペクトル帯域を介して送信するための手段とを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
【請求項７】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、
請求項６に記載の装置。
【請求項８】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
第２のＣＵＢＳを前記第２のシンボル期間と時間整合させるための手段と、
前記第２のシンボル期間の第２の部分の間に、前記無認可無線周波数スペクトル帯域を介して、前記時間整合された第２のＣＵＢＳの末尾部分を送信するための手段とをさらに備える、
請求項６に記載の装置。
【請求項９】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
前記第２のシンボル期間の第２の部分の間に、前記無認可無線周波数スペクトル帯域を介して、前記第１のＣＵＢＳの冒頭部分を送信するための手段と、
前記第３のシンボル期間の間に、前記無認可無線周波数スペクトル帯域を介して、第２のＣＵＢＳを送信するための手段とをさらに備える、
請求項６に記載の装置。
【請求項１０】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記装置が、
前記第１のＣＵＢＳを前記第１のシンボル期間と時間整合させるための手段と、
前記第１のシンボル期間の前記分数期間の間に、前記無認可無線周波数スペクトル帯域を介して、前記時間整合された第１のＣＵＢＳの末尾部分を送信するための手段と、
前記第２のシンボル期間の間に、前記無認可無線周波数スペクトル帯域を介して、第２のＣＵＢＳを送信するための手段とをさらに備える、
請求項６に記載の装置。
【請求項１１】
前記装置が、ユーザ機器（ＵＥ）を備える、請求項６に記載の装置。
【請求項１２】
ワイヤレス通信のための装置であって、
プロセッサと、
前記プロセッサと電子通信しているメモリとを備え、
前記プロセッサおよびメモリが、
ユーザ機器（ＵＥ）によって、無認可無線周波数スペクトル帯域へのアクセスのための競合に勝つことと、
前記ＵＥによって、前記無認可無線周波数スペクトル帯域の次のシンボル期間境界の前のしきい値時間外に前記競合に勝ったか、または前記次のシンボル期間境界の前の前記しきい値時間内に前記競合に勝ったかを決定することと、
前記ＵＥによって、チャネル使用ビーコン信号（ＣＵＢＳ）の少なくとも一部分を、前記無認可無線周波数スペクトル帯域を介して送信することとを行うように構成され、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
【請求項１３】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、
ここにおいて、前記プロセッサおよびメモリが、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように構成される、
請求項１２に記載の装置。
【請求項１４】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、
ここにおいて、前記プロセッサおよびメモリが、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように構成される、
請求項１２に記載の装置。
【請求項１５】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、
ここにおいて、前記プロセッサおよびメモリが、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように構成される、
請求項１２に記載の装置。
【請求項１６】
ワイヤレス通信のためのコンピュータ実行可能コードを記憶する非一時的コンピュータ可読媒体であって、前記コードが、プロセッサによって、
ユーザ機器（ＵＥ）によって、無認可無線周波数スペクトル帯域へのアクセスのための競合に勝つことと、
前記ＵＥによって、前記無認可無線周波数スペクトル帯域の次のシンボル期間境界の前のしきい値時間外に前記競合に勝ったか、または前記次のシンボル期間境界の前の前記しきい値時間内に前記競合に勝ったかを決定することと、
前記ＵＥによって、チャネル使用ビーコン信号（ＣＵＢＳ）の少なくとも一部分を、前記無認可無線周波数スペクトル帯域を介して送信することとを行うように実行可能であり、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
非一時的コンピュータ可読媒体。
【請求項１７】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、
ここにおいて、前記コードが、前記プロセッサによって、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように実行可能である、
請求項１６に記載の非一時的コンピュータ可読媒体。
【請求項１８】
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、
ここにおいて、前記コードが、前記プロセッサによって、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように実行可能である、
請求項１６に記載の非一時的コンピュータ可読媒体。
【請求項１９】
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、
ここにおいて、前記コードが、前記プロセッサによって、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように実行可能である、
請求項１６に記載の非一時的コンピュータ可読媒体。
【請求項２０】
ワイヤレス通信のための方法であって、
ユーザ機器（ＵＥ）によって、無認可無線周波数スペクトル帯域へのアクセスのための競合に勝つことと、
前記ＵＥによって、チャネル使用ビーコン信号（ＣＵＢＳ）の一部分を選択することと、前記ＣＵＢＳの前記一部分が、前記無認可無線周波数スペクトル帯域の次のシンボル期間境界を基準として前記競合に勝つタイミングに少なくとも部分的に基づいて選択される、
前記ＵＥによって、前記ＣＵＢＳの前記一部分に対して、ウィンドウ処理およびオーバーラップ加算演算を実行することと、
前記ＵＥによって、前記ウィンドウ処理およびオーバーラップ加算演算に少なくとも部分的に基づいて、シンボル期間の分数期間の間に、前記無認可無線周波数スペクトル帯域を介して、前記ＣＵＢＳの前記一部分を送信することと
を備える方法。
【請求項２１】
前記ＵＥによって、前記ＣＵＢＳの前記少なくとも一部分の送信の後に前記無認可無線周波数スペクトル帯域を介して行われるべき送信に含まれる、複数のトーンを選択することと、
離散フーリエ変換（ＤＦＴ）出力を前記複数のトーンにマッピングすることと、
前記ＣＵＢＳを生成するために前記複数のトーンに対して逆高速フーリエ変換（ＩＦＦＴ）を実行することと
をさらに備える、請求項２０に記載の方法。
【請求項２２】
ランダムシーケンスを生成することと、
前記ＤＦＴ出力を生成するために前記ランダムシーケンスに対してＤＦＴを実行することと
をさらに備える、請求項２１に記載の方法。
【請求項２３】
前記ランダムシーケンスが、４相位相シフトキーイング（ＱＰＳＫ）シーケンスを備える、請求項２２に記載の方法。
【請求項２４】
前記ランダムシーケンスが、一般化Ｚａｄｏｆｆ−Ｃｈｕシーケンスまたはチャープ様シーケンスのセットの中のシーケンスを備える、請求項２２に記載の方法。
【請求項２５】
前記ランダムシーケンスが、ポリフェーズシーケンスを備える、請求項２２に記載の方法。
【請求項２６】
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、請求項２２に記載の方法。
【請求項２７】
ランダムシーケンスを生成することと、
中間的な出力を生成するために前記ランダムシーケンスに対してＤＦＴを実行することと、
前記ＤＦＴ出力を生成するために前記中間的な出力をダウンサンプリングすることと
をさらに備える、請求項２１に記載の方法。
【請求項２８】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項２１に記載の方法。
【請求項２９】
前記複数のトーンを選択することが、
前記ＣＵＢＳの前記一部分の前記送信の後に前記無認可無線周波数スペクトル帯域を介して行われるべき前記送信に割り振られたリソースブロックの、中央におけるトーンを選択することを備える、
請求項２１に記載の方法。
【請求項３０】
前記複数のトーンを選択することが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択することを備える、
請請求項２１に記載の方法。
【請求項３１】
前記複数のトーンが、前記無認可無線周波数スペクトル帯域の中で均一な周波数間隔を有する、請求項２１に記載の方法。
【請求項３２】
前記複数のトーンが、前記無認可無線周波数スペクトル帯域の中で不均一な周波数間隔を有する、請求項２１に記載の方法。
【請求項３３】
前記ウィンドウ処理およびオーバーラップ加算演算を行うことが、
前記ＣＵＢＳの前記一部分とその後送信される信号との送信接合部に対して、ウィンドウ処理およびオーバーラップ加算演算を実行すること
をさらに備える、請求項２０に記載の方法。
【請求項３４】
前記ウィンドウ処理およびオーバーラップ加算演算を行うことが、
前記ＣＵＢＳの前記一部分の送信の始まりに対して、ウィンドウ処理およびオーバーラップ加算演算を実行すること
をさらに備える、請求項２０に記載の方法。
【請求項３５】
前記ＣＵＢＳの前記一部分が、前記ＣＵＢＳの冒頭部分を備える、請求項２０に記載の方法。
【請求項３６】
前記ＣＵＢＳの前記一部分が、前記ＣＵＢＳの末尾部分を備える、請求項２０に記載の方法。
【請求項３７】
ワイヤレス通信のための装置であって、
ユーザ機器（ＵＥ）によって、無認可無線周波数スペクトル帯域へのアクセスのための競合に勝つための手段と、
前記ＵＥによって、チャネル使用ビーコン信号（ＣＵＢＳ）の一部分を選択するための手段と、前記ＣＵＢＳの前記一部分が、前記無認可無線周波数スペクトル帯域の次のシンボル期間境界を基準として前記競合に勝つタイミングに少なくとも部分的に基づいて選択される、
前記ＵＥによって、前記ＣＵＢＳの前記一部分に対して、ウィンドウ処理およびオーバーラップ加算演算を実行するための手段と、
前記ＵＥによって、前記ウィンドウ処理およびオーバーラップ加算演算に少なくとも部分的に基づいて、シンボル期間の分数期間の間に、前記無認可無線周波数スペクトル帯域を介して、前記ＣＵＢＳの前記一部分を送信するための手段と
を備える装置。
【請求項３８】
前記ＵＥによって、前記ＣＵＢＳの前記少なくとも一部分の送信の後に前記無認可無線周波数スペクトル帯域を介して行われるべき送信に含まれる、複数のトーンを選択するための手段と、
離散フーリエ変換（ＤＦＴ）出力を前記複数のトーンにマッピングするための手段と、
前記ＣＵＢＳを生成するために前記複数のトーンに対して逆高速フーリエ変換（ＩＦＦＴ）を実行するための手段と
をさらに備える、請求項３７に記載の装置。
【請求項３９】
ランダムシーケンスを生成するための手段と、
前記ＤＦＴ出力を生成するために前記ランダムシーケンスに対してＤＦＴを実行するための手段と
をさらに備える、請求項３８に記載の装置。
【請求項４０】
前記ランダムシーケンスが、４相位相シフトキーイング（ＱＰＳＫ）シーケンスを備える、請求項３９に記載の装置。
【請求項４１】
前記ランダムシーケンスが、一般化Ｚａｄｏｆｆ−Ｃｈｕシーケンスまたはチャープ様シーケンスのセットの中のシーケンスを備える、請求項３９に記載の装置。
【請求項４２】
前記ランダムシーケンスが、ポリフェーズシーケンスを備える、請求項３９に記載の装置。
【請求項４３】
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、請求項３９に記載の装置。
【請求項４４】
ランダムシーケンスを生成するための手段と、
中間的な出力を生成するために前記ランダムシーケンスに対してＤＦＴを実行するための手段と、
前記ＤＦＴ出力を生成するために前記中間的な出力をダウンサンプリングするための手段と
をさらに備える、請求項３８に記載の装置。
【請求項４５】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項３８に記載の装置。
【請求項４６】
前記複数のトーンを選択するための前記手段が、
前記ＣＵＢＳの前記一部分の前記送信の後に前記無認可無線周波数スペクトル帯域を介して行われるべき前記送信に割り振られたリソースブロックの、中央におけるトーンを選択するための手段を備える、
請求項３８に記載の装置。
【請求項４７】
前記複数のトーンを選択するための前記手段が、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するための手段を備える、
請請求項３８に記載の装置。
【請求項４８】
前記複数のトーンが、前記無認可無線周波数スペクトル帯域の中で均一な周波数間隔を有する、請求項３８に記載の装置。
【請求項４９】
前記複数のトーンが、前記無認可無線周波数スペクトル帯域の中で不均一な周波数間隔を有する、請求項３８に記載の装置。
【請求項５０】
前記ウィンドウ処理およびオーバーラップ加算演算を行うための手段が、
前記ＣＵＢＳの前記一部分とその後送信される信号との送信接合部に対して、ウィンドウ処理およびオーバーラップ加算演算を実行するための手段
請求項３７に記載の装置。
【請求項５１】
前記ウィンドウ処理およびオーバーラップ加算演算を行うための手段が、
前記ＣＵＢＳの前記一部分の送信の始まりに対して、ウィンドウ処理およびオーバーラップ加算演算を実行するための手段
請求項３７に記載の装置。
【請求項５２】
前記ＣＵＢＳの前記一部分が、前記ＣＵＢＳの冒頭部分を備える、請求項３７に記載の装置。
【請求項５３】
前記ＣＵＢＳの前記一部分が、前記ＣＵＢＳの末尾部分を備える、請求項３７に記載の装置。
【請求項５４】
ワイヤレス通信のための装置であって、
プロセッサと、
前記プロセッサと電子通信しているメモリとを備え、
前記プロセッサおよびメモリが、
ユーザ機器（ＵＥ）によって、無認可無線周波数スペクトル帯域へのアクセスのための競合に勝つことと、
前記ＵＥによって、チャネル使用ビーコン信号（ＣＵＢＳ）の一部分を選択することと、前記ＣＵＢＳの前記一部分が、前記無認可無線周波数スペクトル帯域の次のシンボル期間境界を基準として前記競合に勝つタイミングに少なくとも部分的に基づいて選択される、
前記ＵＥによって、前記ＣＵＢＳの前記一部分に対して、ウィンドウ処理およびオーバーラップ加算演算を実行することと、
前記ＵＥによって、前記ウィンドウ処理およびオーバーラップ加算演算に少なくとも部分的に基づいて、シンボル期間の分数期間の間に、前記無認可無線周波数スペクトル帯域を介して、前記ＣＵＢＳの前記一部分を送信することとを行うように構成される、
装置。
【請求項５５】
前記プロセッサおよびメモリが、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように構成される、
請求項５４に記載の装置。
【請求項５６】
前記プロセッサおよびメモリが、
ランダムシーケンスを生成し、
前記ＤＦＴ出力を生成するために前記ランダムシーケンスに対してＤＦＴを実行するように構成される、
請求項５５に記載の装置。
【請求項５７】
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、請求項５５に記載の装置。
【請求項５８】
前記複数のトーンを選択するように構成されたプロセッサおよびメモリが、
前記ＣＵＢＳの前記一部分の前記送信の後に前記無認可無線周波数スペクトル帯域を介して行われるべき前記送信に割り振られたリソースブロックの、中央におけるトーンを選択するように、前記プロセッサによって実行可能な命令を備える、
請求項５５に記載の装置。
【請求項５９】
前記複数のトーンを選択するように構成された前記プロセッサおよびメモリが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するように、前記プロセッサによって実行可能な命令を備える、
請求項５５に記載の装置。
【請求項６０】
ウィンドウ処理およびオーバーラップ加算演算を行うことが、
前記ＣＵＢＳの前記一部分とその後送信される信号との送信接合部に対して、ウィンドウ処理およびオーバーラップ加算演算を実行することをさらに備える、
請求項５４に記載の装置。
【請求項６１】
ウィンドウ処理およびオーバーラップ加算演算を行うことが、
前記ＣＵＢＳの前記一部分の送信の始まりに対して、ウィンドウ処理およびオーバーラップ加算演算を実行することをさらに備える、
請求項５４に記載の装置。
【請求項６２】
前記ＣＵＢＳの前記一部分が、前記ＣＵＢＳの冒頭部分を備える、請求項５４に記載の装置。
【請求項６３】
前記ＣＵＢＳの前記一部分が、前記ＣＵＢＳの末尾部分を備える、請求項５４に記載の装置。
【請求項６４】
ワイヤレス通信のためのコンピュータ実行可能コードを記憶する非一時的コンピュータ可読媒体であって、前記コードが、プロセッサによって、
ユーザ機器（ＵＥ）によって、無認可無線周波数スペクトル帯域へのアクセスのための競合に勝つことと、
前記ＵＥによって、チャネル使用ビーコン信号（ＣＵＢＳ）の一部分を選択することと、前記ＣＵＢＳの前記一部分が、前記無認可無線周波数スペクトル帯域の次のシンボル期間境界を基準として前記競合に勝つタイミングに少なくとも部分的に基づいて選択される、
前記ＵＥによって、前記ＣＵＢＳの前記一部分の送信の始まりに対して、ウィンドウ処理およびオーバーラップ加算演算を実行することと、
前記ＵＥによって、前記ウィンドウ処理およびオーバーラップ加算演算に少なくとも部分的に基づいて、シンボル期間の分数期間の間に、前記無認可無線周波数スペクトル帯域を介して、前記ＣＵＢＳの前記一部分を送信することとを行うように実行可能である、
非一時的コンピュータ可読媒体。
【請求項６５】
前記コードが、前記プロセッサによって、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように実行可能である、
請求項６４に記載の非一時的コンピュータ可読媒体。
【請求項６６】
前記コードが、前記プロセッサによって、
ランダムシーケンスを生成し、
前記ＤＦＴ出力を生成するために前記ランダムシーケンスに対してＤＦＴを実行するように実行可能である、
請求項６５に記載の非一時的コンピュータ可読媒体。
【手続補正２】
【補正対象書類名】明細書
【補正対象項目名】０３７０
【補正方法】変更
【補正の内容】
【０３７０】
[0399]本開示についての以上の説明は、当業者が本開示を作成または使用することができるように与えられたものである。本開示の様々な変更は当業者に容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信のための方法であって、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを備え、前記ＣＵＢＳの前記少なくとも一部分が、前記無認可無線周波数スペクトル帯域のいくつかの周波数インターレースにおいて送信される、
方法。
［Ｃ２］
ＣＵＢＳの少なくとも一部分を、前記無認可無線周波数スペクトル帯域を介して前記送信することが、
第１のＣＵＢＳの少なくとも一部分と第２のＣＵＢＳの少なくとも一部分とを、前記無認可無線周波数スペクトル帯域を介して送信することを備え、ここにおいて、前記送信することが、第１のシンボル期間の少なくとも分数期間を備えるプリアンブルの間に行われ、前記第１のＣＵＢＳが、前記第２のＣＵＢＳと異なる、
Ｃ１に記載の方法。
［Ｃ３］
前記第１のシンボル期間が、複数のサブ期間を備え、ここにおいて、前記送信することが、
前記無認可無線周波数スペクトル帯域へのアクセスのための前記競合に前記勝つことに後続する、いくつかの完全なサブ期間の各々の中で、前記第１のＣＵＢＳのインスタンスを送信することを備える、
Ｃ２に記載の方法。
［Ｃ４］
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
Ｃ３に記載の方法。
［Ｃ５］
前記プリアンブルが、前記第１のシンボル期間に後続する第２のシンボル期間を備え、ここにおいて、前記送信することが、
前記第１のシンボル期間の前記分数期間の間に、前記第１のＣＵＢＳの冒頭部分を送信することと、
前記第２のシンボル期間の間に、前記第２のＣＵＢＳを送信することとを備える、
Ｃ２に記載の方法。
［Ｃ６］
前記プリアンブルが、前記第１のシンボル期間に後続する第２のシンボル期間を備え、前記方法が、
前記第２のＣＵＢＳを前記第２のシンボル期間と時間整合させることをさらに備え、  ここにおいて、前記送信することが、
前記第１のシンボル期間の前記分数期間および前記第２のシンボル期間の第１の部分にわたって、前記第１のＣＵＢＳを送信することと、
前記第２のシンボル期間の第２の部分の間に、前記時間整合された第２のＣＵＢＳの末尾部分を送信することとを備える、
Ｃ２に記載の方法。
［Ｃ７］
前記プリアンブルが、前記第１のシンボル期間に後続する第２のシンボル期間と、前記第２のシンボル期間に後続する第３のシンボル期間とを備え、ここにおいて、前記送信することが、
前記第１のシンボル期間の前記分数期間および前記第２のシンボル期間の第１の部分にわたって、前記第１のＣＵＢＳを送信することと、
前記第２のシンボル期間の第２の部分の間に、前記第１のＣＵＢＳの冒頭部分を送信することと、
前記第３のシンボル期間の間に、前記第２のＣＵＢＳを送信することとを備える、
Ｃ２に記載の方法。
［Ｃ８］
前記プリアンブルが、前記第１のシンボル期間に後続する第２のシンボル期間を備え、前記方法が、
前記第１のＣＵＢＳを前記第１のシンボル期間と時間整合させることをさらに備え、
ここにおいて、前記送信することが、
前記第１のシンボル期間の前記分数期間の間に、前記時間整合された第１のＣＵＢＳの末尾部分を送信することと、
前記第２のシンボル期間の間に、前記第２のＣＵＢＳを送信することとを備える、
Ｃ２に記載の方法。
［Ｃ９］
前記第１のＣＵＢＳの前記少なくとも一部分と前記第２のＣＵＢＳの前記少なくとも一部分との送信接合部において、ウィンドウ処理およびオーバーラップ加算演算を実行すること
をさらに備える、Ｃ２に記載の方法。
［Ｃ１０］
前記第１のＣＵＢＳの前記少なくとも一部分の送信の始まりにおいて、ウィンドウ処理およびオーバーラップ加算演算を実行すること
をさらに備える、Ｃ２に記載の方法。
［Ｃ１１］
前記第１のＣＵＢＳおよび前記第２のＣＵＢＳの各々が、１つのシンボル期間の持続時間を備える、Ｃ２に記載の方法。
［Ｃ１２］
前記第２のＣＵＢＳが、前記第１のＣＵＢＳの前記少なくとも一部分および前記第２のＣＵＢＳの前記少なくとも一部分の送信の後に前記無認可無線周波数スペクトル帯域を介して行われるべき送信に含まれる信号のコピーを備える、Ｃ２に記載の方法。
［Ｃ１３］
前記信号が、復調基準信号（ＤＭ−ＲＳ）を備える、Ｃ１２に記載の方法。
［Ｃ１４］
前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを備える、Ｃ１２に記載の方法。
［Ｃ１５］
前記第１のＣＵＢＳの前記少なくとも一部分および前記第２のＣＵＢＳの前記少なくとも一部分が、前記第１のＣＵＢＳの前記少なくとも一部分および前記第２のＣＵＢＳの前記少なくとも一部分の前記送信の後に、前記無認可無線周波数スペクトル帯域を介した第１の送信のために使用されるアンテナポートおよびプリコーダの同じセットを使用して、前記無認可無線周波数スペクトル帯域を介して送信される、Ｃ２に記載の方法。
［Ｃ１６］
前記競合に前記勝つこと、および前記送信することが、ユーザ機器（ＵＥ）によって実行される、Ｃ２に記載の方法。
［Ｃ１７］
ワイヤレス通信のための装置であって、
無認可無線周波数スペクトル帯域へのアクセスのための競合に勝つための手段と、
チャネル使用ビーコン信号（ＣＵＢＳ）の少なくとも一部分を、前記無認可無線周波数スペクトル帯域を介して送信するための手段とを備え、前記ＣＵＢＳの前記少なくとも一部分が、前記無認可無線周波数スペクトル帯域のいくつかの周波数インターレースにおいて送信される、
装置。
［Ｃ１８］
ＣＵＢＳの少なくとも一部分を、前記無認可無線周波数スペクトル帯域を介して送信するための前記手段が、第１のＣＵＢＳの少なくとも一部分と第２のＣＵＢＳの少なくとも一部分とを、前記無認可無線周波数スペクトル帯域を介して送信するための手段を備え、ここにおいて、前記送信することが、第１のシンボル期間の少なくとも分数期間を備えるプリアンブルの間に行われ、前記第１のＣＵＢＳが、前記第２のＣＵＢＳと異なる、Ｃ１７に記載の装置。
［Ｃ１９］
前記第１のシンボル期間が、複数のサブ期間を備え、ここにおいて、送信するための前記手段が、
前記無認可無線周波数スペクトル帯域へのアクセスのための前記競合に前記勝つことに後続する、いくつかの完全なサブ期間の各々の中で、前記第１のＣＵＢＳのインスタンスを送信するための手段を備える、
Ｃ１８に記載の装置。
［Ｃ２０］
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
Ｃ１９に記載の装置。
［Ｃ２１］
前記プリアンブルが、前記第１のシンボル期間に後続する第２のシンボル期間を備え、ここにおいて、送信するための前記手段が、
前記第１のシンボル期間の前記分数期間の間に、前記第１のＣＵＢＳの冒頭部分を送信するための手段と、
前記第２のシンボル期間の間に、前記第２のＣＵＢＳを送信するための手段とを備える、
Ｃ１８に記載の装置。
［Ｃ２２］
前記プリアンブルが、前記第１のシンボル期間に後続する第２のシンボル期間を備え、前記装置が、
前記第２のＣＵＢＳを前記第２のシンボル期間と時間整合させるための手段をさらに備え、
ここにおいて、送信するための前記手段が、
前記第１のシンボル期間の前記分数期間および前記第２のシンボル期間の第１の部分にわたって、前記第１のＣＵＢＳを送信するための手段と、
前記第２のシンボル期間の第２の部分の間に、前記時間整合された第２のＣＵＢＳの末尾部分を送信するための手段とを備える、
Ｃ１８に記載の装置。
［Ｃ２３］
前記プリアンブルが、前記第１のシンボル期間に後続する第２のシンボル期間と、前記第２のシンボル期間に後続する第３のシンボル期間とを備え、ここにおいて、送信するための前記手段が、
前記第１のシンボル期間の前記分数期間および前記第２のシンボル期間の第１の部分にわたって、前記第１のＣＵＢＳを送信するための手段と、
前記第２のシンボル期間の第２の部分の間に、前記第１のＣＵＢＳの冒頭部分を送信するための手段と、
前記第３のシンボル期間の間に、前記第２のＣＵＢＳを送信するための手段とを備える、
Ｃ１８に記載の装置。
［Ｃ２４］
前記プリアンブルが、前記第１のシンボル期間に後続する第２のシンボル期間を備え、前記装置が、
前記第１のＣＵＢＳを前記第１のシンボル期間と時間整合させるための手段をさらに備え、
ここにおいて、送信するための前記手段が、
前記第１のシンボル期間の前記分数期間の間に、前記時間整合された第１のＣＵＢＳの末尾部分を送信するための手段と、
前記第２のシンボル期間の間に、前記第２のＣＵＢＳを送信するための手段とを備える、
Ｃ１８に記載の装置。
［Ｃ２５］
前記第１のＣＵＢＳの前記少なくとも一部分と前記第２のＣＵＢＳの前記少なくとも一部分との送信接合部において、ウィンドウ処理およびオーバーラップ加算演算を実行するための手段
をさらに備える、Ｃ１８に記載の装置。
［Ｃ２６］
前記第１のＣＵＢＳの前記少なくとも一部分の送信の始まりにおいて、ウィンドウ処理およびオーバーラップ加算演算を実行するための手段
をさらに備える、Ｃ１８に記載の装置。
［Ｃ２７］
前記第１のＣＵＢＳおよび前記第２のＣＵＢＳの各々が、１つのシンボル期間の持続時間を備える、Ｃ１８に記載の装置。
［Ｃ２８］
前記第２のＣＵＢＳが、前記第１のＣＵＢＳの前記少なくとも一部分および前記第２のＣＵＢＳの前記少なくとも一部分の送信の後に前記無認可無線周波数スペクトル帯域を介して行われるべき送信に含まれる信号のコピーを備える、Ｃ１８に記載の装置。
［Ｃ２９］
前記信号が、復調基準信号（ＤＭ−ＲＳ）を備える、Ｃ２８に記載の装置。
［Ｃ３０］
前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、スケジューリング要求（ＳＲ）、またはそれらの組合せのうちの少なくとも１つを備える、Ｃ２８に記載の装置。
［Ｃ３１］
前記第１のＣＵＢＳの前記少なくとも一部分および前記第２のＣＵＢＳの前記少なくとも一部分が、前記第１のＣＵＢＳの前記少なくとも一部分および前記第２のＣＵＢＳの前記少なくとも一部分の前記送信の後に、前記無認可無線周波数スペクトル帯域を介した第１の送信のために使用されるアンテナポートおよびプリコーダの同じセットを使用して、前記無認可無線周波数スペクトル帯域を介して送信される、Ｃ１８に記載の装置。
［Ｃ３２］
前記装置が、ユーザ機器（ＵＥ）を備える、Ｃ１８に記載の装置。
［Ｃ３３］
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを行うように構成され、前記ＣＵＢＳの前記少なくとも一部分が、前記無認可無線周波数スペクトル帯域のいくつかの周波数インターレースにおいて送信される、
装置。
［Ｃ３４］
ＣＵＢＳの少なくとも一部分を、前記無認可無線周波数スペクトル帯域を介して送信するように構成された、前記プロセッサおよびメモリが、第１のＣＵＢＳの少なくとも一部分と第２のＣＵＢＳの少なくとも一部分とを、前記無認可無線周波数スペクトル帯域を介して送信するように、前記プロセッサによって実行可能な命令を備え、ここにおいて、前記送信することが、第１のシンボル期間の少なくとも分数期間を備えるプリアンブルの間に行われ、前記第１のＣＵＢＳが、前記第２のＣＵＢＳと異なる、Ｃ３３に記載の装置。
［Ｃ３５］
前記第１のシンボル期間が、複数のサブ期間を備え、ここにおいて、送信するように構成された前記プロセッサおよびメモリが、
前記無認可無線周波数スペクトル帯域へのアクセスのための前記競合に前記勝つことに後続する、いくつかの完全なサブ期間の各々の中で、前記第１のＣＵＢＳのインスタンスを送信するように、前記プロセッサによって実行可能な命令を備える、
Ｃ３４に記載の装置。
［Ｃ３６］
前記第１のＣＵＢＳの前記インスタンスが前記第１のＣＵＢＳまたは前記第２のＣＵＢＳの別のインスタンスと境を接するとき、前記第１のＣＵＢＳが、時間領域における滑らかさをもたらす周期的なゼロ交差を備える、
Ｃ３５に記載の装置。
［Ｃ３７］
前記プリアンブルが、前記第１のシンボル期間に後続する第２のシンボル期間を備え、ここにおいて、送信するように構成された前記プロセッサおよびメモリが、
前記第１のシンボル期間の前記分数期間の間に、前記第１のＣＵＢＳの冒頭部分を送信し、
前記第２のシンボル期間の間に、前記第２のＣＵＢＳを送信するように、前記プロセッサによって実行可能な命令を備える、
Ｃ３４に記載の装置。
［Ｃ３８］
前記プリアンブルが、前記第１のシンボル期間に後続する第２のシンボル期間を備え、ここにおいて、前記プロセッサおよびメモリが、
前記第１のＣＵＢＳを前記第１のシンボル期間と時間整合させるように構成され、
ここにおいて、送信するように前記プロセッサによって実行可能な前記命令が、
前記第１のシンボル期間の前記分数期間の間に、前記時間整合された第１のＣＵＢＳの末尾部分を送信し、
前記第２のシンボル期間の間に、前記第２のＣＵＢＳを送信するように、前記プロセッサによって実行可能な命令を備える、
Ｃ３４に記載の装置。
［Ｃ３９］
前記プロセッサおよびメモリが、
前記第１のＣＵＢＳの前記少なくとも一部分と前記第２のＣＵＢＳの前記少なくとも一部分との送信接合部において、ウィンドウ処理およびオーバーラップ加算演算を実行するように構成される、
Ｃ３４に記載の装置。
［Ｃ４０］
プロセッサおよびメモリが、
前記第１のＣＵＢＳの前記少なくとも一部分の送信の始まりにおいて、ウィンドウ処理およびオーバーラップ加算演算を実行するように構成される、
Ｃ３４に記載の装置。
［Ｃ４１］
前記装置が、ユーザ機器（ＵＥ）を備える、Ｃ３４に記載の装置。
［Ｃ４２］
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
チャネル使用ビーコン信号（ＣＵＢＳ）の少なくとも一部分を、前記無認可無線周波数スペクトル帯域を介して送信することとを行うように実行可能であり、前記ＣＵＢＳの前記少なくとも一部分が、前記無認可無線周波数スペクトル帯域のいくつかの周波数インターレースにおいて送信される、
非一時的コンピュータ可読媒体。
［Ｃ４３］
ＣＵＢＳの少なくとも一部分を、前記無認可無線周波数スペクトル帯域を介して送信するように、前記プロセッサによって実行可能な前記コードが、第１のＣＵＢＳの少なくとも一部分と第２のＣＵＢＳの少なくとも一部分とを、前記無認可無線周波数スペクトル帯域を介して送信するように、前記プロセッサによって実行可能なコードを備え、ここにおいて、前記送信することが、第１のシンボル期間の少なくとも分数期間を備えるプリアンブルの間に行われ、前記第１のＣＵＢＳが、前記第２のＣＵＢＳと異なる、Ｃ４２に記載の非一時的コンピュータ可読媒体。
［Ｃ４４］
前記第１のシンボル期間が、複数のサブ期間を備え、ここにおいて、送信するように前記プロセッサによって実行可能な前記コードが、
前記無認可無線周波数スペクトル帯域へのアクセスのための前記競合に前記勝つことに後続する、いくつかの完全なサブ期間の各々の中で、前記第１のＣＵＢＳのインスタンスを送信するように、前記プロセッサによって実行可能なコードを備える、
Ｃ４３に記載の非一時的コンピュータ可読媒体。
［Ｃ４５］
前記プリアンブルが、前記第１のシンボル期間に後続する第２のシンボル期間を備え、ここにおいて、送信するように前記プロセッサによって実行可能な前記コードが、
前記第１のシンボル期間の前記分数期間の間に、前記第１のＣＵＢＳの冒頭部分を送信し、
前記第２のシンボル期間の間に、前記第２のＣＵＢＳを送信するように、前記プロセッサによって実行可能なコードを備える、
Ｃ４３に記載の非一時的コンピュータ可読媒体。
［Ｃ４６］
前記プリアンブルが、前記第１のシンボル期間に後続する第２のシンボル期間を備え、ここにおいて、前記コードが、前記プロセッサによって、
前記第１のＣＵＢＳを前記第１のシンボル期間と時間整合させるように実行可能であり、
ここにおいて、送信するように前記プロセッサによって実行可能な前記コードが、
前記第１のシンボル期間の前記分数期間の間に、前記時間整合された第１のＣＵＢＳの末尾部分を送信し、
前記第２のシンボル期間の間に、前記第２のＣＵＢＳを送信するように、前記プロセッサによって実行可能なコードを備える、
Ｃ４３に記載の非一時的コンピュータ可読媒体。
［Ｃ４７］
ワイヤレス通信のための方法であって、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
方法。
［Ｃ４８］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、
Ｃ４７に記載の方法。
［Ｃ４９］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
第２のＣＵＢＳを前記第２のシンボル期間と時間整合させることと、
前記第２のシンボル期間の第２の部分の間に、前記無認可無線周波数スペクトル帯域を介して、前記時間整合された第２のＣＵＢＳの末尾部分を送信することとをさらに備える、
Ｃ４７に記載の方法。
［Ｃ５０］
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記方法が、
前記第２のシンボル期間の第２の部分の間に、前記無認可無線周波数スペクトル帯域を介して、前記第１のＣＵＢＳの冒頭部分を送信することと、
前記第３のシンボル期間の間に、前記無認可無線周波数スペクトル帯域を介して、第２のＣＵＢＳを送信することとをさらに備える、
Ｃ４７に記載の方法。
［Ｃ５１］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記方法が、
前記第１のＣＵＢＳを前記第１のシンボル期間と時間整合させることと、
前記第１のシンボル期間の前記分数期間の間に、前記無認可無線周波数スペクトル帯域を介して、前記時間整合された第１のＣＵＢＳの末尾部分を送信することと、
前記第２のシンボル期間の間に、前記無認可無線周波数スペクトル帯域を介して、第２のＣＵＢＳを送信することとをさらに備える、
Ｃ４７に記載の方法。
［Ｃ５２］
前記競合に前記勝つこと、および前記送信することが、ユーザ機器（ＵＥ）によって実行される、Ｃ４７に記載の方法。
［Ｃ５３］
ワイヤレス通信のための装置であって、
無認可無線周波数スペクトル帯域へのアクセスのための競合に勝つための手段と、
次のシンボル期間境界の前のしきい値時間内に前記競合に勝ったかどうかを決定するための手段と、
チャネル使用ビーコン信号（ＣＵＢＳ）の少なくとも一部分を、前記無認可無線周波数スペクトル帯域を介して送信するための手段とを備え、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
［Ｃ５４］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第２のシンボル期間の間に送信される、
Ｃ５３に記載の装置。
［Ｃ５５］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
第２のＣＵＢＳを前記第２のシンボル期間と時間整合させるための手段と、
前記第２のシンボル期間の第２の部分の間に、前記無認可無線周波数スペクトル帯域を介して、前記時間整合された第２のＣＵＢＳの末尾部分を送信するための手段とをさらに備える、
Ｃ５３に記載の装置。
［Ｃ５６］
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、前記装置が、
前記第２のシンボル期間の第２の部分の間に、前記無認可無線周波数スペクトル帯域を介して、前記第１のＣＵＢＳの冒頭部分を送信するための手段と、
前記第３のシンボル期間の間に、前記無認可無線周波数スペクトル帯域を介して、第２のＣＵＢＳを送信するための手段とをさらに備える、
Ｃ５３に記載の装置。
［Ｃ５７］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、前記装置が、
前記第１のＣＵＢＳを前記第１のシンボル期間と時間整合させるための手段と、
前記第１のシンボル期間の前記分数期間の間に、前記無認可無線周波数スペクトル帯域を介して、前記時間整合された第１のＣＵＢＳの末尾部分を送信するための手段と、
前記第２のシンボル期間の間に、前記無認可無線周波数スペクトル帯域を介して、第２のＣＵＢＳを送信するための手段とをさらに備える、
Ｃ５３に記載の装置。
［Ｃ５８］
前記装置が、ユーザ機器（ＵＥ）を備える、Ｃ５３に記載の装置。
［Ｃ５９］
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを行うように構成され、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
装置。
［Ｃ６０］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記プロセッサおよびメモリが、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように構成される、
Ｃ５９に記載の装置。
［Ｃ６１］
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記プロセッサおよびメモリが、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように構成される、
Ｃ５９に記載の装置。
［Ｃ６２］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、ここにおいて、前記プロセッサおよびメモリが、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように構成される、
Ｃ５９に記載の装置。
［Ｃ６３］
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
次のシンボル期間境界の前のしきい値時間内に前記競合に勝ったかどうかを決定することと、
チャネル使用ビーコン信号（ＣＵＢＳ）の少なくとも一部分を、前記無認可無線周波数スペクトル帯域を介して送信することとを行うように実行可能であり、前記ＣＵＢＳの前記少なくとも一部分が、第１のシンボル期間の分数期間を備えるプリアンブルの間に送信され、前記ＣＵＢＳの前記少なくとも一部分が、前記決定することに少なくとも部分的に基づく、
非一時的コンピュータ可読媒体。
［Ｃ６４］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記コードが、前記プロセッサによって、
第２のＣＵＢＳを前記第２のシンボル期間と時間整合させ、
前記第２のシンボル期間の第２の部分の間に、前記無認可無線周波数スペクトル帯域を介して、前記時間整合された第２のＣＵＢＳの末尾部分を送信するように実行可能である、
Ｃ６３に記載の非一時的コンピュータ可読媒体。
［Ｃ６５］
前記次のシンボル期間境界の前の前記しきい値時間内に前記競合に勝ち、
前記プリアンブルが、前記第１のシンボル期間の前記分数期間に後続する第２のシンボル期間と第３のシンボル期間とを備え、
前記ＣＵＢＳの前記少なくとも一部分が、前記第１のシンボル期間の前記分数期間および前記第２のシンボル期間の第１の部分にわたって送信される第１のＣＵＢＳを備え、ここにおいて、前記コードが、前記プロセッサによって、
前記第２のシンボル期間の第２の部分の間に、前記無認可無線周波数スペクトル帯域を介して、前記第１のＣＵＢＳの冒頭部分を送信し、
前記第３のシンボル期間の間に、前記無認可無線周波数スペクトル帯域を介して、第２のＣＵＢＳを送信するように実行可能である、
Ｃ６３に記載の非一時的コンピュータ可読媒体。
［Ｃ６６］
前記次のシンボル期間境界の前の前記しきい値時間内に前記競合に勝ち、
前記プリアンブルが、前記第１のシンボル期間の前記分数期間に後続する第２のシンボル期間を備え、
前記ＣＵＢＳが、第１のＣＵＢＳを備え、ここにおいて、前記コードが、前記プロセッサによって、
前記第１のＣＵＢＳを前記第１のシンボル期間と時間整合させ、
前記第１のシンボル期間の前記分数期間の間に、前記無認可無線周波数スペクトル帯域を介して、前記時間整合された第１のＣＵＢＳの末尾部分を送信し、
前記第２のシンボル期間の間に、前記無認可無線周波数スペクトル帯域を介して、第２のＣＵＢＳを送信するように実行可能である、
Ｃ６３に記載の非一時的コンピュータ可読媒体。
［Ｃ６７］
ワイヤレス通信のための方法であって、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することと
を備える方法。
［Ｃ６８］
前記ＣＵＢＳの前記少なくとも一部分の送信の後に前記無認可無線周波数スペクトル帯域を介して行われるべき送信に含まれる、複数のトーンを選択することと、
離散フーリエ変換（ＤＦＴ）出力を前記複数のトーンにマッピングすることと、
前記ＣＵＢＳを生成するために前記複数のトーンに対して逆高速フーリエ変換（ＩＦＦＴ）を実行することと
をさらに備える、Ｃ６７に記載の方法。
［Ｃ６９］
ランダムシーケンスを生成することと、
前記ＤＦＴ出力を生成するために前記ランダムシーケンスに対してＤＦＴを実行することと
をさらに備える、Ｃ６８に記載の方法。
［Ｃ７０］
前記ランダムシーケンスが、４相位相シフトキーイング（ＱＰＳＫ）シーケンスを備える、Ｃ６９に記載の方法。
［Ｃ７１］
前記ランダムシーケンスが、一般化Ｚａｄｏｆｆ−Ｃｈｕシーケンスまたはチャープ様シーケンスのセットの中のシーケンスを備える、Ｃ６９に記載の方法。
［Ｃ７２］
前記ランダムシーケンスが、ポリフェーズシーケンスを備える、Ｃ６９に記載の方法。
［Ｃ７３］
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、Ｃ６９に記載の方法。
［Ｃ７４］
ランダムシーケンスを生成することと、
中間的な出力を生成するために前記ランダムシーケンスに対してＤＦＴを実行することと、
前記ＤＦＴ出力を生成するために前記中間的な出力をダウンサンプリングすることと
をさらに備える、Ｃ６８に記載の方法。
［Ｃ７５］
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、Ｃ６８に記載の方法。
［Ｃ７６］
前記複数のトーンを選択することが、
前記ＣＵＢＳの前記一部分の前記送信の後に前記無認可無線周波数スペクトル帯域を介して行われるべき前記送信に割り振られたリソースブロックの、中央におけるトーンを選択することを備える、
Ｃ６８に記載の方法。
［Ｃ７７］
前記複数のトーンを選択することが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択することを備える、
Ｃ６８に記載の方法。
［Ｃ７８］
前記複数のトーンが、前記無認可無線周波数スペクトル帯域の中で均一な周波数間隔を有する、Ｃ６８に記載の方法。
［Ｃ７９］
前記複数のトーンが、前記無認可無線周波数スペクトル帯域の中で不均一な周波数間隔を有する、Ｃ６８に記載の方法。
［Ｃ８０］
前記ＣＵＢＳの前記一部分とその後送信される信号との送信接合部に対して、ウィンドウ処理およびオーバーラップ加算演算を実行すること
をさらに備える、Ｃ６７に記載の方法。
［Ｃ８１］
前記ＣＵＢＳの前記一部分の送信の始まりに対して、ウィンドウ処理およびオーバーラップ加算演算を実行すること
をさらに備える、Ｃ６７に記載の方法。
［Ｃ８２］
前記競合、および前記送信することが、ユーザ機器（ＵＥ）によって実行される、Ｃ６７に記載の方法。
［Ｃ８３］
前記ＣＵＢＳの前記一部分が、前記ＣＵＢＳの冒頭部分を備える、Ｃ６７に記載の方法。
［Ｃ８４］
前記ＣＵＢＳの前記一部分が、前記ＣＵＢＳの末尾部分を備える、Ｃ６７に記載の方法。
［Ｃ８５］
ワイヤレス通信のための装置であって、
無認可無線周波数スペクトル帯域へのアクセスのための競合に勝つための手段と、
チャネル使用ビーコン信号（ＣＵＢＳ）の一部分を選択するための手段と、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信するための手段と
を備える装置。
［Ｃ８６］
前記ＣＵＢＳの前記少なくとも一部分の送信の後に前記無認可無線周波数スペクトル帯域を介して行われるべき送信に含まれる、複数のトーンを選択するための手段と、
離散フーリエ変換（ＤＦＴ）出力を前記複数のトーンにマッピングするための手段と、
前記ＣＵＢＳを生成するために前記複数のトーンに対して逆高速フーリエ変換（ＩＦＦＴ）を実行するための手段と
をさらに備える、Ｃ８５に記載の装置。
［Ｃ８７］
ランダムシーケンスを生成するための手段と、
前記ＤＦＴ出力を生成するために前記ランダムシーケンスに対してＤＦＴを実行するための手段と
をさらに備える、Ｃ８６に記載の装置。
［Ｃ８８］
前記ランダムシーケンスが、４相位相シフトキーイング（ＱＰＳＫ）シーケンスを備える、Ｃ８７に記載の装置。
［Ｃ８９］
前記ランダムシーケンスが、一般化Ｚａｄｏｆｆ−Ｃｈｕシーケンスまたはチャープ様シーケンスのセットの中のシーケンスを備える、Ｃ８７に記載の装置。
［Ｃ９０］
前記ランダムシーケンスが、ポリフェーズシーケンスを備える、Ｃ８７に記載の装置。
［Ｃ９１］
前記複数のトーンが、１０個のトーンを含み、ここにおいて、前記ランダムシーケンスが、ある長さの１０個の項を有し、ここにおいて、前記ランダムシーケンスに対して実行される前記ＤＦＴは長さが１０である、Ｃ８７に記載の装置。
［Ｃ９２］
ランダムシーケンスを生成するための手段と、
中間的な出力を生成するために前記ランダムシーケンスに対してＤＦＴを実行するための手段と、
前記ＤＦＴ出力を生成するために前記中間的な出力をダウンサンプリングするための手段と
をさらに備える、Ｃ８６に記載の装置。
［Ｃ９３］
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、Ｃ８６に記載の装置。
［Ｃ９４］
前記複数のトーンを選択するための前記手段が、
前記ＣＵＢＳの前記一部分の前記送信の後に前記無認可無線周波数スペクトル帯域を介して行われるべき前記送信に割り振られたリソースブロックの、中央におけるトーンを選択するための手段を備える、
Ｃ８６に記載の装置。
［Ｃ９５］
前記複数のトーンを選択するための前記手段が、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するための手段を備える、
Ｃ８６に記載の装置。
［Ｃ９６］
前記複数のトーンが、前記無認可無線周波数スペクトル帯域の中で均一な周波数間隔を有する、Ｃ８６に記載の装置。
［Ｃ９７］
前記複数のトーンが、前記無認可無線周波数スペクトル帯域の中で不均一な周波数間隔を有する、Ｃ８６に記載の装置。
［Ｃ９８］
前記ＣＵＢＳの前記一部分とその後送信される信号との送信接合部に対して、ウィンドウ処理およびオーバーラップ加算演算を実行するための手段
をさらに備える、Ｃ８５に記載の装置。
［Ｃ９９］
前記ＣＵＢＳの前記一部分の送信の始まりに対して、ウィンドウ処理およびオーバーラップ加算演算を実行するための手段
をさらに備える、Ｃ８５に記載の装置。
［Ｃ１００］
前記競合、および前記送信することが、ユーザ機器（ＵＥ）によって実行される、Ｃ８５に記載の装置。
［Ｃ１０１］
前記ＣＵＢＳの前記一部分が、前記ＣＵＢＳの冒頭部分を備える、Ｃ８５に記載の装置。
［Ｃ１０２］
前記ＣＵＢＳの前記一部分が、前記ＣＵＢＳの末尾部分を備える、Ｃ８５に記載の装置。
［Ｃ１０３］
ワイヤレス通信のための装置であって、
プロセッサと、
前記プロセッサと電子通信しているメモリとを備え、
前記プロセッサおよびメモリが、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することとを行うように構成される、
装置。
［Ｃ１０４］
前記プロセッサおよびメモリが、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように構成される、
Ｃ１０３に記載の装置。
［Ｃ１０５］
前記プロセッサおよびメモリが、
ランダムシーケンスを生成し、
前記ＤＦＴ出力を生成するために前記ランダムシーケンスに対してＤＦＴを実行するように構成される、
Ｃ１０４に記載の装置。
［Ｃ１０６］
前記ＣＵＢＳの前記一部分の前記送信の後に前記無認可無線周波数スペクトル帯域を介して行われるべき前記送信が、物理アップリンク共有チャネル（ＰＵＳＣＨ）、物理アップリンク制御チャネル（ＰＵＣＣＨ）、物理ランダムアクセスチャネル（ＰＲＡＣＨ）、サウンディング基準信号（ＳＲＳ）、またはスケジューリング要求（ＳＲ）のうちの少なくとも１つを備える、Ｃ１０４に記載の装置。
［Ｃ１０７］
前記複数のトーンを選択するように構成されたプロセッサおよびメモリが、
前記ＣＵＢＳの前記一部分の前記送信の後に前記無認可無線周波数スペクトル帯域を介して行われるべき前記送信に割り振られたリソースブロックの、中央におけるトーンを選択するように、前記プロセッサによって実行可能な命令を備える、
Ｃ１０４に記載の装置。
［Ｃ１０８］
前記複数のトーンを選択するように構成された前記プロセッサおよびメモリが、
前記ＣＵＢＳの前記一部分の前記送信の後に前記無認可無線周波数スペクトル帯域を介して行われるべき前記送信に割り振られた連続するリソースブロッククラスタの、中央におけるトーンを選択するように、前記プロセッサによって実行可能な命令を備える、
Ｃ１０４に記載の装置。
［Ｃ１０９］
前記プロセッサおよびメモリが、
前記ＣＵＢＳの前記一部分とその後送信される信号との送信接合部に対して、ウィンドウ処理およびオーバーラップ加算演算を実行するように構成される、
Ｃ１０３に記載の装置。
［Ｃ１１０］
前記プロセッサおよびメモリが、
前記ＣＵＢＳの前記一部分の送信の始まりに対して、ウィンドウ処理およびオーバーラップ加算演算を実行するように構成される、
Ｃ１０３に記載の装置。
［Ｃ１１１］
前記ＣＵＢＳの前記一部分が、前記ＣＵＢＳの冒頭部分を備える、Ｃ１０３に記載の装置。
［Ｃ１１２］
前記ＣＵＢＳの前記一部分が、前記ＣＵＢＳの末尾部分を備える、Ｃ１０３に記載の装置。
［Ｃ１１３］
ワイヤレス通信のためのコンピュータ実行可能コードを記憶する非一時的コンピュータ可読媒体であって、前記コードが、プロセッサによって、
無認可無線周波数スペクトル帯域へのアクセスのための競合に勝つことと、
チャネル使用ビーコン信号（ＣＵＢＳ）の一部分を選択することと、前記ＣＵＢＳの前記一部分が、次のシンボル期間境界を基準として前記競合に勝つタイミングに少なくとも部分的に基づいて選択される、
シンボル期間の分数期間の間に、前記無認可無線周波数スペクトル帯域を介して、前記ＣＵＢＳの前記一部分を送信することとを行うように実行可能である、
非一時的コンピュータ可読媒体。
［Ｃ１１４］
前記コードが、前記プロセッサによって、
前記ＣＵＢＳの前記少なくとも一部分の送信の後に前記無認可無線周波数スペクトル帯域を介して行われるべき送信に含まれる、複数のトーンを選択し、
離散フーリエ変換（ＤＦＴ）出力を前記複数のトーンにマッピングし、
前記ＣＵＢＳを生成するために前記複数のトーンに対して逆高速フーリエ変換（ＩＦＦＴ）を実行するように実行可能である、
Ｃ１１３に記載の非一時的コンピュータ可読媒体。
［Ｃ１１５］
前記コードが、前記プロセッサによって、
ランダムシーケンスを生成し、
前記ＤＦＴ出力を生成するために前記ランダムシーケンスに対してＤＦＴを実行するように実行可能である、
Ｃ１１４に記載の非一時的コンピュータ可読媒体。
［Ｃ１１６］
ワイヤレス通信のための方法であって、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することと
を備える方法。
［Ｃ１１７］
第１のＣＵＢＳの一部分および第２のＣＵＢＳが、第１のＵＥから受信され、ここにおいて、前記第１のＵＥの第１の識別子が、前記第２のＣＵＢＳから決定される、Ｃ１１６に記載の方法。
［Ｃ１１８］
第１のＵＥから受信されるＣＵＢＳの第１のセットの構造が、第２のＵＥから受信されるＣＵＢＳの第２のセットの構造と異なる、Ｃ１１６に記載の方法。
［Ｃ１１９］
ワイヤレス通信のための装置であって、
いくつかのユーザ機器（ＵＥ）の各々からチャネル使用ビーコン信号（ＣＵＢＳ）を受信するための手段と、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定するための手段と
を備える装置。
［Ｃ１２０］
第１のＣＵＢＳの一部分および第２のＣＵＢＳが、第１のＵＥから受信され、ここにおいて、前記第１のＵＥの第１の識別子が、前記第２のＣＵＢＳから決定される、Ｃ１１９に記載の装置。
［Ｃ１２１］
第１のＵＥから受信されるＣＵＢＳの第１のセットの構造が、第２のＵＥから受信されるＣＵＢＳの第２のセットの構造と異なる、Ｃ１１９に記載の装置。
［Ｃ１２２］
ワイヤレス通信のための装置であって、
プロセッサと、
前記プロセッサと電子通信しているメモリとを備え、
前記プロセッサおよびメモリが、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することとを行うように構成される、
装置。
［Ｃ１２３］
第１のＣＵＢＳの一部分および第２のＣＵＢＳが、第１のＵＥから受信され、ここにおいて、前記第１のＵＥの第１の識別子が、前記第２のＣＵＢＳから決定される、Ｃ１２２に記載の装置。
［Ｃ１２４］
第１のＵＥから受信されるＣＵＢＳの第１のセットの構造が、第２のＵＥから受信されるＣＵＢＳの第２のセットの構造と異なる、Ｃ１２２に記載の装置。
［Ｃ１２５］
ワイヤレス通信のためのコンピュータ実行可能コードを記憶する非一時的コンピュータ可読媒体であって、前記コードが、プロセッサによって、
いくつかのユーザ機器（ＵＥ）の各々からチャネル使用ビーコン信号（ＣＵＢＳ）を受信することと、各ＣＵＢＳが、無認可無線周波数スペクトル帯域の複数の周波数インターレースのうちの１つにおいて受信される、
前記いくつかのＵＥの各々の識別子を、前記受信されたＣＵＢＳから決定することとを行うように実行可能である、
非一時的コンピュータ可読媒体。
［Ｃ１２６］
第１のＣＵＢＳの一部分および第２のＣＵＢＳが、第１のＵＥから受信され、ここにおいて、前記第１のＵＥの第１の識別子が、前記第２のＣＵＢＳから決定される、Ｃ１２５に記載の非一時的コンピュータ可読媒体。
［Ｃ１２７］
第１のＵＥから受信されるＣＵＢＳの第１のセットの構造が、第２のＵＥから受信されるＣＵＢＳの第２のセットの構造と異なる、Ｃ１２５に記載の非一時的コンピュータ可読媒体。
【外国語明細書】
2020074529000001.pdf